(57)【要約】【課題】利便性の高い申請／評価支援システムおよびサーバを提供すること。【解決手段】選考内容に関する所定事項には、受験生の申請を評価するための評価観点と、申請を評価する評価者と、が含まれ、サーバ制御部２２は、選考内容毎に、評価観点と評価者とを対応付けてサーバ記憶部２３に登録し、評価者が所定の申請を評価するときに、当該評価者に対応付けられた評価観点に基づいて評価するための評価画面を、当該評価者の評価者端末に表示する。【選択図】図１１
2020184263.tif 000002
【特許請求の範囲】
【請求項１】
所定の機関が実施する試験において、当該試験の受験者に対して設定された選考内容について受験者が行った申請を当該所定の機関側が評価することを支援する申請／評価支援システムであって、
前記選考内容に関する情報を記憶する記憶部と、
前記試験を管理する試験管理者の試験管理者端末に行われた入力操作に応じて、前記選考内容に関する情報を前記記憶部に記憶させることで当該選考内容に関する所定事項を設定登録する登録部と、
前記登録部によって設定登録された前記所定事項に基づいて、前記受験者によって行われた申請を評価する評価者に評価画面を表示する表示部と、を備え、
前記選考内容に関する所定事項には、前記申請を評価するための評価観点と、前記申請を評価する評価者と、が含まれ、
前記登録部は、前記選考内容毎に、前記評価観点と前記評価者とを対応付けて登録し、
前記表示部は、前記評価者が所定の前記申請を評価するときに、当該評価者に対応付けられた前記評価観点に基づいて評価するための前記評価画面を、当該評価者の評価者端末に表示することを特徴とする申請／評価支援システム。
【請求項２】
請求項１に記載の申請／評価支援システムであって、
前記選考内容に関する所定事項には、さらに前記評価者が評価として採点する評価レベルがあり、
前記登録部は、前記評価観点毎に、前記評価者が採点可能な前記評価レベルを複数登録し、
前記表示部は、前記評価者が所定の前記申請を評価するときに、当該評価者に対応付けられた前記評価観点毎に、当該評価観点について登録された複数の前記評価レベルに基づいて評価できるように前記評価画面を表示することを特徴とする申請／評価支援システム。
【請求項３】
請求項２に記載の申請／評価支援システムであって、
前記選考内容に関する所定事項には、さらに前記評価レベルに係る係数があり、
前記登録部は、前記評価観点毎に、当該評価観点に対応付けられた各評価者と前記係数とを対応付けて登録し、
前記評価観点毎に、当該評価観点に係る評価結果として各評価者が採点した前記評価レベルに当該評価者に対応付けられた前記係数を乗じた値に基づいて、当該評価観点に係る得点を算出する算出部をさらに備えることを特徴とする申請／評価支援システム。
【請求項４】
請求項１乃至３の何れか１つに記載の申請／評価支援システムであって、
前記登録部は、さらに、前記試験管理者端末に行われた入力操作に応じて、評価対象候補である一部または全ての前記申請に、前記記憶部に記憶されている複数の前記評価者の一部または全てを設定することによって評価対象を登録し、
前記表示部は、前記評価者の評価者端末に、当該評価者に設定された前記評価対象に係る申請を評価する前記評価画面を表示することを特徴とする申請／評価支援システム。
【請求項５】
請求項４に記載の申請／評価支援システムであって、
前記登録部は、前記評価対象の登録に係る入力操作が行われた場合、所定の登録条件を満たしていることを条件に、前記評価対象を登録し、
前記表示部は、前記評価対象の登録に係る入力操作が行われたが、前記所定の登録条件を満たしていない場合、前記試験管理者端末に、その旨を表示することを特徴とする申請／評価支援システム。
【発明の詳細な説明】
【技術分野】
【０００１】
本発明は、入学試験や就職試験などの申請およびその申請に対する評価を支援する申請／評価支援システムおよびサーバに関する。
【背景技術】
【０００２】
従来、入学・入社・登用に係る試験などの各種申請において、採用側が志望者側に志望理由や経験内容などに関する設問を用意することがある。そして、志望者側は設問に回答し、採用側がこれを評価する。この一連の流れは、紙媒体で行われていたが、近年、所謂「ＷＥＢ申請」、「インターネット出願」といったインターネットを利用してこれらの設問、回答、および評価を行うシステムが開示されている。
【先行技術文献】
【特許文献】
【０００３】
【特許文献１】特開２００２−０４１６７９号公報
【特許文献２】特開２００７−２７９７７８号公報
【発明の概要】
【発明が解決しようとする課題】
【０００４】
しかしながら、従来のシステムは、基本的に紙媒体で入力させる作業を、インターネットを介して行うことにとどまっているので、利便性の向上が望まれている。
【０００５】
本発明は上記事情に鑑みてなされたものである。すなわち、その課題とするところは、利便性の高い申請／評価支援システムおよびサーバを提供することである。
【課題を解決するための手段】
【０００６】
上記課題を解決するためになされた本発明の一形態は、
所定の機関が実施する試験において、当該試験の受験者に対して設定された選考内容について受験者が行った申請を当該所定の機関側が評価することを支援する申請／評価支援システムであって、
前記選考内容に関する情報を記憶する記憶部と、
前記試験を管理する試験管理者の試験管理者端末に行われた入力操作に応じて、前記選考内容に関する情報を前記記憶部に記憶させることで当該選考内容に関する所定事項を設定登録する登録部と、
前記登録部によって設定登録された前記所定事項に基づいて、前記受験者によって行われた申請を評価する評価者に評価画面を表示する表示部と、を備え、
前記選考内容に関する所定事項には、前記申請を評価するための評価観点と、前記申請を評価する評価者と、が含まれ、
前記登録部は、前記選考内容毎に、前記評価観点と前記評価者とを対応付けて登録し、
前記表示部は、前記評価者が所定の前記申請を評価するときに、当該評価者に対応付けられた前記評価観点に基づいて評価するための前記評価画面を、当該評価者の評価者端末に表示することを特徴とする。
【発明の効果】
【０００７】
本発明に係る申請／評価支援システムによって、入学・入社・登用などの試験に対する利便性を高めることができる。
【図面の簡単な説明】
【０００８】
【図１】本発明の第１実施形態に係る申請／評価支援システムの全体構成を表した概略図である。
【図２】同システムの主要な動作を表すフローチャートである。
【図３】同システムを構成する管理サーバの主要な機能構成を表すブロック図である。
【図４】同システムを構成する管理サーバが備えるデータベースに登録されているテーブルを表すブロック図である。
【図５】試験区分情報テーブルの構成例を表す図である。
【図６】職員情報テーブルの構成例を表す図である。
【図７】受験生情報テーブルの構成例を表す図である。
【図８】選考内容基本情報テーブルの構成例を表す図である。
【図９】評価観点基本情報テーブルの構成例を表す図である。
【図１０】評価レベル情報テーブルの構成例を表す図である。
【図１１】評価担当者情報テーブルの構成例を表す図である。
【図１２】評価責任者情報テーブルの構成例を表す図である。
【図１３】設問情報テーブルの構成例を表す図である。
【図１４】合算判定方法情報テーブルの構成例を表す図である。
【図１５】パターン判定方法情報テーブルの構成例を表す図である。
【図１６】申請情報テーブルの構成例を表す図である。
【図１７】評価対象情報テーブルの構成例を表す図である。
【図１８】個別評価結果情報テーブルの構成例を表す図である。
【図１９】得点情報テーブルの構成例を表す図である。
【図２０】試験管理者ステータステーブルの構成例を表す図である。
【図２１】設定ステータステーブルの構成例を表す図である。
【図２２】評価担当者ステータステーブルの構成例を表す図である。
【図２３】個別評価ステータステーブルの構成例を表す図である。
【図２４】評価責任者ステータステーブルの構成例を表す図である。
【図２５】申請評価ステータステーブルの構成例を表す図である。
【図２６】同システムの試験管理者による選考内容設定処理を表すシーケンス図である。
【図２７】同システムの試験管理者による選考内容設定処理を表すシーケンス図であって、図２６の続きである。
【図２８】同システムの受験生による申請処理を表すシーケンス図である。
【図２９】同システムの試験管理者による評価対象登録処理を表すシーケンス図である。
【図３０】同システムの評価担当者による個別評価処理を表すシーケンス図である。
【図３１】同システムの評価責任者による評価確定処理を表すシーケンス図である。
【図３２】試験管理者トップ画面を例示する模式図である。
【図３３】試験管理者ステータスとアクションの実行可否との関係を表す表である。
【図３４】ダウンリストが表示されている試験管理者トップ画面を例示する模式図である。
【図３５】選考内容設定画面を例示する模式図である。
【図３６】選考内容設定画面を例示する模式図である。
【図３７】評価観点設定ページが表示されている詳細事項設定画面を例示する模式図である。
【図３８】評価観点設定ページが表示されている詳細事項設定画面を例示する模式図である。
【図３９】評価観点設定ページが表示されている詳細事項設定画面を例示する模式図である。
【図４０】評価者設定ページが表示されている詳細事項設定画面を例示する模式図である。
【図４１】評価者設定ページが表示されている詳細事項設定画面を例示する模式図である。
【図４２】設問設定ページが表示されている詳細事項設定画面を例示する模式図である。
【図４３】設問設定ページが表示されている詳細事項設定画面を例示する模式図である。
【図４４】合算判定方法設定ページが表示されている詳細事項設定画面を例示する模式図である。
【図４５】パターン判定方法設定ページが表示されている詳細事項設定画面を例示する模式図である。
【図４６】申請一覧画面を例示する模式図である。
【図４７】回答画面を例示する模式図である。
【図４８】申請表示バーが表示されている申請一覧画面を例示する模式図である。
【図４９】ダウンリストが表示されている試験管理者トップ画面を例示する模式図である。
【図５０】評価対象候補一覧ファイルの構成例を表す図である。
【図５１】評価担当者トップ画面を例示する模式図である。
【図５２】評価対象一覧画面を例示する模式図である。
【図５３】申請別評価画面を例示する模式図である。
【図５４】ルーブリックが表示されている申請別評価画面を例示する模式図である。
【図５５】観点別評価画面を例示する模式図である。
【図５６】評価責任者トップ画面を例示する模式図である。
【図５７】合算評価結果一覧画面を例示する模式図である。
【図５８】個別評価結果詳細確認画面が表示されている合算評価結果一覧画面を例示する模式図である。
【図５９】パターン評価結果一覧画面を例示する模式図である。
【図６０】個別評価結果詳細確認画面が表示されているパターン評価結果一覧画面を例示する模式図である。
【発明を実施するための形態】
【０００９】
以下に、本発明の実施形態について説明する。図１は、本実施形態に係る申請／評価支援システム１の全体構成を示す概略図である。この申請／評価支援システム１は、大学の入学試験において、大学側が主体性や協調性などの受験生の個性を評価するために用いられる。詳細には、申請／評価支援システム１は、大学が選考内容を設定し、受験生が選考内容に対して申請し、大学がその申請を評価することを支援する。
【００１０】
（申請／評価支援システム１の全体構成）
図１に示すように、申請／評価支援システム１は、申請／評価支援システム１の運営者が管理する管理サーバ２と、大学の試験を管理する試験管理者が使用する試験管理者端末３と、受験生の申請を評価する複数の評価担当者が使用する評価担当者端末４−１，・・・，４−Ｎと、後述する各試験区分に対する評価の責任者である評価責任者が使用する評価責任者端末５と、複数の受験生が使用する受験生端末６−１，６−２，６−３・・・，６−Ｎと、を有する。
【００１１】
なお、以下の説明では、評価担当者端末４−１，・・・，４−Ｎ・・・の各々を区別せずに共通の構成や機能を説明する際には、それぞれを「評価担当者端末４」と総称する。同様に、受験生端末６−１，６−２，６−３・・・，６−Ｎを「受験生端末６」と総称する。
【００１２】
また、申請／評価支援システム１における試験管理者端末３、評価担当者端末４、評価責任者端末５、および受験生端末６の台数は、任意の台数にすることができる。
【００１３】
管理サーバ２は、通信ネットワーク７を介して試験管理者端末３、評価担当者端末４、評価責任者端末５、および受験生端末６と接続されている。通信ネットワーク７は、例えば、インターネット、ＬＡＮ、電話回線、移動体通信網、Ｗｉ−Ｆｉ（Wireless  Fidelity）（登録商標）、その他の通信回線、またはそれらの組み合わせなどの何れで構成されてもよく、有線であるか無線であるかを問われない。
【００１４】
試験管理者端末３、評価担当者端末４、評価責任者端末５、および受験生端末６は、通信ネットワーク７を介して他の通信機器と情報の送受信が可能であり、且つ、受信した情報に基づく画面表示が可能な表示部と、各々の使用者の操作を受け付け可能な入力部とを備える端末装置で構成される。具体的に、試験管理者端末３、評価担当者端末４、評価責任者端末５、および受験生端末６としては、デスクトップパソコン、ノートパソコン（ノートブック）、タブレット端末、スマートフォン、およびＰＤＡ（Personal  Digital  Assistant）などを用いることができる。
【００１５】
試験管理者端末３では、試験管理者端末３の入力部を介して、選考内容、評価観点、評価者、受験生への設問、および判定方法を設定するための所定操作（入力操作や選択操作）が試験管理者によって行われる。これらの設定内容の詳細は後述するが、ここで各設定内容について簡単に説明する。
【００１６】
選考内容とは、受験生の個性を把握するために、試験管理者である大学側から受験生に対して設定される設問の主題のことである。選考内容として、例えば、特色加点、志望理由、および入学後の学習計画などがある。１つの選考内容に対して、受験生が１つ又は複数の申請を行うことができる。なお、１つの選考内容において、１つ又は複数の設問が設定される。すなわち、選考内容における設問に回答することが、その選考内容に対する申請となる。
【００１７】
評価観点とは、大学側が受験生によってなされた各申請を評価するための観点のことである。評価観点としては、例えば、総合評価、主体性、協調性、およびアドミッション・ポリシー（入学者受け入れ方針）との整合性などがある。
【００１８】
評価者は、各選考内容に対する申請を評価する教員、および職員（以下、単に「職員」という）で構成され、評価担当者と評価責任者に分かれる。評価担当者は、基本的には受験生の選考内容を個別に評価する担当者のことであり、例えば、学部教員などで構成される。評価責任者は、基本的には、各評価に対して責任を負う立場の者のことであり、例えば学部入試委員長や学部の試験責任者で構成される。
【００１９】
受験生への設問とは、受験生に回答させる事項である。受験生が回答した事項が受験生の申請内容となる。受験生への設問は、選考内容に応じて異なるが、例えば、活動実績の概要、およびその内容に基づく設問などがある。
【００２０】
判定方法とは、評価担当者による評価の結果（評価素点）に基づいて申請の得点を算出する際の算出方法のことである。判定方法の前提となる判定方式として、合算判定とパターン判定とがあり、それぞれの判定方式について詳細な判定方法が設定される。
【００２１】
また、試験管理者端末３では、試験管理者端末３の入力部を介して、受験生が行う各申請、すなわち各評価対象に対して評価担当者を登録するための所定操作（入力操作や選択操作）が試験管理者によって行われる。
【００２２】
受験生端末６では、受験生端末６の入力部に対して、受験生への設問に回答するための所定操作（入力操作や選択操作）が受験生によって行われる。
【００２３】
評価担当者端末４では、評価担当者端末４の入力部に対して、各選考内容に対する申請を採点により評価するための所定操作（入力操作や選択操作）が評価担当者によって行われる。
【００２４】
評価責任者端末５では、評価責任者端末５の入力部に対して、各申請に対する評価を承認して最終確定するための所定操作（入力操作や選択操作）が評価責任者によって行われる。また、評価責任者端末５では、承認がなされる前に、評価責任者端末５の入力部に対して、各申請に対する評価を変更するための所定操作（入力操作や選択操作）が行われることもある。
【００２５】
（申請／評価支援システム１の全体的な流れ）
次に、申請／評価支援システム１の全体的な流れについて説明する。図２は、申請／評価支援システム１の全体的な流れを示すフローチャートである。図２に示すように、申請／評価支援システム１では、最初に、試験管理者によって、各試験区分に対する選考内容の設定処理（選考内容設定処理）が行われる（ステップS1）。選考内容設定処理では、選考内容の詳細が設定される。
【００２６】
なお、試験区分とは、入学試験の区分のことである。試験区分は、募集区分と学部・学科の組み合わせで構成されている。すなわち、試験区分を示す情報は、募集区分を示す情報と、学部・学科を示す情報を有する。なお、募集区分は、例えば、一般入試、推薦入試、およびＡＯ入試などの入試方式のことである。
【００２７】
選考内容設定処理が終了した後に、各選考内容に対する受験生の申請の受け付けが可能になる。次に、受験生による申請処理が行われ（ステップS2）、受験生による申請の受け付けが完了した後に、試験管理者による評価対象の登録処理（評価対象登録処理）が行われる（ステップS3）。評価対象登録処理では、試験区分ごとに、評価対象である各申請に対して評価担当者が設定される。なお、受験生による申請の受け付けを行っているときに、評価対象登録処理を並行して行っても良い。
【００２８】
評価対象登録処理が終了した後に、申請の受け付けが終了する。その後、評価担当者による個別評価処理が行われ（ステップS4）、評価責任者による評価確定処理が行われる（ステップS5）。個別評価処理では、各評価担当者が、設定された申請を個別に評価する。評価確定処理では、評価責任者が各申請に対する評価を確定させる。そして、最後に、試験管理者による試験完了処理が行われる（ステップS6）。試験完了処理によって、当該試験区分の試験が完了する。
【００２９】
（管理サーバ２）
次に、管理サーバ２について説明する。図３は、管理サーバ２の主要な機能構成を示すブロック図である。管理サーバ２は、申請／評価支援システム１を利用する大学毎に、受験生の個性という特定の科目に関する試験（以下、「特定科目試験」という）を実施するためのサービスを提供する。管理サーバ２は、通信ネットワーク７を介して接続された試験管理者端末３、評価担当者端末４、評価責任者端末５、および受験生端末６への所定操作（入力操作や選択操作）に基づいて様々な処理を行う。
【００３０】
管理サーバ２は、例えば、演算処理能力の高いコンピュータで構成され、試験管理者端末３、評価担当者端末４、評価責任者端末５、および受験生端末６と連携して特定科目試験を管理するサーバ機能を実現する。なお、管理サーバ２は、特定科目試験以外の学科試験とも連動させて入学試験全般に対するサーバ機能を実現させても良い。
【００３１】
管理サーバ２には、サーバ通信部２１と、サーバ制御部２２と、サーバ記憶部２３と、が含まれている。
【００３２】
サーバ通信部２１は、外部装置と通信し、情報の送受信を行うインターフェースで構成されている。サーバ通信部２１は、通信ネットワーク７を介して、試験管理者端末３、評価担当者端末４、評価責任者端末５、および受験生端末６のそれぞれとの間でデータを相互に送受信可能である。なお、サーバ通信部２１の外部装置との通信形式は無線または有線の何れであっても良い。
【００３３】
サーバ記憶部２３は、コンピュータが読み取り可能な記録媒体からなる物理デバイスの記憶領域が提供する半導体メモリまたはディスクドライブなどの記憶装置で構成される。サーバ記憶部２３は、オペレーティングシステムプログラムやドライバプログラムを含む各種プログラムおよびこれらのプログラムの実行中に使用される各種データを格納する。
【００３４】
サーバ記憶部２３は、後述するサーバ制御部２２に実行させる管理プログラム２３ａを備えている。また、サーバ記憶部２３は、管理プログラム２３ａの実行中に使用される各種データが格納・蓄積されたデータベース２３ｂを備えている。
【００３５】
データベース２３ｂは、大学ごとに設けられており、複数のテーブルを有している。複数のテーブルとして、試験区分情報テーブル２４ａ、職員情報テーブル２４ｂ、受験生情報テーブル２４ｃ、選考内容基本情報テーブル２４ｄ、評価観点基本情報テーブル２４ｅ、評価レベル情報テーブル２４ｆ、評価担当者情報テーブル２４ｇ、評価責任者情報テーブル２４ｈ、設問情報テーブル２４ｉ、合算判定方法情報テーブル２４ｊ、パターン判定方法情報テーブル２４ｋ、申請情報テーブル２４ｌ、評価対象情報テーブル２４ｍ、個別評価結果情報テーブル２４ｎ、得点情報テーブル２４ｏ、試験管理者ステータステーブル２４ｐ、設定ステータステーブル２４ｑ、評価担当者ステータステーブル２４ｒ、個別評価ステータステーブル２４ｓ、評価責任者ステータステーブル２４ｔ、および申請評価ステータステーブル２４ｕなどがある。以下に、各種テーブルについて説明する。なお、各種テーブルの構成は、以下に説明する内容に限られず適宜に変更しても良い。さらに、各種情報テーブル２４ｅ〜２４ｏを適宜に組合わせ、さらには各種情報テーブル２４ｅ〜２４ｏのそれぞれを適宜に細分化しても良い。各種ステータステーブル２４ｐ〜２４ｕについても同様である。
【００３６】
試験区分情報テーブル２４ａは、試験区分に関する情報（以下、「試験区分情報」という）を表すデータ（以下、「試験区分情報データ」という）を格納するテーブルである。試験区分情報には、試験区分ごとに発行される試験区分ＩＤ、大学、ならびに、当該試験区分に対応付けられた学部・学科および入試方式などが含まれる。試験区分情報テーブル２４ａの構成例を図５に示す。
【００３７】
なお、試験区分ＩＤについては、例えばある大学側が、本システム１を使用する前に、実施する試験区分を管理サーバ２の運営者に申請しておくことにより、運営者が各試験区分に対応する試験区分ＩＤを発行する。その上で、運営者は、事前にその大学に係るデータベース２３ｂに試験区分情報テーブル２４ａを登録する。
【００３８】
また、管理サーバ２は、大学が本システム１を利用することを運営者に申請を行った場合、当該大学に対して大学ＩＤを発行し、当該大学ＩＤに大学名、住所、および認証用のパスワードなどを対応付け、これらの情報を大学情報マスタとして、事前にその大学に係るデータベース２３ｂに登録する。
【００３９】
職員情報テーブル２４ｂは、大学の職員に関する情報（以下、「職員情報」という）を表すデータ（以下、「職員情報データ」という）を格納する。職員情報は、職員ごとに発行される職員ＩＤ、氏名、メールアドレス、および認証用のパスワードなどの情報を含む。職員情報テーブル２４ｂの構成例を図６に示す。
【００４０】
なお、職員ＩＤについては、例えばある大学が、本システム１を使用する前に、管理サーバ２の運営者に職員の氏名、メールアドレス、およびパスワードを申請しておくことにより、運営者が各職員に対応する職員ＩＤを発行する。その上で、運営者は、事前にその大学に係るデータベース２３ｂに職員情報テーブル２４ｂを登録する。
【００４１】
受験生情報テーブル２４ｃは、本システム１を用いて、その大学を受験する受験生に関する情報（以下、「受験生情報」という）を表すデータ（以下、「受験生情報データ」という）を格納する。受験生情報は、受験生に発行される出願整理番号、および試験区分などの情報を含む。受験生情報テーブル２４ｃの構成例を図７に示す。
【００４２】
なお、出願整理番号については、各受験生が受験する試験区分単位で発行される。すなわち、同一の受験生であっても試験区分が異なれば、異なる出願整理番号が発行される。出願整理番号の発行は、受験生が、本システム１に対して所定の出願手続きを行ったときに、受験する試験区分を登録することに応じて、管理サーバ２が適宜に行う。さらに、管理サーバ２は、出願整理番号の発行に応じて、その受験生に係る受験生情報データを受験生情報テーブル２４ｃに登録する。
【００４３】
なお、管理サーバ２は、受験生が、本システム１に対して所定の出願手続きを行ったときに、当該受験生に対して受験生ＩＤを発行し、当該受験生ＩＤに受験生のメールアドレス、および認証用のパスワードなどを対応付け、これらの情報を受験生情報マスタとして、その大学に係るデータベース２３ｂに登録する。
【００４４】
選考内容基本情報テーブル２４ｄは、選考内容に関する基本情報（以下、「選考内容基本情報」という）を表すデータ（以下、「選考内容基本情報データ」という）を格納する。詳細は後述するが、選考内容が設定される際に、選考内容の名称、１つの選考内容に対する申請数の上限、および判定方法の方式が設定される。申請が複数ある場合とは、例えば、ある特色加点という１つの選考内容に対して、部活動に関する申請と、資格取得に関する申請の２つの申請を行うことである。また、判定方法の方式（判定方式）として、前述の合算判定とパターン判定がある。
【００４５】
選考内容基本情報テーブル２４ｄの構成例を図８に示す。選考内容基本情報には、試験ＩＤ、選考内容の名称、申請数の上限、および判定方式などが含まれる。なお、試験管理者による選考内容設定処理において、試験管理者が試験管理者端末３に所定操作を行うことで、管理サーバ２がその選考内容に係る選考内容基本情報データを選考内容基本情報テーブル２４ｄに登録し、選考内容の基本事項（選考内容の名称、申請数の上限、判定方式）が設定される。
【００４６】
評価観点基本情報テーブル２４ｅは、各選考内容に対して設定される評価観点に関する基本情報（以下、「評価観点基本情報」という）を表すデータ（以下、「評価観点情報データ」という）を格納する。評価観点基本情報テーブル２４ｅの構成例を図９に示す。評価観点基本情報には、試験区分ＩＤ、選考内容、各選考内容において評価観点を識別する観点番号、評価観点の名称（観点名）、およびその評価観点で評価する評価担当者の人数（評価者数）が含まれる。
【００４７】
評価レベル情報テーブル２４ｆは、各評価観点に設定される評価レベルに関する情報（以下、「評価レベル情報」という）を表すデータ（以下、「評価レベル情報データ」という）を格納する。後述するように、各評価レベルに対して、評価基準と補足事項が設定される。評価レベル情報テーブル２４ｆの構成例を図１０に示す。評価レベル情報には、試験区分ＩＤ、選考内容、観点番号、評価レベル、評価基準、および補足事項などが含まれる。
【００４８】
なお、試験管理者による選考内容設定処理において、試験管理者が試験管理者端末３に所定操作を行うことによって、管理サーバ２がその評価観点に係る評価観点基本情報データを評価観点基本情報テーブル２４ｅに登録すると共に、評価レベル情報データを評価レベル情報テーブル２４ｆに登録し、ある選考内容に係る評価観点が設定される。また、評価レベル情報は評価観点に付随する情報であるので、以下において、評価レベル情報および評価観点基本情報をまとめて「評価観点情報」と総称する。
【００４９】
評価担当者情報テーブル２４ｇは、各選考内容に対して設定される評価担当者に関する情報（以下、「評価担当者情報」という）を表すデータ（以下、「評価担当者情報データ」という）を格納する。後述するように、評価担当者は、試験区分の選考内容毎に１又は複数名設定される。そして、各評価担当者には、評価するときの評価観点が個別に割り当てられる。さらに、割り当てられた評価観点については重み（観点重み）が設定される。観点重みとは、その評価担当者の評価観点に対する相対的な重要度を示し、得点に反映される係数のことである。
【００５０】
評価担当者情報テーブル２４ｇの構成例を図１１に示す。評価担当者情報には、試験区分ＩＤ、選考内容、評価担当者番号、職員ＩＤ、担当観点番号、および観点重みなどが含まれる。なお、評価担当者番号とは、例えば、評価者１、評価者２、・・・などのように、その選考内容において評価担当者を識別する番号であり、入力された順番に対応する。
【００５１】
なお、試験管理者による選考内容設定処理において、試験管理者が試験管理者端末３に所定操作を行うことによって、管理サーバ２がその選考内容に係る評価担当者情報データを評価担当者情報テーブル２４ｇに登録し、選考内容に係る評価担当者が設定される。
【００５２】
評価責任者情報テーブル２４ｈは、各選考内容に対して設定される評価責任者に関する情報（以下、「評価責任者情報」という）を表すデータ（以下、「評価責任者情報データ」という）を格納する。
【００５３】
評価責任者情報テーブル２４ｈの構成例を図１２に示す。評価責任者情報には、試験区分ＩＤ、選考内容、および職員などが含まれる。なお、試験管理者による選考内容設定処理において、試験管理者が試験管理者端末３に所定操作を行うことによって、管理サーバ２がその選考内容に係る評価責任者情報データを評価責任者情報テーブル２４ｈに登録し、選考内容に係る評価責任者が設定される。
【００５４】
設問情報テーブル２４ｉは、各選考内容について設定された設問に関する情報（以下、「設問情報」という）を表すデータ（以下、「設問情報データ」という）を格納する。後述するように、各設問には設問番号が対応付けられ、各設問番号に対して、設問のタイトルと、設問を説明する教示文と、回答の最大入力文字数と、評価される観点番号（対応観点番号）が設定される。なお、設問番号は、設問を識別するための番号であり、入力された順番に対応する。
【００５５】
設問情報テーブル２４ｉの構成例を図１３に示す。設問情報には、試験区分ＩＤ、選考内容、設問番号、設問タイトル、教示文、最大文字数、および対応観点番号などが含まれている。なお、試験管理者による選考内容設定処理において、試験管理者が試験管理者端末３に所定操作を行うことによって、管理サーバ２がその選考内容に係る設問情報データを設問情報テーブル２４ｉに登録し、選考内容に係る設問が設定される。
【００５６】
合算判定方法情報テーブル２４ｊは、選考内容の判定方式として合算判定が設定された場合の合算判定の具体的な判定方法に関する情報（以下、「合算判定方法情報」という）を表すデータ（以下、「合算判定方法情報データ」という）を格納する。後述するように、合算判定には２つの算出方法（合計点による算出方法／平均点による算出方法）があり、何れか一方が選択される。また、合算判定で評価観点別の得点（観点別得点）を算出する際に用いる基礎点（合算基礎点）が設定される。
【００５７】
合算判定方法情報テーブル２４ｊの構成例を図１４に示す。合算判定方法情報には、試験区分ＩＤ、選考内容、算出方法、および合算基礎点などが含まれている。なお、試験管理者による選考内容設定処理において、試験管理者が試験管理者端末３に所定操作を行うことによって、管理サーバ２がその選考内容に係る合算判定情報データを合算判定方法情報テーブル２４ｊに登録し、選考内容に係る合算判定の具体的な判定方法（合算判定方法）が設定される。
【００５８】
パターン判定方法情報テーブル２４ｋは、選考内容の判定方式としてパターン判定が設定された場合のパターン判定の具体的な判定方法に関する情報（以下、「パターン判定方法情報」という）を表すデータ（以下、「パターン判定方法情報データ」という）を格納する。後述するように、パターン判定では、選考内容について設定された評価観点毎の評価レベルとその評価レベルに採点した人数との組合わせ（評価レベル人数組合わせパターン）に対して重み（パターン重み）を付ける（採点する）か協議とするかが選択される。また、評価レベル人数組合わせパターンに対して重みを付ける場合は、具体的な観点重みが設定される。さらに、パターン判定で評価観点別の得点（観点別得点）を算出する際に用いる基礎点（パターン基礎点）が設定される。
【００５９】
パターン判定方法情報テーブル２４ｋの構成例を図１５に示す。パターン判定方法情報には、試験区分ＩＤ、選考内容、パターン番号、パターン内容、パターン基礎点、重み／協議、およびパターン重みなどが含まれている。パターン番号は、評価レベル人数組合わせパターンを識別する番号であり、管理サーバ２がその評価レベルとその評価レベルに採点した人数との組合わせの具体的な内容（パターン内容）と適宜に対応付ける。
【００６０】
なお、試験管理者による選考内容設定処理において、試験管理者が試験管理者端末３に所定操作を行うことによって、管理サーバ２がその選考内容に係るパターン判定方法情報データをパターン判定方法情報テーブル２４ｋに登録し、選考内容に係るパターン判定の具体的な判定方法（パターン判定方法）が設定される。
【００６１】
申請情報テーブル２４ｌは、各選考内容に対する申請、詳細には選考内容に設定された設問に対する回答に関する情報（以下、「申請情報」という）を表すデータ（以下、「申請情報データ」という）を格納する。前述のように、各設問には設問番号が対応付けられる。
【００６２】
申請情報テーブル２４ｌの構成例を図１６に示す。申請情報には、試験区分ＩＤ、出願整理番号、選考内容、申請番号、申請タイトル、設問番号、および回答などが含まれている。なお、受験生による申請処理において、受験生が受験生端末６に所定操作を行うことによって、管理サーバ２がその選考内容に係る申請情報データを申請情報テーブル２４ｌに登録し、選考内容に対して申請がなされる。
【００６３】
評価対象情報テーブル２４ｍは、各選考内容で評価対象となり得る全ての申請（評価対象候補）および評価対象候補の中から選定された評価対象（申請）を評価する評価担当者に関する情報（以下、「評価対象情報」という）を表すデータ（以下、「評価対象情報データ」という）を格納する。
【００６４】
評価対象情報テーブル２４ｍの構成例を図１７に示す。評価対象情報には、試験ＩＤ、出願整理番号、申請の有無、回答の有無、選考内容、および評価担当者を表すメールアドレスが含まれている。評価対象情報の詳細については後述する。なお、試験管理者による設定対象登録処理において、試験管理者が試験管理者端末３に所定操作を行うことによって、管理サーバ２がその選考内容に係る評価対象情報データを評価対象情報テーブル２４ｍに登録し、評価対象および各評価対象の評価担当者が登録される。
【００６５】
個別評価結果情報テーブル２４ｎは、各評価担当者が選考内容（申請）毎に行った評価（個別評価）の結果に関する情報（以下、「個別評価結果情報」という）を表すデータ（以下、「個別評価結果情報データ」という）を格納する。後述するように、評価担当者は、担当する申請について、自身に設定された評価観点毎に評価を行う。
【００６６】
個別評価結果情報テーブル２４ｎの構成例を図１８に示す。個別評価結果情報には、試験区分ＩＤ、選考内容、出願整理番号、評価担当者番号、担当観点番号、およびその評価観点に基づいて採点された評価レベル（個別評価結果）などが含まれる。
【００６７】
なお、評価担当者による個別評価処理において、評価担当者が評価担当者端末４に所定操作を行うことによって、管理サーバ２がその個別評価結果に係る個別評価結果情報データを個別評価結果情報テーブル２４ｎに登録し、ある申請に係る個別評価が行われる。
【００６８】
得点情報テーブル２４ｏは、各申請（各受験生個別の選考内容）に係る評価観点毎の得点（観点別得点）およびその申請に対する総得点（申請別得点）に関する情報（以下、「得点情報」という）を表すデータ（以下、「得点情報データ」という）を格納する。各申請に対して評価担当者が評価観点単位で行った個別評価結果（評価レベル）に基づいて算出された観点別得点および申請別得点が算出される。
【００６９】
得点情報テーブル２４ｏの構成例を図１９に示す。得点情報には、試験区分ＩＤ、選考内容、出願整理番号、得点種別、および得点などが含まれる。得点種別は、得点の種別、具体的には観点別得点であるか申請別得点であるかのことである。得点種別の観点別得点の後に記載されている数字は、観点番号を表している。
【００７０】
なお、各申請について全ての個別評価が完了すると、管理サーバ２が個別評価結果情報テーブル２４ｎに登録されている個別評価結果情報などに基づいて、観点別得点および申請別得点を算出して、その申請に係る得点情報データを得点情報テーブル２４ｏに登録する。
【００７１】
試験管理者ステータステーブル２４ｐは、試験区分の進行状況を表す試験管理者ステータスに関する情報（以下、「試験管理者ステータス情報」という）を表すデータ（以下、「試験管理者ステータス情報データ」という）を格納する。試験管理者ステータステーブル２４ｐの構成例を図２０に示す。試験管理者ステータス情報には、試験区分ＩＤ、および試験管理者ステータスなどが含まれる。
【００７２】
試験管理者ステータスには、選考内容の詳細設定が何も行われていない状況の「未設定」と、選考内容の詳細設定が途中である状況の「編集中」と、選考内容の設定が全て完了した状況の「設定完了」と、受験生に対して特定科目試験の申請を受け付けている状況の「受付中」と、評価責任者によって選考内容に対する評価について承認が得られ、当該評価が最終確定された状況の「承認済」と、特定科目試験が終了した状況の「終了」と、がある。なお、試験管理者ステータスの種類はこれらに限られず、適宜に変更しても良い。
【００７３】
設定ステータステーブル２４ｑは、各試験区分における選考内容について試験管理者の設定処理状況を表す設定ステータスに関する情報（以下、「設定ステータス情報」という）を表すデータ（以下、「設定ステータス情報データ」という）を格納する。設定ステータステーブル２４ｑの構成例を図２１に示す。設定ステータス情報には、試験区分ＩＤ、および選考内容、および選考内容ステータスなどが含まれる。
【００７４】
評価担当者ステータステーブル２４ｒは、評価担当者ステータスに関する情報（以下、「評価担当者ステータス情報」という）を表すデータ（以下、「評価担当者ステータス情報データ」という）を登録する。
【００７５】
評価担当者ステータスは、評価担当者毎に設定され、各選考内容全体に係る評価確定状況を表す。評価担当者ステータスには、その選考内容の評価が確定されていない状況の「未確定」と、その選考内容の評価が確定された状況の「確定済」と、がある。
【００７６】
評価担当者ステータステーブル２４ｒの構成例を図２２に示す。評価担当者ステータス情報には、試験区分ＩＤ、選考内容、および評価担当者ステータスなどが含まれる。
【００７７】
個別評価ステータステーブル２４ｓは、個別評価ステータスに関する情報（以下、「個別評価ステータス情報」という）を表すデータ（以下、「個別評価ステータス情報データ」という）を格納する。
【００７８】
個別評価ステータスは、評価担当者毎に設定され、各選考内容における評価対象（申請）について当該評価担当者の評価処理状況を表す。個別評価ステータスには、評価担当者がその評価対象について個別評価を何も行っていない状況の「未評価」と、その評価対象について個別評価を途中まで行っている状況の「評価中」と、その評価対象について個別評価を確定した状況の「評価済」と、がある。
【００７９】
個別評価ステータステーブル２４ｓの構成例を図２３に示す。個別評価ステータス情報には、職員ＩＤ、試験区分ＩＤ、出願整理番号、選考内容、申請番号、および個別評価ステータスなどが含まれる。
【００８０】
評価責任者ステータステーブル２４ｔは、評価責任者の選考内容全体に対する承認状況を表す評価責任者ステータスに関する情報（以下、「評価責任者ステータス情報」という）を表すデータ（以下、「評価責任者ステータス情報データ」という）を格納する。
【００８１】
評価責任者ステータスには、その選考内容に評価結果の承認がなされていない状況の「未承認」と、その選考内容に評価結果の承認がなされた状況の「承認済」と、がある。
【００８２】
評価責任者ステータステーブル２４ｔの構成例を図２４に示す。評価責任者ステータス情報には、試験区分ＩＤ、選考内容、および評価責任者ステータスなどが含まれる。
【００８３】
申請評価ステータステーブル２４ｕは、申請評価ステータスに関する情報（以下、「申請評価ステータス情報」という）を表すデータ（以下、「申請評価ステータス情報データ」という）を格納する。申請評価ステータスは、各選考内容における申請単位での全評価担当者の評価状況を表す。
【００８４】
個別評価ステータスには、各申請に対して全ての評価担当者が個別評価を何も行っていない状況の「未評価」と、その評価対象について個別評価を途中まで行っている状況の「評価中」と、全ての評価担当者がその評価対象について個別評価を確定した状況の「評価済」と、がある。
【００８５】
申請評価ステータステーブル２４ｕの構成例を図２５に示す。申請評価ステータス情報には、試験区分ＩＤ、出願整理番号、選考内容、申請番号、および申請評価ステータスなどが含まれる。
【００８６】
次に、サーバ制御部２２について説明する。サーバ制御部２２は、プロセッサ、すなわち、データの演算・加工や転送、プログラムの実行や他の装置の制御などを担う処理装置であり、ＣＰＵおよび各種レジスタから構成されている。
【００８７】
サーバ制御部２２は、サーバ記憶部２３に記憶されている各種プログラムを実行することで、管理サーバ２を中枢的に制御する。また、サーバ制御部２２は、管理プログラムを実行することにより、試験管理者端末３、評価担当者端末４、評価責任者端末５、および受験生端末６と連携して申請／評価の支援機能を実現する。
【００８８】
サーバ制御部２２には、認証管理部２２ａ、選考内容設定部２２ｂ、評価観点設定部２２ｃ、評価者設定部２２ｄ、設問設定部２２ｅ、判定方法設定部２２ｆ、申請登録部２２ｇ、評価対象登録部２２ｈ、個別評価結果登録部２２ｉ、観点別得点登録部２２ｊ、申請別得点登録部２２ｋ、評価結果変更部２２ｌ、および評価承認部２２ｍを有する。各部２２ａ〜２２ｍは、サーバ制御部２２が実現可能な機能に対応している。なお、サーバ制御部２２の機能に対応する各部２２ａ〜２２ｍの構成はこれに限られず、これらの各部２２ａ〜２２ｍを適宜に統合し、さらには各部２２ａ〜２２ｍのそれぞれを適宜に細分化しても良い。また、サーバ制御部２２は、各部２２ａ〜２２ｍの他に、各端末３〜６に所定の画面を表示させる表示部（図示なし）も備えている。
【００８９】
認証管理部２２ａは、試験管理者端末３、評価担当者端末４、評価責任者端末５、または受験生端末６から管理サーバ２へのログイン時の認証を行う。認証管理部２２ａは、試験管理者端末３、評価担当者端末４、評価責任者端末５、または受験生端末６が管理サーバ２へアクセスしてきた際に、各端末利用者のＩＤ、詳細には、試験管理者ＩＤ、職員ＩＤ、または受験生ＩＤ、および各自のパスワードを要求し、適宜に認証を行う。なお、この際に、アクセスログを記録させても良い。
【００９０】
選考内容設定部２２ｂは、試験管理者端末３から送信されてきた各種データ（大学ＩＤ、試験区分、選考内容の名称、申請の上限数、および判定方式など）に基づいて、選考内容基本情報データを生成して選考内容基本情報テーブル２４ｄに登録する。
【００９１】
評価観点設定部２２ｃは、試験管理者端末３から送信されてきた各種データ（大学ＩＤ、試験区分、選考内容、観点番号、評価観点名称、評価レベル、評価者数、評価レベル、評価基準、および補足事項など）に基づいて、評価観点基本情報データを生成して評価観点基本情報テーブル２４ｅに登録すると共に、評価レベル情報データを生成して評価レベル情報テーブル２４ｆに登録する。
【００９２】
評価者設定部２２ｄは、試験管理者端末３から送信されてきた各種データ（大学ＩＤ、試験区分、選考内容、評価責任者のメールアドレス、評価担当者番号、評価担当者のメールアドレス、担当観点番号、および観点重みなど）に基づいて評価担当者情報データを生成して評価担当者情報テーブル２４ｇに登録すると共に、評価責任者情報データを生成して評価責任者情報テーブル２４ｈに登録する。
【００９３】
設問設定部２２ｅは、試験管理者端末３から送信されてきた各種データ（大学ＩＤ、試験区分、選考内容、設問番号、設問タイトル、教示文、最大文字数、および対応観点など）に基づいて設問情報データを生成して設問情報テーブル２４ｉに登録する。
【００９４】
判定方法設定部２２ｆは、試験管理者端末３から送信されてきた各種データ（大学ＩＤ、試験区分、選考内容、算出方法および合算基礎点、または、パターン番号、パターン内容、パターン基礎点、重み／協議およびパターン重みなど）に基づいて、合算判定方法情報データを生成して合算判定方法情報テーブル２４ｊに登録し、または、パターン判定方法情報データを生成してパターン判定方法情報テーブル２４ｋに登録する。
【００９５】
申請登録部２２ｇは、受験生端末６から送信されてきた各種データ（受験生ＩＤ、出願整理番号、選考内容、設問番号、申請タイトル、および回答など）に基づいて、申請情報データを申請情報テーブル２４ｌに登録する。
【００９６】
評価対象登録部２２ｈは、試験管理者端末３から送信されてきた評価対象候補一覧ファイルに基づいて、評価対象情報データを生成して評価対象情報テーブル２４ｍに登録する。
【００９７】
個別評価結果登録部２２ｉは、評価担当者端末４から送信されてきた各種データ（評価担当者の職員ＩＤ、試験区分、選考内容、出願整理番号、担当観点番号、および個別評価結果（評価レベル）など）に基づいて、個別評価結果情報データを生成して個別評価結果情報テーブル２４ｎに登録する。
【００９８】
観点別得点登録部２２ｊは、各評価観点について全ての個別評価が確定されたか否かを監視し、確定されたと判断すると、登録されている個別評価結果データ、選考内容基本情報データ、および判定方法情報データ（合算判定方法情報データ、パターン判定方法情報データ）などに基づいて観点別得点を算出し、得点情報データを生成して得点情報テーブル２４ｏに登録する。
【００９９】
申請別得点登録部２２ｋは、各申請について全ての観点別得点が算出されたか否かを監視し、算出されたと判断すると、登録されている得点情報データ、および判定方法情報データ（合算判定方法情報データ、パターン判定方法情報データ）などに基づいて申請別得点を算出し、得点情報データを生成して得点情報テーブル２４ｏに登録する。
【０１００】
評価結果変更部２２ｌは、評価責任者端末５から送信されてきた各種データ（評価責任者の職員ＩＤ、試験区分、選考内容、観点番号、および、後述する変更後観点別得点など）に基づいて、当該観点番号に係る観点別得点および申請別得点を算出し直して得点情報データを修正し、修正した得点情報データを得点情報テーブル２４ｏに登録する。
【０１０１】
評価承認部２２ｍは、評価責任者端末５から、後述する承認コマンドが送信されてくると、当該承認コマンドに対応する選考内容の評価責任者ステータスを「承認済」に変更する。
【０１０２】
次に、図２に示す申請／評価支援システム１の主要な動作フローに係る各処理を個別に説明する。最初に、ステップS1の選考内容設定処理について説明する。選考内容設定処理は、試験管理者が試験管理者端末３を操作することによって試験管理者端末３と管理サーバ２とで行われる。なお、以下において、画面やページを送信するとは、画面やページを表すデータを適宜に生成して送信することである。また、画面やページを表示するとは、画面やページを表すデータを適宜に受信して、そのデータに基づいて表示することである。
【０１０３】
図２６は、試験管理者端末３、および管理サーバ２によって実行される選考内容設定処理の代表的な処理を表すシーケンス図である。なお、選考内容設定処理では、図２６に示す処理以外の処理も行われる場合がある。
【０１０４】
まず、試験管理者端末３が管理サーバ２にアクセスすると（ステップS100）、管理サーバ２は、試験管理者端末３に試験管理者用ログイン画面（図示なし）を表示させ、試験管理者ＩＤおよび試験管理者のパスワードを要求する（ステップS101）。試験管理者用ログイン画面の画面構成は適宜に設定することができるが、試験管理者用ログイン画面に対して試験管理者ＩＤおよび試験管理者のパスワードの入力操作を行うことができる。
【０１０５】
なお、前述の通り、データベース２３ｂには、その大学に関する情報を記憶する大学情報マスタ（図示なし）が登録されている。大学情報テーブルでは、大学ＩＤおよび大学用の認証パスワードが対応付けられて記憶されている。そして、試験管理者ＩＤは大学ＩＤで構成され、試験管理者のパスワードは、大学用の認証パスワードで構成されている。
【０１０６】
試験管理者端末３が試験管理者ＩＤおよびパスワードを管理サーバ２に送信すると（ステップS102）、管理サーバ２は、その試験管理者ＩＤおよびパスワードを大学情報マスタに照会して試験管理者の認証を行う（ステップS103）。管理サーバ２は、試験管理者の認証に成功すると、試験管理者トップ画面を生成して試験管理者端末３に送信する（ステップS104）。
【０１０７】
なお、試験管理者端末３は、選考内容設定処理における以降の処理において、本システム１からログアウトするまでは、種々のデータやコマンドを管理サーバ２に送信する際に、試験管理者ＩＤに関する情報を当該データやコマンドに含めて管理サーバ２に送信する。よって、管理サーバ２は、試験管理者端末３から送信されてきたデータやコマンドを受信すると、処理対象の大学、すなわち、使用するデータベース２３ｂを特定することができる。
【０１０８】
試験管理者端末３は、管理サーバ２から送信されてきた試験管理者トップ画面を表示する（ステップS105）。試験管理者トップ画面の詳細は後述するが、試験管理者トップ画面は、特定科目試験が実施される試験区分の一覧を表示する画面であり、当該画面を経て各試験区分の選考内容を設定、すなわち、選考内容を設定するための画面（選考内容設定画面）に移行することができる。
【０１０９】
試験管理者トップ画面では、表示されている各試験区分について選考内容を設定するための入力操作を行うことができる。試験管理者トップ画面にその入力操作が行われると、試験管理者端末３は、当該入力操作の対象となった試験区分について選考内容を設定すること、すなわち選考内容設定画面の表示を管理サーバ２に要求する（ステップS106）。
【０１１０】
なお、試験管理者端末３は、選考内容設定処理における以降の処理において、再び試験管理者トップ画面に戻るまでは、種々のデータやコマンドを管理サーバ２に送信する際に、選考内容の設定の対象となった試験区分に関する情報を当該データやコマンドに含めて管理サーバ２に送信する。よって、管理サーバ２は、試験管理者端末３から送信されてきたデータやコマンドを受信すると、処理対象の試験区分を特定することができる。
【０１１１】
管理サーバ２は、選考内容設定画面の表示の要求に対して、当該要求の対象となる試験区分に係る選考内容設定画面を生成して試験管理者端末３に送信する（ステップS107）。
【０１１２】
試験管理者端末３は、管理サーバ２から送信されてきた選考内容設定画面を表示する（ステップS108）。選考内容設定画面の詳細は後述するが、選考内容設定画面は、当該試験区分について選考内容を追加するための画面である。選考内容設定画面では、当該試験区分について選考内容を追加するための入力操作を行うことができる。選考内容設定画面でその入力操作が行われると、試験管理者端末３は、当該試験区分について選考内容を追加（新たに設定）することを管理サーバ２に要求する（ステップS109）。
【０１１３】
選考内容を追加する入力操作には、選考内容基本情報を登録するための入力操作が含まれる。すなわち、選考内容の追加の要求には、選考内容基本情報の登録の要求が含まれる。管理サーバ２は、選考内容の追加の要求に対して、当該試験区分に係る選考内容基本情報を生成して選考内容基本情報テーブル２４ｄに登録することで、当該試験区分について選考内容を追加（新たに設定）する（ステップS110）。
【０１１４】
また、選考内容設定画面では、当該試験区分について設定された選考内容の一覧が表示される。そして、選考内容設定画面では、表示されている各選考内容について当該選考内容の詳細を設定するための入力操作を行うことができる。選考内容設定画面にその入力操作が行われると、試験管理者端末３は、当該入力操作の対象となった選考内容について選考内容の詳細を設定、すなわち、選考内容の詳細を設定するための画面（詳細事項設定画面）の表示を管理サーバ２に要求する（ステップS111）。
【０１１５】
管理サーバ２は、詳細事項設定画面の表示の要求に対して、当該選考内容に係る詳細事項設定画面を生成して試験管理者端末３に送信する（ステップS112）。
【０１１６】
なお、試験管理者端末３は、選考内容設定処理における以降の処理において、再び選考内容設定画面に戻るまでは、種々のデータやコマンドを管理サーバ２に送信する際に、選考内容詳細の設定の対象となった選考内容に関する情報を当該データやコマンドに含めて管理サーバ２に送信する。よって、管理サーバ２は、試験管理者端末３から送信されてきたデータやコマンドを受信すると、処理対象の選考内容を特定することができる。すなわち、先ほどの試験区分に関する情報と合わせると、管理サーバ２は、試験区分ＩＤを抽出することができる。
【０１１７】
試験管理者端末３は、管理サーバ２から送信されてきた詳細事項設定画面を表示する（ステップS113）。詳細事項設定画面の詳細は後述するが、詳細事項設定画面は、当該選考内容の詳細を設定するための画面である。そして、詳細事項設定画面は、評価観点を設定するためのページ（評価観点設定ページ）、評価者を設定するためのページ（評価者設定ページ）、設問を設定するためのページ（設問設定ページ）、および判定方法を設定するためのページ（判定方法設定ページ）を順番に切り替えることができるように構成される。なお、詳細事項設定画面が表示されたときは評価観点ページが表示される。
【０１１８】
評価観点設定ページでは、当該選考内容に係る評価観点情報を登録するための入力操作を行うことができる。評価観点設定ページでその入力操作が行われると、試験管理者端末３は、当該選考内容について評価観点情報を登録することを管理サーバ２に要求する（ステップS114）。
【０１１９】
管理サーバ２は、評価観点情報の登録の要求に対して、評価観点基本情報を生成して評価観点基本情報テーブル２４ｅに登録すると共に、評価レベル情報を生成して評価レベル情報テーブル２４ｆに登録する（ステップS115）。なお、評価観点情報は、評価観点基本情報および評価レベル情報の総称であり、評価観点情報の登録は、評価レベル情報の登録および評価レベル情報の登録の総称である。さらに、管理サーバ２は、評価者設定ページを試験管理者端末３に送信する（ステップS116）。
【０１２０】
試験管理者端末３は、評価観点設定ページから、管理サーバ２から送信されてきた評価者設定ページに切り替えて、評価者設定ページを表示する（ステップS117）。評価者設定ページでは、当該選考内容に係る評価者情報、詳細には、評価担当者情報および評価責任者情報を登録するための入力操作を行うことができる。評価者設定ページでその入力操作が行われると、試験管理者端末３は、当該選考内容について評価担当者情報および評価責任者情報を登録することを管理サーバ２に要求する（ステップS118）。
【０１２１】
管理サーバ２は、評価担当者情報および評価責任者情報の登録の要求に対して、評価担当者情報を生成して評価担当者情報テーブル２４ｇに登録すると共に、評価責任者情報を生成して評価責任者情報テーブル２４ｈに登録する（ステップS119）。さらに、管理サーバ２は、設問設定ページを生成して試験管理者端末３に送信する（ステップS120）。
【０１２２】
試験管理者端末３は、評価者設定ページから、管理サーバ２から送信されてきた設問設定ページに切り替えて、設問設定ページを表示する（ステップS121）。設問設定ページでは、当該選考内容に係る設問情報を登録するための入力操作を行うことができる。設問設定ページでその入力操作が行われると、試験管理者端末３は、当該選考内容について設問情報を登録することを管理サーバ２に要求する（ステップS122）。
【０１２３】
管理サーバ２は、設問情報の登録の要求に対して、設問情報を生成して設問情報テーブル２４ｉに登録する（ステップS123）。さらに、管理サーバ２は、判定方法設定ページを生成して試験管理者端末３に送信する（ステップS124）。なお、管理サーバ２は、当該選考内容に係る選考内容基本情報として合算判定が登録されている場合は、合算判定用の判定方法設定ページ（合算判定方法設定ページ）を生成して試験管理者端末３に送信する。一方、管理サーバ２は、当該選考内容に係る選考内容基本情報としてパターン判定が登録されている場合は、パターン判定用の判定方法設定ページ（パターン判定方法設定ページ）を生成して試験管理者端末３に送信する。
【０１２４】
試験管理者端末３は、設問設定ページから、管理サーバ２から送信されてきた合算判定方法設定ページまたはパターン判定方法設定ページに切り替えて、合算判定方法設定ページまたはパターン判定方法設定ページを表示する（ステップS125）。
【０１２５】
合算判定方法設定ページでは、当該選考内容に係る合算判定方法情報を登録するための入力操作を行うことができる。一方、パターン判定方法設定ページでは、当該選考内容に係るパターン判定方法情報を登録するための入力操作を行うことができる。合算判定方法設定ページまたはパターン判定方法設定ページでその入力操作が行われると、試験管理者端末３は、当該選考内容について合算判定方法情報またはパターン判定情報を登録することを管理サーバ２に要求する（ステップS126）。
【０１２６】
管理サーバ２は、合算判定方法情報またはパターン判定情報の登録の要求に対して、合算判定情報を生成して合算判定方法情報テーブル２４ｊに登録し、またはパターン判定情報を生成してパターン判定方法情報テーブル２４ｋに登録（ステップS127）。
【０１２７】
また、合算判定方法情報またはパターン判定方法情報を登録するための入力操作は、選考内容設定画面を表示するための入力操作を兼ねる。この場合、試験管理者端末３は、選考内容設定画面の表示を管理サーバ２に要求する（ステップS128）。管理サーバ２は、選考内容設定画面の表示の要求に対して、選考内容設定画面を生成して試験管理者端末３に送信する（ステップS129）。
【０１２８】
なお、評価観点情報を登録するための入力操作、評価者情報を登録するための入力操作、または設問情報を登録するための入力操作が、選考内容設定画面を表示するための入力操作を兼ねる。この場合、試験管理者端末３は、ステップS115、ステップS119、またはステップS123の対応する登録を行った上で、ステップS128に進む。
【０１２９】
試験管理者端末３は、管理サーバ２から送信されてきた選考内容設定画面を表示する（ステップS130）。ここで、選考内容設定画面では、後述するように試験管理者トップ画面を表示するための入力操作を行うことができる。選考内容設定画面でその入力操作が行われると、試験管理者端末３は、試験管理者トップ画面の表示を管理サーバ２に要求する（ステップS131）。管理サーバ２は、試験管理者トップ画面の表示の要求に対して、試験管理者トップ画面を生成して試験管理者端末３に送信する（ステップS132）。
【０１３０】
試験管理者端末３は、管理サーバ２から送信されてきた試験管理者トップ画面を表示する（ステップS133）。試験管理者トップ画面では、各試験区分について選考内容の設定を完了させるための入力操作を行うことができる。この入力操作が行われると、試験管理者端末３は、当該試験区分について選考内容の設定の完了を管理サーバ２に要求する（ステップS134）。
【０１３１】
管理サーバ２は、選考内容の設定の完了の要求に対して、当該試験区分に係る試験管理者ステータスを「設定完了」に変更することで、当該試験区分に係る選考内容の設定を完了させる（ステップS135）。
【０１３２】
次に、ステップS2の申請処理について説明する。申請処理は、受験生が受験生端末６を操作することによって受験生端末６と管理サーバ２とで行われる。
【０１３３】
図２８は、受験生端末６、および管理サーバ２によって実行される申請処理の代表的な処理を表すシーケンス図である。なお、申請処理では、以下に説明する図２８に示す処理以外の処理が行われることもある。
【０１３４】
まず、受験生端末６が管理サーバ２にアクセスすると（ステップS200）、管理サーバ２は、受験生端末６に受験生用ログイン画面（図示なし）を表示させ、受験生ＩＤおよび認証用のパスワードを要求する（ステップS201）。受験生用ログイン画面の画面構成は適宜に設定することができるが、受験生用ログイン画面に対して受験生ＩＤおよび受験生の認証用のパスワードの入力操作を行うことができる。
【０１３５】
なお、データベース２３ｂには、その大学の受験生に関する基本情報を記憶する受験生マスタ（図示なし）が登録されている。受験生マスタでは、各受験生ＩＤに認証用のパスワードが対応付けられて登録されている。
【０１３６】
受験生端末６が受験生ＩＤおよびパスワードを管理サーバ２に送信すると（ステップS202）、管理サーバ２は、その受験生ＩＤおよびパスワードを受験生マスタに照会して受験生の認証を行う（ステップS203）。管理サーバ２は、認証に成功すると、受験生トップ画面を生成して受験生端末６に送信する（ステップS204）。
【０１３７】
なお、受験生端末６は、申請処理における以降の処理において、本システム１からログアウトするまでは、種々のデータやコマンドを管理サーバ２に送信する際に、受験生ＩＤに関する情報を当該データやコマンドに含めて管理サーバ２に送信する。よって、管理サーバ２は、受験生端末６から送信されてきたデータやコマンドを受信すると、処理対象の受験生を特定することができる。
【０１３８】
受験生端末６は、管理サーバ２から送信されてきた受験生トップ画面を表示する（ステップS205）。受験生トップ画面の詳細な説明は省略するが、受験生トップ画面は、特定科目試験が実施される試験区分の一覧を表示する画面であり、当該画面を経て各試験区分の特定科目試験を受験、すなわち、試験区分毎に選考内容に対する申請を行うための画面（申請一覧画面）に移行することができる。
【０１３９】
受験生トップ画面では、表示されている各試験区分について申請を行うための入力操作を行うことができる。受験生トップ画面にその入力操作が行われると、受験生端末６は、当該入力操作の対象となった試験区分について申請を行うこと、すなわち申請一覧画面の表示を管理サーバ２に要求する（ステップS206）。
【０１４０】
なお、受験生端末６は、申請処理における以降の処理において、再び受験生トップ画面に戻るまでは、種々のデータやコマンドを管理サーバ２に送信する際に、申請の実施の対象となった試験区分に関する情報を当該データやコマンドに含めて管理サーバ２に送信する。よって、管理サーバ２は、受験生端末６から送信されてきたデータやコマンドを受信すると、処理対象の試験区分を特定することができる。すなわち、先ほどの受験生ＩＤに関する情報と合わせると、管理サーバ２は、出願整理番号を抽出することができる。
【０１４１】
管理サーバ２は、申請一覧画面の表示の要求に対して、当該要求の対象となる試験区分に係る申請一覧画面を生成して受験生端末６に送信する（ステップS207）。
【０１４２】
受験生端末６は、管理サーバ２から送信されてきた申請一覧画面を表示する（ステップS208）。申請一覧画面の詳細は後述するが、申請一覧画面は、当該試験区分について申請を追加するための画面である。申請一覧画面では、当該試験区分に係る選考内容毎に申請を追加するための入力操作を行うことができる。申請一覧画面でその入力操作が行われると、受験生端末６は、当該試験区分の選考内容について申請を追加することを管理サーバ２に要求する（ステップS209）。
【０１４３】
当該試験区分の選考内容について申請を追加する入力操作には、当該試験区分の選考内容について申請を追加する、すなわち、選考内容に係る設問に回答する画面（回答画面）を表示するための入力操作が含まれる。管理サーバ２は、当該試験区分の選考内容に係る回答画面の表示の要求に対して、当該選考内容に係る回答画面を生成して受験生端末６に送信する（ステップS210）。
【０１４４】
受験生端末６は、管理サーバ２から送信されてきた回答画面を表示する（ステップS211）。回答画面の詳細は後述するが、回答画面は、当該試験区分の選考内容に設定された設問に回答する（当該選考内容について申請を行う）ための画面である。回答画面では、各種設問に対して回答するための入力操作を行うことができる。回答画面でその入力操作が行われると、受験生端末６は、当該試験区分の選考内容についての申請情報を登録することを管理サーバ２に要求する（ステップS212）。
【０１４５】
管理サーバ２は、申請情報の登録の要求に対して、当該試験区分の選考内容に係る申請情報を生成して申請情報テーブル２４ｌに登録する（ステップS213）。
【０１４６】
また、申請情報を登録するための入力操作が、申請一覧画面を表示するための入力操作を兼ねる場合もある。この場合、受験生端末６は、申請一覧画面の表示を管理サーバ２に要求する（ステップS214）。管理サーバ２は、申請一覧画面の表示の要求に対して、申請一覧画面を生成して受験生端末６に送信する（ステップS215）。
【０１４７】
受験生端末６は、管理サーバ２から送信されてきた申請一覧画面を表示する（ステップS216）。ここで、申請一覧画面では、各試験区分について申請を確定させるための入力操作を行うことができる。この入力操作が行われると、受験生端末６は、当該試験区分についての申請の確定を管理サーバ２に要求する（ステップS217）。
【０１４８】
管理サーバ２は、申請の確定の要求に対して、当該試験区分に係る受験生ステータスを「確定済」に変更することで、当該試験区分に係る申請を確定させる（ステップS218）。
【０１４９】
次に、ステップS3の評価対象登録処理について説明する。評価対象登録処理は、試験管理者が試験管理者端末３を操作することによって試験管理者端末３と管理サーバ２とで行われる。
【０１５０】
図２９は、試験管理者端末３、および管理サーバ２によって実行される評価対象登録処理の代表的な処理を表すシーケンス図である。なお、評価対象登録処理では、図２９に示す処理以外の処理も行われる場合がある。
【０１５１】
まず、試験管理者端末３が管理サーバ２にアクセスすると（ステップS300）、管理サーバ２は、ステップS101の場合と同様に、試験管理者ＩＤおよび試験管理者のパスワードを要求する（ステップS301）。以降、試験管理者端末３と管理サーバ２との間で、選考内容設定処理（ステップS1）のステップS102〜ステップS105と同様な処理（ステップS302〜ステップS305）が行われ、試験管理者トップ画面が試験管理者端末３に表示される。
【０１５２】
試験管理者トップ画面では、表示されている各試験区分に係る評価対象一覧ファイルをダウンロードするための入力操作を行うことができる。評価対象一覧ファイルは、当該試験区分ついて、評価対象候補の中から評価対象を選定して、選定された評価対象に対して評価担当者を設定するためのファイルであり、表形式で構成されている。試験管理者トップ画面にその入力操作が行われると、試験管理者端末３は、評価対象一覧ファイルのダウンロードを管理サーバ２に要求する（ステップS306）。
【０１５３】
管理サーバ２は、評価対象一覧ファイルのダウンロードの要求に対して、当該試験区分に係る評価対象一覧ファイルを作成して試験管理者端末３に送信する（ステップS307）。
【０１５４】
試験管理者端末３は、管理サーバ２から送信されてきた評価対象一覧ファイルを表示する（ステップS308）。評価対象一覧ファイルの詳細は後述するが、評価対象一覧ファイルでは、当該試験区分に係る評価対象候補が全て表示され、当該評価対象候補の中から評価対象を選定しつつ、選定した評価対象に対して評価担当者を設定するための入力操作を行うことができる。評価対象一覧ファイルにその入力操作が行われると、試験管理者端末３は、評価対象一覧ファイルの保存を管理サーバ２に要求する（ステップS309）。
【０１５５】
管理サーバ２は、評価対象一覧ファイルの保存の要求に対して、受信した評価対象一覧ファイルをデータベース２３ｂの所定領域に保存する（ステップS310）。
【０１５６】
また、試験管理者トップ画面では、評価対象一覧ファイルに係る評価対象情報の登録、すなわち、評価対象を登録するための入力操作を行うことができる。試験管理者トップ画面にその入力操作が行われると、試験管理者端末３は、当該評価対象一覧ファイルに係る評価対象情報の登録を管理サーバ２に要求する（ステップS311）。
【０１５７】
管理サーバ２は、評価対象情報の登録の要求に対して、当該評価対象一覧ファイルに係る評価対象情報を表す評価対象情報データを生成して評価対象情報テーブル２４ｍに登録する（ステップS312）。この登録によって、当該試験区分に設定された評価担当者はその試験区分に係る個別評価を行うことができる。すなわち、後述する評価担当者トップ画面の選考対象一覧において、当該試験区分の選考内容に係るレコードが追加される。
【０１５８】
次に、ステップS4の個別評価処理について説明する。個別評価処理は、評価担当者が評価担当者端末４を操作することによって評価担当者端末４と管理サーバ２とで行われる。
【０１５９】
図３０は、評価担当者端末４、および管理サーバ２によって実行される個別評価処理の代表的な処理を表すシーケンス図である。なお、個別評価処理では、以下に説明する図３０に示す処理以外の処理が行われることもある。
【０１６０】
まず、評価担当者が管理サーバ２にアクセスすると（ステップS400）、管理サーバ２は、評価担当者端末４に評価担当者用ログイン画面（図示なし）を表示させ、職員ＩＤおよびその評価担当者用のパスワードを要求する（ステップS401）。評価担当者用ログイン画面の画面構成は適宜に設定することができるが、評価担当者用ログイン画面に対して職員ＩＤおよびパスワードの入力操作を行うことができる。
【０１６１】
評価担当者端末４が職員ＩＤおよびパスワードを管理サーバ２に送信すると（ステップS402）、管理サーバ２は、その職員ＩＤおよびパスワードを、職員情報テーブル２４ｂ、および評価担当者情報テーブル２４ｇに照会して評価担当者の認証を行う（ステップS403）。
【０１６２】
なお、評価担当者端末４は、個別評価処理における以降の処理において、本システム１からログアウトするまでは、種々のデータやコマンドを管理サーバ２に送信する際に、職員ＩＤに関する情報を当該データやコマンドに含めて管理サーバ２に送信する。よって、管理サーバ２は、評価担当者端末４から送信されてきたデータやコマンドを受信すると、処理対象の評価担当者を特定することができる。
【０１６３】
管理サーバ２は、評価担当者の認証に成功すると、その職員ＩＤで特定される評価担当用の評価担当者トップ画面を生成して評価担当者端末４に送信する（ステップS404）。評価担当者端末４は、管理サーバ２から送信されてきた評価担当者トップ画面を表示する（ステップS405）。
【０１６４】
評価担当者トップ画面の詳細は後述するが、評価担当者トップ画面は、特定科目試験が実施される試験区分の選考内容の一覧を表示する画面であり、当該画面を経て、各試験区分の選考内容において当該評価担当者が個別評価する評価対象（申請）の一覧が表示された画面（評価対象一覧画面）に移行することができる。
【０１６５】
評価担当者トップ画面では、表示されている各試験区分の選考内容の中から個別評価を行う選考内容を選択するための入力操作を行うことができる。評価担当者トップ画面にその入力操作が行われると、評価担当者端末４は、当該入力操作の対象となった選考内容について個別評価を行うこと、すなわち評価対象一覧画面の表示を管理サーバ２に要求する（ステップS406）。
【０１６６】
なお、評価担当者端末４は、個別評価処理における以降の処理において、再び評価担当者トップ画面に戻るまでは、種々のデータやコマンドを管理サーバ２に送信する際に、個別評価の対象となった試験区分および選考内容に関する情報を当該データやコマンドに含めて管理サーバ２に送信する。よって、管理サーバ２は、評価担当者端末４から送信されてきたデータやコマンドを受信すると、処理対象の試験区分および選考内容を特定することができる。すなわち、管理サーバ２は、試験区分ＩＤを抽出することができる。
【０１６７】
管理サーバ２は、評価対象一覧画面の表示の要求に対して、個別評価の対象となる選考内容に係る評価対象一覧画面を生成して評価担当者端末４に送信する（ステップS407）。
【０１６８】
評価担当者端末４は、管理サーバ２から送信されてきた評価対象一覧画面を表示する（ステップS408）。評価対象一覧画面では、表示されている各評価対象である申請の中から個別評価を行う申請を選択するための入力操作を行うことができる。評価対象一覧画面にその入力操作が行われると、評価担当者端末４は、当該入力操作の対象となった申請について個別評価を行うこと、すなわち申請別評価画面の表示を管理サーバ２に要求する（ステップS409）。
【０１６９】
管理サーバ２は、申請別評価画面の表示の要求に対して、個別評価の対象となる申請に係る申請別評価画面を生成して評価担当者端末４に送信する（ステップS410）。
【０１７０】
なお、後述するように、評価対象一覧画面では、表示されている各評価観点の中から個別評価を行う評価観点を選択するための入力操作を行うこともできる。評価対象一覧画面にその入力操作が行われると、評価担当者端末４は、当該入力操作の対象となった評価観点について個別評価を行うこと、すなわち観点別評価画面の表示を管理サーバ２に要求する（ステップS409）。そして、管理サーバ２は、観点別評価画面の表示の要求に対して、個別評価の対象となる評価観点に係る観点別評価画面を生成して評価担当者端末４に送信する（ステップS410）。なお、以下において、申請別評価画面と観点別評価画面を合わせて「個別評価画面」と総称する。
【０１７１】
評価担当者端末４は、管理サーバ２から送信されてきた個別評価画面を表示する（ステップS411）。個別評価画面では、当該個別評価の対象について採点、すなわち、個別評価結果としての評価レベルを付するための入力操作を行うことができる。個別評価画面にその入力操作が行われると、評価担当者端末４は、当該入力操作の対象となった申請に対する個別評価結果情報の登録を管理サーバ２に要求する（ステップS412）。
【０１７２】
管理サーバ２は、個別評価結果情報の登録の要求に対して、当該評価対象である申請に係る個別評価結果情報を生成して個別評価結果情報テーブル２４ｎに登録する（ステップS413）。
【０１７３】
また、個別評価結果としての評価レベルを付けるための入力操作が、評価対象一覧画面を表示するための入力操作を兼ねる場合もある。この場合、試験管理者端末３は、評価対象一覧画面の表示を管理サーバ２に要求する（ステップS414）。管理サーバ２は、評価対象一覧画面の表示の要求に対して、評価対象一覧画面を生成して評価担当者端末４に送信する（ステップS415）。試験管理者端末３は、管理サーバ２から送信されてきた評価対象一覧画面を表示する（ステップS416）。
【０１７４】
なお、申請別評価画面が表示されているときは、個別評価結果としての評価レベルを付するための入力操作が、次の申請についての個別評価を行うために次の申請に係る申請別評価画面を表示するための入力操作を兼ねる場合もある。この場合、試験管理者端末３は、当該申請別評価画面の表示を管理サーバ２に要求する。この要求は、ステップS409に相当する。すなわち、個別評価処理では、評価対象一覧画面の表示を要求されるまでは、ステップS409〜ステップS412が繰り返し行われる。
【０１７５】
また、評価対象一覧画面では、当該試験区分の選考内容について個別評価を確定させるための入力操作を行うことができる。この入力操作が行われると、評価担当者端末４は、当該試験区分の選考内容についての個別評価の確定を管理サーバ２に要求する（ステップS417）。
【０１７６】
管理サーバ２は、個別評価の確定の要求に対して、当該選考内容に係る評価担当者ステータスを「確定済」に変更し、当該選考内容に係る全ての個別評価ステータスを「評価済」に変更することで、当該選考内容に係る個別評価を確定させる（ステップS418）。
【０１７７】
次に、ステップS5の評価確定処理について説明する。評価確定処理は、評価責任者が評価責任者端末５を操作することによって評価責任者端末５と管理サーバ２とで行われる。
【０１７８】
図３１は、評価責任者端末５、および管理サーバ２によって実行される評価確定処理の代表的な処理を表すシーケンス図である。なお、評価確定処理では、以下に説明する図３１に示す処理以外の処理が行われることもある。
【０１７９】
まず、評価責任者が管理サーバ２にアクセスすると（ステップS500）、管理サーバ２は、評価責任者端末５に評価責任者用ログイン画面（図示なし）を表示させ、職員ＩＤおよびその評価責任者用のパスワードを要求する（ステップS501）。評価責任者用ログイン画面の画面構成は適宜に設定することができるが、評価責任者用ログイン画面に対して職員ＩＤおよびパスワードの入力操作を行うことができる。
【０１８０】
評価責任者端末５が職員ＩＤおよびパスワードを管理サーバ２に送信すると（ステップS502）、管理サーバ２は、その職員ＩＤおよびパスワードを、職員情報テーブル２４ｂ、および評価責任者情報テーブル２４ｈに照会して評価責任者の認証を行う（ステップS503）。
【０１８１】
なお、評価責任者端末５は、評価確定処理における以降の処理において、本システム１からログアウトするまでは、種々のデータやコマンドを管理サーバ２に送信する際に、職員ＩＤおよび評価責任者であることの情報を当該データやコマンドに含めて管理サーバ２に送信する。よって、管理サーバ２は、評価責任者端末５から送信されてきたデータやコマンドを受信すると、処理対象がその職員ＩＤの評価責任者であることを特定することができる。
【０１８２】
管理サーバ２は、評価責任者の認証に成功すると、その職員ＩＤで特定される評価責任者用の評価責任者トップ画面を生成して評価責任者端末５に送信する（ステップS504）。評価責任者端末５は、管理サーバ２から送信されてきた評価責任者トップ画面を表示する（ステップS505）。
【０１８３】
評価責任者トップ画面の詳細は後述するが、評価責任者トップ画面は、特定科目試験が実施される試験区分の選考内容の一覧を表示する画面であり、当該画面を経て、各試験区分の選考内容における申請単位での評価結果の一覧が表示される画面（評価結果一覧画面）に移行することができる。
【０１８４】
評価責任者トップ画面では、表示されている各選考内容の中から承認または変更を行う選考内容を選択するための入力操作を行うことができる。評価責任者トップ画面にその入力操作が行われると、評価責任者端末５は、当該入力操作の対象となった選考内容について承認または変更を行うこと、すなわち当該選考内容に係る評価結果一覧画面の表示を管理サーバ２に要求する（ステップS506）。
【０１８５】
なお、評価責任者端末５は、評価確定処理における以降の処理において、再び評価責任者トップ画面に戻るまでは、種々のデータやコマンドを管理サーバ２に送信する際に、承認または変更の対象となった試験区分および選考内容に関する情報を当該データやコマンドに含めて管理サーバ２に送信する。よって、管理サーバ２は、評価責任者端末５から送信されてきたデータやコマンドを受信すると、処理対象の試験区分および選考内容を特定することができる。すなわち、管理サーバ２は、試験区分ＩＤを抽出することができる。
【０１８６】
管理サーバ２は、評価結果一覧画面の表示の要求に対して、承認または変更の対象となる選考内容に係る評価結果一覧画面を生成して評価責任者端末５に送信する（ステップS507）。
【０１８７】
評価責任者端末５は、管理サーバ２から送信されてきた評価結果一覧画面を表示する（ステップS508）。評価結果一覧画面では、各申請に対して観点別得点および申請別得点が表示される。そして、各観点別得点の詳細を確認するための入力操作を行うことができる。「観点別得点の詳細」とは、その観点別得点に係る全ての評価担当者の個別評価結果のことである。評価結果一覧画面にその入力操作が行われると、評価責任者端末５は、当該入力操作の対象となった観点別得点の詳細について確認を行うこと、すなわちその観点別得点に係る観点別得点詳細確認画面の表示を管理サーバ２に要求する（ステップS509）。
【０１８８】
管理サーバ２は、観点別得点詳細確認画面の表示の要求に対して、確認の対象となる観点別得点に係る観点別得点詳細確認画面を生成して評価責任者端末５に送信する（ステップS510）。
【０１８９】
評価責任者端末５は、管理サーバ２から送信されてきた観点別得点詳細確認画面を表示する（ステップS511）。観点別得点詳細確認画面では、当該観点別得点に係る全ての個別評価結果が表示され、当該個別評価結果を変更するための入力操作を行うことができる。評価結果詳細確認画面にその入力操作が行われると、評価責任者端末５は、当該入力操作の対象となった個別評価結果に係る個別評価結果情報の変更、およびその変更に伴って当該個別評価結果に係る観点別得点の変更、ならびに当該評価観点に係る申請別得点の変更を管理サーバ２に要求する（ステップS512）。
【０１９０】
管理サーバ２は、個別評価結果情報などの変更の要求に対して、個別評価結果情報テーブル２４ｎに登録されている個別評価結果情報の変更、ならびに得点情報テーブル２４ｏに登録されている得点情報（観点別得点、申請別得点）の変更を行う（ステップS513）。
【０１９１】
また、評価結果一覧画面では、当該選考内容についての評価を承認、すなわち当該選考内容についての評価を最終確定するための入力操作を行うことができる。この入力操作が行われると、評価責任者端末５は、当該選考内容についての評価の最終確定を管理サーバ２に要求する（ステップS514）。
【０１９２】
管理サーバ２は、評価の最終確定の要求に対して、当該選考内容に係る評価責任者ステータスを「承認済」に変更することで、当該試験区分に係る評価を承認、すなわち最終確定させる（ステップS515）。
【０１９３】
次に、試験管理者端末３、評価担当者端末４、評価責任者端末５、および受験生端末６で表示される各種画面について説明する。最初に、試験管理者端末３に表示される試験管理者トップ画面、選考内容設定画面、評価観点設定画面、設問設定画面、および判定方法詳細設定画面について説明する。
【０１９４】
試験管理者トップ画面は、試験管理者の本システム１へのログイン後、その大学用のトップ画面として最初に試験管理者端末３に表示され、その大学の試験区分の一覧を表す画面である。なお、管理サーバ２は、データベース２３ｂの試験区分情報テーブル２４ａに登録されている試験区分情報や試験管理者ステータステーブル２４ｐに記憶されている試験管理者ステータスデータに基づいて試験管理者トップ画面を生成して試験管理者端末３に表示させる。
【０１９５】
図３２は、試験管理者トップ画面の一例である。図３２に示す試験管理者トップ画面３０には、試験区分一覧表３０１が表示される。試験区分一覧表３０１の列を構成する項目（試験区分一覧表３０１のフィールド）として、左側から、試験区分を表す項目（試験区分項目）と、試験管理者ステータスを表す項目（試験管理者ステータス項目）と、評価対象の登録数を表す項目（評価対象登録数項目）と、詳細ボタン３０２１が設けられた項目（選考内容編集ボタン項目）と、アクション選択ボタン３０２２が設けられた項目（アクション選択ボタン項目）と、がある。
【０１９６】
試験区分一覧表３０１では、試験区分項目が基準項目であり、試験管理者ステータス項目、評価対象登録数項目、選考内容編集ボタン項目、およびアクション選択ボタン項目は試験区分項目に関連付けられている。
【０１９７】
試験管理者ステータスの管理・表示は、管理サーバ２が選考内容に係る状況に応じて適宜に行う。例えば、サーバ制御部２２は、試験区分情報を試験区分情報テーブル２４ａに登録すると、試験管理者ステータス「未設定」を表す試験管理者ステータスデータを当該試験区分ＩＤに関連付けて試験管理者ステータステーブル２４ｐに登録する。また、後述するように、試験区分に係る選考内容の詳細設定が１つでも行われると、サーバ制御部２２は、その試験区分に係る試験管理者ステータスデータの内容を「編集中」に変更する。
【０１９８】
詳細ボタン３０２１は、その試験区分の詳細に進むことを指示するボタンである。詳細ボタン３０２１に対してクリック操作を行うことができる。
【０１９９】
アクション選択ボタン３０２２は、その試験区分に係るアクション（以下、「アクション」という）の選択を指示するボタンである。アクション選択ボタン３０２２に対してクリック操作を行うことができる。
【０２００】
試験区分に係るアクションとして、入試方式コピー、入試方式設定完了、出願プレビュー、入試方式受付開始、評価対象ダウンロード、評価対象登録、評価結果ダウンロード、試験終了、アーカイブの作成、およびアーカイブのダウンロードがある。
【０２０１】
入試方式コピーは、設定が完了した当該試験区分の選考内容を他の試験区分にコピーすることである。入試方式設定完了は、当該試験区分に係る選考内容の設定を完了させることである。出願プレビューは、選考内容の設定が完了したことを条件として、設定された選考内容が受験生の画面にどのように表示されるのかを実際の受験生の回答画面でプレビュー確認することである。入試方式受付開始は、当該試験区分に係る選考内容に対する申請の受付を開始することである。
【０２０２】
評価対象登録は、前述の通り、当該試験区分に係る各選考内容に対する評価対象を選定し、その評価対象について評価担当者を設定することである。評価結果ダウンロードは、当該試験区分に係る特定試験科目の評価結果を表すデータ（ファイル）をダウンロードすることである。試験終了は、当該試験区分に係る特定科目試験を終了させることである。アーカイブの作成は、試験終了後に、全ての試験内容、申請内容、および評価結果をまとめたアーカイブファイルを作成することである。アーカイブのダウンロードは、アーカイブの作成で作成されたアーカイブファイルをダウンロードすることである。
【０２０３】
図３３に試験管理者ステータスとアクションの実行可否を示す。図３３に示すように、試験管理者ステータスに応じて選択可能なアクションが異なる。図３３において、各試験管理者ステータスに対して、「〇」が実行可能なアクションであり、「×」が実行不可能なアクションである。なお、アクションの種類も適宜に変更可能である。前述のアクションの他に、選考内容を編集できるアクションなどを設けることも可能である。
【０２０４】
試験管理者端末３は、詳細ボタン３０２１が操作されると、試験区分詳細コマンドを管理サーバ２に送信することで、そのボタン３０２１に係る試験区分の詳細に進むことを管理サーバ２に要求する。なお、試験区分詳細コマンドには、当該システム１にログインしている試験管理者の大学ＩＤ、およびその詳細ボタン３０２１に係る試験区分（学部学科・入試方式）に関する情報が含まれている。
【０２０５】
管理サーバ２は、試験区分詳細コマンドを受信すると、そのコマンドが示す試験区分に対する選考内容の設定が行われていることを示すデータ（選考内容設定中データ）をサーバ記憶部２３の所定領域に記憶すると共に、操作された詳細ボタン３０２１に係る試験区分に対する選考内容設定画面データを試験管理者端末３に送信する。試験管理者端末３は、選考内容設定画面データを受信すると、当該画面データに基づいて選考内容設定画面を表示する。選考内容設定画面について後述する。
【０２０６】
なお、管理サーバ２は、選考内容設定中データを記憶することによって、何れの試験区分について選考内容が設定されようとしているのかを特定することができる。また、管理サーバ２は、選考内容一覧画面データを送信する前提として、選考内容設定中データが示す試験区分ＩＤ、ならびにサーバ記憶部２３に記憶されている様々なデータなどに基づいて、試験区分詳細コマンドが示す試験区分に対する選考内容一覧画面データを作成する。以下において、選考内容一覧画面データのように、管理サーバ２が試験管理者端末３、受験生端末６、評価担当者端末４、および評価責任者端末５に何らかの画面を表示させるために画面データを送信する場合、試験管理者端末３等から送信されてきたデータやコマンド、さらにはサーバ記憶部２３に記憶されている様々なデータに基づいて、当該図面データを生成するものとする。
【０２０７】
試験管理者端末３は、アクション選択ボタン３０２２が操作されると、アクション選択コマンドを管理サーバ２に送信することで、そのボタン３０２３に係る試験区分に対するアクションを選択することを管理サーバ２に要求する。なお、アクション選択コマンドには、当該システム１にログインしている試験管理者の大学ＩＤ、およびそのボタン３０２２に係る試験区分に関する情報が含まれている。
【０２０８】
管理サーバ２は、アクション選択コマンドを受信すると、そのコマンドが示す大学ＩＤおよび試験区分に対するアクションの選択が行われていることを示すデータ（アクション選択中データ）をサーバ記憶部２３の所定領域に記憶すると共に、操作されたアクション選択ボタン３０２２に係る試験区分の試験管理者ステータスに応じたダウンリストデータを試験管理者端末３に送信する。試験管理者端末３は、ダウンリストデータを受信すると、当該ダウンリストデータに基づいてダウンリストを表示する。
【０２０９】
なお、管理サーバ２は、アクション選択中データを記憶することによって、何れの試験区分についてアクションが選択されているのかを特定することができる。
【０２１０】
図３４は、図３２の試験管理者トップ画面３０にダウンリスト２０２４が表示されている具体例である。図３４に示すダウンリスト２０２４は、試験管理者ステータスが「編集中」のときに表示されたダウンリスト２０２４である。図３４に示すように、ダウンリスト２０２４はアクション選択ボタン３０２２から表示される。ダウンリスト２０２４には、全てのアクションの名称の一覧が表示される。ここで、選択可能なアクションは太字で表示され、選択不可能なアクションは細字で表示される。
【０２１１】
ダウンリスト２０２４に表示されている選択可能なアクションの何れか１つに対してクリック操作、すなわちアクションの選択を行うことができる。試験管理者端末３は、選択可能なアクションに対して操作されると、選択アクションデータを管理サーバ２に送信することで、そのアクションに係る試験区分に対して当該アクションを実行することを管理サーバ２に要求する。なお、選択アクションデータには、当該システム１にログインしている試験管理者の大学ＩＤ、選択されたアクションに係る試験区分、および選択されたアクションに関する情報が含まれている。
【０２１２】
管理サーバ２は、選択アクションデータを受信すると、そのデータが示すアクションに応じたアクション実行画面データを試験管理者端末３に送信する。試験管理者端末３は、アクション実行画面データを受信すると、当該画面データに基づいて、その選択されたアクションに応じたアクション実行画面を表示する。
【０２１３】
なお、管理サーバ２は、アクション「入試方式設定完了」を示す選択アクションデータを受信すると、当該選択アクションデータが示す大学・試験区分（試験区分ＩＤ）に係る試験管理者ステータスデータの内容を「設定完了」に変更する。また、管理サーバ２は、アクション「入試方式受付開始」を示す選択アクションデータを受信すると、当該選択アクションデータが示す大学・試験区分（試験区分ＩＤ）に係る試験管理者ステータスデータの内容を「受付中」に変更する。
【０２１４】
また、試験管理者トップ画面３０の試験区分一覧表３０１の外側に、ログアウトボタン３０３が設けられている。ログアウトボタン３０３は、本システム１からログアウトするための操作を受け付けることができる。ログアウトボタン３０３に対する操作が行われると、試験管理者端末３は、本システム１からのログアウトを管理サーバ２に要求する。管理サーバ２は、これに応じて試験管理者端末３に試験管理者用ログイン画面を表示させる。
【０２１５】
次に、前述の選考内容設定画面について説明する。図３５は、選考内容設定画面の一例である。図３５に示す選考内容設定画面３２には、試験区分表示欄３２０と、選考内容入力欄３２１と、申請上限数入力欄３２２と、判定方式入力欄３２３と、追加ボタン３２５と、が設けられている。
【０２１６】
試験区分表示欄３２０は、現在行われている選考内容の設定の対象となる試験区分を表示する。この試験区分は、当該画面が表示される契機となる操作がなされた詳細ボタン３０２１に係る試験区分に対応している。
【０２１７】
選考内容入力欄３２１は、選考内容の名称を任意に入力する操作を受け付けることができる。選考内容の名称とは、例えば、特色加点、志望理由、および学習計画などの選考内容の主題のことである。
【０２１８】
申請上限数入力欄３２２は、１つの選考内容に対して申請可能な最大の申請件数を任意に入力する操作を受け付けることができる。申請上限数とは、例えば選考内容が活動実績である場合は、部活動、ボランティア活動、および資格取得など複数の活動実績を申請可能であるので、１つの選考に対する最大の申請数である。
【０２１９】
判定方式入力欄３２３は、判定方法の方式（判定方式）を選択する操作を受け付けることができる。前述のように、本実施形態では、判定方式として、合算判定とパターン判定が設けられている。具体的に、判定方式入力欄３２３は、ラジオボタンで構成されており、合算判定とパターン判定の何れか一方を選択可能に構成されている。なお、本実施形態では、選考内容設定画面３２が表示されたときには、判定方式入力欄３２３は、合算判定が選択されている状態になっている。
【０２２０】
追加ボタン３２５は、試験区分表示欄３２０が表示する試験区分に係る選考内容を追加するための操作を受け付けることができる。試験管理者端末３は、追加ボタン３２５が操作されると、選考内容追加コマンドを管理サーバ２に送信することで、選考内容入力欄３２１に入力されている選考内容の名称、申請上限数入力欄３２２に入力されている申請上限数、判定方式入力欄３２３で選択されている判定方式で構成される選考内容をその試験区分に追加することを管理サーバ２に要求する。
【０２２１】
なお、以下において、入力欄３２１〜３２３に入力されている内容（選考内容の名称、申請上限数、判定方式）を「選考内容基本事項」と称する。また、選考内容追加コマンドには、当該システム１にログインしている試験管理者の大学ＩＤ、試験区分表示欄３２０が表示する試験区分、および選考内容基本事項に関する情報が含まれている。
【０２２２】
管理サーバ２は、選考内容追加コマンドを受信すると、そのコマンドに基づいて、前述の選考内容基本情報を示す選考内容基本情報データを生成して選考内容基本情報テーブル２４ｄに登録する。なお、選考内容基本情報データには、当該試験区分における選考内容の順番（選考内容番号）も含ませる。この順番は、選考内容が追加された順番に応じて付与される。当該試験区分において最初に追加された選考内容の順番は「１」、２番目に追加された選考内容の順番は「２」となるようにする。そして、選考内容基本情報データにおいて、選考内容基本事項を、大学ＩＤ、試験区分、および選考内容番号に関連付ける。
【０２２３】
また、管理サーバ２は、選考内容基本情報データを選考内容基本情報テーブル２４ｄに登録すると、当該データに含まれる選考内容基本事項を後述する選考内容一覧表３２６に追加するためのデータを試験管理者端末３に送信する。試験管理者端末３は、そのデータを受信すると、選考内容基本事項が反映された新たな選考内容を選考内容一覧表３２６に追加する。
【０２２４】
選考内容一覧表３２６は、追加ボタン３２５の下に表示される。選考内容一覧表３２６の列を構成する項目として、選考内容を表す項目（選考内容項目）と、各選考内容に対する申請上限数および判定方式を表す項目（申請上限数判定方式項目）、選考内容ステータスを表す項目（選考内容ステータス項目）と、詳細事項設定ボタン３２７１が設けられる項目（詳細事項設定ボタン項目）と、選考内容削除ボタン３２７２が設けられる項目（選考内容削除ボタン項目）と、がある。
【０２２５】
選考内容一覧表３２６では、選考内容項目が基準項目であり、申請上限数判定方式項目、試験管理者ステータス項目、詳細事項設定ボタン項目、および選考内容削除ボタン項目が選考内容項目に関連付けられている。なお、後述するように、選考内容一覧表３２６の先頭行以外において、基準項目である選考内容項目、ならびに、その項目に関連付けられた申請上限数判定方式項目、試験管理者ステータス項目、詳細事項設定ボタン項目、および選考内容削除ボタン項目で構成される１行分を「選考内容レコード３２７」と称する。
【０２２６】
図３５に示されている選考内容一覧表３２６は、選考内容が１つも設定されていない状況のものである。すなわち、最初は、選考内容一覧表３２６には各項目を表す先頭行のみ表示されている。よって、選考内容レコード３２７は表示されていない。そして、前述のように、追加ボタン３２５が操作されると、入力された選考内容基本事項が選考内容一覧表３２６に反映されるが、この反映は当該選考内容基本事項を含む選考内容レコード３２７が選考内容一覧表３２６に追加されることで行われる。すなわち、選考内容入力欄３２１に入力されていた選考内容の名称は、追加された選考内容レコード３２７の選考内容項目に表示され、申請上限数入力欄３２２に入力されていた申請上限数、および判定方式入力欄３２３で選択された判定方式は、追加された選考内容レコード３２７の申請上限数判定方法項目に表示される。
【０２２７】
また、選考内容レコード３２７が追加されるとき、選考内容基本項目、および申請上限数判定方法項目に表示される内容は、その直前に入力欄３２１〜３２３に入力された内容に応じて異なるが、詳細事項設定ボタン項目および選考内容削除ボタン項目には、詳細事項設定ボタン３２７１および選考内容削除ボタン３２７２が一様に設けられる。さらに、選考内容ステータス項目には、その時の選考内容ステータスが表示される。
【０２２８】
ここで、選考内容レコード３２７が追加される具体例を説明する。例えば、図３５に示す状況において、選考内容入力欄３２１に「特色加点」が入力され、申請上限数入力欄３２２に「５」が入力され、判定方式入力欄３２３で「合算判定」が選択されて、追加ボタン３２５が操作されると、図３６に示すように、当該入力された選考内容基本事項を含んだ選考内容レコード３２７が選考内容一覧表３２６の項目の名称を表す行の直下に追加される。
【０２２９】
次に、同様に選考内容基本事項が入力されると、直近に追加された選考内容レコード３２７の真下に追加される（図示なし）。以降、追加ボタン３２５が操作される度に、同様に選考内容レコード３２７が追加されていく。また、選考内容レコード３２７に係る選考内容番号は、選考内容一覧表３２６における各項目を表す先頭行に近い方から、選考内容番号＝１、２、３・・・となる。
【０２３０】
詳細事項設定ボタン３２７１は、そのボタン３２７１が属する選考内容レコード３２７に含まれる選考内容項目に表示されている選考内容について選考内容の詳細事項を設定することを指示するボタンである。詳細事項設定ボタン３２７１に対してクリック操作を行うことができる。
【０２３１】
試験管理者端末３は、詳細事項設定ボタン３２７１が操作されると、詳細事項設定コマンドを管理サーバ２に送信することで、その詳細事項設定ボタン３２７１に係る選考内容についての詳細事項を設定する（詳細設定を行う）ことを管理サーバ２に要求する。なお、詳細事項設定コマンドには、当該システム１にログインしている試験管理者の大学ＩＤ、試験区分表示欄３２０に表示されている試験区分、および操作された詳細事項設定ボタン３２７１に係る選考内容に関する情報が含まれている。
【０２３２】
管理サーバ２は、詳細事項設定コマンドを受信すると、そのコマンドが示す選考内容の詳細設定が行われていることを示すデータ（詳細事項設定中データ）をサーバ記憶部２３の所定領域に記憶すると共に、操作された詳細事項設定ボタン３２７１に係る選考内容についての詳細事項設定画面データを試験管理者端末３に送信する。試験管理者端末３は、詳細事項設定画面データを受信すると、当該画面データに基づいて詳細事項設定画面を表示する。詳細事項設定画面について後述する。
【０２３３】
また、選考内容削除ボタン３２７２は、そのボタン３２７２が属する選考内容レコード３２７に含まれる選考内容項目に表示されている選考内容自体を削除することを指示するボタンである。選考内容削除ボタン３２７２に対してクリック操作を行うことができる。
【０２３４】
試験管理者端末３は、選考内容削除ボタン３２７２が操作されると、選考内容削除ボタンコマンドを管理サーバ２に送信することで、その選考内容削除ボタン３２７２に係る選考内容を削除することを管理サーバ２に要求する。なお、選考内容削除コマンドには、当該システム１にログインしている試験管理者の大学ＩＤ、試験区分表示欄３２０に表示されている試験区分、および操作された選考内容削除ボタン３２７２に係る選考内容に関する情報が含まれている。
【０２３５】
管理サーバ２は、選考内容削除コマンドを受信すると、そのコマンドが示す選考内容に係る選考内容基本情報データを選考内容基本情報テーブル２４ｄから削除する。なお、削除された選考内容基本情報データに係る選考内容番号よりも後の番号が存在する場合、その後の番号に係る選考内容情報データの選考内容番号を１つずつ繰り上げる。さらに、この削除に伴って、管理サーバ２は、削除された選考内容基本情報データに対応する選考内容レコード３２７を削除し、それより下に表示されている選考内容レコード３２７を上に詰めることを示すコマンドを試験管理者端末３に送信する。試験管理者端末３は、このコマンドを受信すると、削除された選考内容情報データに対応する選考内容レコード３２７を削除し、それより下に表示されている選考内容レコード３２７を上に詰める。
【０２３６】
また、選考内容一覧表３２６の直下には試験管理者トップ画面へ戻るボタン３２９が設けられている。試験管理者トップ画面へ戻るボタン３２９は、選考内容設定画面３２から試験管理者トップ画面３０に切り替えることを指示するボタンである。試験管理者トップ画面へ戻るボタン３２９に対してクリック操作を行うことができる。
【０２３７】
試験管理者端末３は、試験管理者トップ画面へ戻るボタン３２９が操作されると、試験管理者トップ画面切替コマンドを管理サーバ２に送信することで、選考内容設定画面３２から試験管理者トップ画面３０に切り替えることを管理サーバ２に要求する。これに応じて、管理サーバ２は、試験管理者端末３に試験管理者トップ画面データを送信する。そして、試験管理者端末３は、試験管理者トップ画面データを受信すると、選考内容設定画面３２から試験管理者トップ画面３０に切り替える。
【０２３８】
次に、詳細事項設定画面について説明する。図３７は、詳細事項設定画面の一例である。ここでは、図３６に表示されている詳細事項設定ボタン３２７１が操作されることによって表示された詳細事項設定画面とする。よって、この画面は、〇〇学部▲▲学科の推薦入試に係る選考内容「特色加点」についての詳細事項を設定するための画面となる。
【０２３９】
詳細事項設定画面３３には、試験区分・選考内容表示欄３３０と、詳細事項設定領域３３１と、が設けられている。
【０２４０】
試験区分・選考内容表示欄３３０には、現在行われている選考内容の詳細設定の対象となる試験区分が表示される試験区分領域３３０１と、現在行われている選考内容の詳細設定の対象となる選考内容が表示される選考内容領域３３０２とが設けられている。よって、図３７において、試験区分領域３３０１には「推薦入試｜〇〇学部▲▲学科」と表示され、選考内容領域３３０２には「特色加点」と表示されている。
【０２４１】
詳細事項設定領域３３１は、選考内容の詳細事項を設定するための表示領域であり、切替可能なページで構成されている。詳細には、詳細事項設定領域３３１は、評価観点の設定を行うページ（以下、「評価観点設定ページ」という）、評価者の設定を行うページ（以下、「評価者設定ページ」という）、設問の設定を行うページ（以下、「設問設定ページ」という）、および判定方式（合算判定／パターン判定）の判定方法を行うページ（以下、「判定方法設定ページ」という）を切り替えて表示させることが可能に構成されている。言い換えると、詳細事項設定領域３３１において、評価観点設定ページ、評価者設定ページ、設問設定ページ、および判定方法設定ページの何れかのページが表示される。
【０２４２】
また、詳細事項設定領域３３１の上端部には、各ページのタブとして機能する評価観点設定タブ３４０、評価者設定タブ３５０、設問設定タブ３６０、および判定方法設定タブ３７０が表示されている。
【０２４３】
評価観点設定タブ３４０、評価者設定タブ３５０、設問設定タブ３６０、および判定方法設定タブ３７０は、評価観点設定ページ、評価者設定ページ、設問設定ページ、および判定方法設定ページの何れが表示されているときでも表示されており、各ページに切り替えるための操作を受け付け可能に構成されている。
【０２４４】
評価観点設定タブ３４０が操作されると、試験管理者端末３は、管理サーバ２に対して評価観点設定ページへの切り替えを要求する。これにより、管理サーバ２は試験管理者端末３に評価観点設定ページを表示させる。同様に、評価者設定タブ３５０、設問設定タブ３６０、または判定方法設定タブ３７０が入力操作されると、試験管理者端末３は、管理サーバ２に対して評価者設定ページ、設問設定ページ、または判定方法設定ページへの切り替えを要求する。これにより、管理サーバ２は試験管理者端末３に評価者設定ページ、設問設定ページ、または判定方法設定ページを表示させる。
【０２４５】
なお、詳細は後述するが、判定方法設定ページは、合算判定の場合とパターン判定の場合とで異なる仕様になっている。そのため、管理サーバ２は、当該選考内容に係る選考内容基本情報データを確認して、当該データが示す判定方式に応じた判定方法設定ページを表示する。
【０２４６】
図３７に示すように、本実施形態では、詳細事項設定画面３３が表示されたとき、最初の初期状態として、詳細事項設定領域３３１に評価観点設定ページ３４が表示される。ここで、評価観点設定ページについて説明する。
【０２４７】
評価観点設定ページ３４には、評価観点内容設定領域３４−１と、評価観点追加ボタン３４７と、保存して次の設定へ進むボタン３４８と、保存して選考内容設定へ戻るボタン３４９と、が表示される。
【０２４８】
評価観点内容設定領域３４−１は、評価観点毎に設けられており、当該評価観点に関する各種事項を設定するための操作を受け付けることができる。評価観点内容設定領域３４−１には、観点番号表示欄３４１と、観点名入力欄３４２と、評価レベル一覧表３４３と、評価者数入力欄３４４と、評価レベル追加ボタン３４５と、評価観点削除ボタン３４６と、が表示されている。
【０２４９】
観点番号表示欄３４１は評価観点内容設定領域３４−１の上端部に帯状に設けられている。観点番号表示欄３４１には、評価観点を識別するための観点番号（図３７において「評価観点１」）が表示される。なお、後述するように評価観点内容設定領域３４−１が追加されることがあるが、最初から表示されている評価観点内容設定領域３４−１の観点番号表示欄３４１が示す観点番号は「１」となっている。すなわち、最初から表示されている評価観点内容設定領域３４−１に係る評価観点の観点番号は「１」である。
【０２５０】
観点名入力欄３４２は、当該評価観点の名称を任意に入力する操作を受け付けることができる。評価観点の名称は、例えば、総合評価、自主性評価、アドミッションポリシーとの整合性などその選考内容に対して受験生を評価するための判断見地で構成される。
【０２５１】
評価者数入力欄３４４は、当該評価観点に係る評価者数を任意に入力する操作を受け付けることができる。
【０２５２】
評価レベル一覧表３４３は、当該評価観点について設定される評価レベル、換言するとルーブリックを設定するための操作を受け付けることができる。評価レベル一覧表３４３を構成する項目として、評価レベル項目と、評価基準項目と、補足事項項目と、評価レベル削除項目と、がある。
【０２５３】
評価レベル一覧表３４３では、評価レベル項目が基準項目であり、評価基準項目、補足事項項目、および評価レベル削除項目が評価レベル項目に関連付けられている。なお、以下において、評価レベル一覧表３４３にて、基準項目である評価レベル項目、ならびにその項目に関連付けられた評価基準項目、補足事項項目、および評価レベル削除項目で構成される１行分を「評価レベルレコード３４３−１」と称する。
【０２５４】
評価レベル項目には、評価レベルを任意に入力する操作を受け付けることができる評価レベル入力欄３４３１が設けられている。評価レベルは、例えば「１」や「３」などの評価レベルを表す数字で構成される。
【０２５５】
評価基準項目には、評価レベル入力欄３４３１に入力された評価レベルに対する評価基準を任意に入力する操作を受け付けることができる評価基準入力欄３４３２が設けられている。評価基準は、例えば、「入学後の教育活動等に対して大きな貢献が期待できる能力・スキル・適性を持っていると判断できると共に、高い主体性が確認できる」や「何かしらの活動や実績および取り組みは確認できるが、本人の主体性や努力を感じられない」など当該評価観点に対する当該評価レベルの詳細な説明文で構成される。
【０２５６】
補足事項項目には、評価レベル入力欄３４３１に入力された評価レベルに対する補足事項を任意に入力する操作を受け付けることができる補足事項入力欄３４３３が設けられている。補足事項は、例えば、「ぜひ入学させたい」や「入学させない方がよい」など当該評価観点に対する当該評価レベルの簡易な説明文で構成される。
【０２５７】
評価レベル削除項目には、当該評価レベルレコード３４３−１を削除する操作を受け付けることができる評価レベル削除ボタン３４３４が設けられている。評価レベル削除ボタン３４３４が操作されると、試験管理者端末３は、管理サーバ２に対して、その評価レベル削除ボタン３４３４が含まれる評価レベルレコード３４３−１の削除を要求する。管理サーバ２は、この削除の要求に対して、試験管理者端末３にその評価レベルレコード３４３−１を削除させる。
【０２５８】
また、後述するように１つの評価レベル一覧表３４３において評価レベルレコード３４３−１が複数表示されることがある。この場合、削除される評価レベルレコード３４３−１よりも下に評価レベルレコード３４３−１が表示されていれば、管理サーバ２は、試験管理者端末３に、その下に表示されている評価レベルレコード３４３−１を削除された１行分上に詰めさせる。
【０２５９】
評価レベル追加ボタン３４５は、そのボタン３４５に係る評価観点内容設定領域３４−１に表示されている評価レベル一覧表３４３において評価レベルレコード３４３−１を１つ追加することを指示するボタンである。すなわち、評価レベル追加ボタン３４５は、当該ボタン３４５が表示されている評価観点内容設定領域３４−１に係る評価観点について評価レベルを１つ追加するためのボタンである。
【０２６０】
評価レベル追加ボタン３４５に対してクリック操作を行うことができる。評価レベル追加ボタン３４５が操作されると、試験管理者端末３は、管理サーバ２に対して、そのボタン３４５が設けられている評価観点内容設定領域３４−１における評価レベル一覧表３４３に新たな評価レベルレコード３４３−１を追加することを要求する。これにより、管理サーバ２は、試験管理者端末３に、その評価レベル一覧表３４３の中で一番下に配されている評価レベルレコード３４３−１の下に新たな評価レベルレコード３４３−１を追加させる。
【０２６１】
例えば、図３７に示すような状況で評価レベル追加ボタン３４５が操作されると、図３８のように、操作直前に一番下に表示されていた評価レベルレコード３４３−１と評価レベル追加ボタン３４５の間に挿入されるように、一番下に表示されていた評価レベルレコード３４３−１の下端に続けて新たな評価レベルレコード３４３−１が追加される。
【０２６２】
なお、新たに追加された評価レベルレコード３４３−１に含まれる評価レベル入力欄３４３１、評価基準入力欄３４３２、および補足事項入力欄３４３３はブランク状態で表示される。
【０２６３】
また、評価観点追加ボタン３４７は、評価観点内容設定領域３４−１を１つ追加することを指示するボタンである。すなわち、評価観点追加ボタン３４７は、試験区分・選考内容表示欄３３０に表示されている選考内容について評価観点を１つ追加するためのボタンである。
【０２６４】
評価観点追加ボタン３４７に対してクリック操作を行うことができる。評価観点追加ボタン３４７が操作されると、試験管理者端末３は、管理サーバ２に対して、新たな評価観点内容設定領域３４−１の追加を要求する。これにより、管理サーバ２は、試験管理者端末３に、その評価観点設定ページ３４の中で一番下に配されている評価観点内容設定領域３４−１の下に新たな評価観点内容設定領域３４−１を追加させる。
【０２６５】
例えば、図３８に示すような状況で評価観点追加ボタン３４７が操作されると、図３９に示すように、操作直前に一番下に表示されていた評価観点内容設定領域３４−１と評価観点追加ボタン３４７との間に挿入するように、評価観点内容設定領域３４−１が追加される。
【０２６６】
なお、図３９に示すように、最初に追加された評価観点内容設定領域３４−１は２つ目の評価観点に係るものであるので、当該評価観点内容設定領域３４−１の観点番号表示欄３４１に表示される観点番号は「２」となる。以降、評価観点内容設定領域３４−１が追加される度に、その評価観点内容設定領域３４−１に係る観点番号が「３」、「４」と大きくなっていく。
【０２６７】
さらに、新たに追加された評価観点内容設定領域３４−１には、当該評価観点設定ページが初めて表示されたときのように、１つの評価レベルレコード３４３−１が表示され、さらに観点名入力欄３４２、評価者数入力欄３４４、評価レベル入力欄３４３１、評価基準入力欄３４３２、および補足事項入力欄３４３３はブランク状態で表示される。
【０２６８】
また、評価観点削除ボタン３４６は、そのボタン３４６が表示されている評価観点内容設定領域３４−１の削除を指示するボタンである。すなわち、評価観点削除ボタン３４６は、試験区分・選考内容表示欄３３０に表示されている選考内容について評価観点を１つ削除するためのボタンである。
【０２６９】
評価観点削除ボタン３４６に対してクリック操作を行うことができる。評価観点削除ボタン３４６が操作されると、試験管理者端末３は、管理サーバ２に対して、その評価観点削除ボタン３４６が含まれる評価観点内容設定領域３４−１の削除を要求する。これにより、管理サーバ２は、試験管理者端末３にその評価観点内容設定領域３４−１を削除させる。
【０２７０】
なお、削除対象の評価観点内容設定領域３４−１の下に他の評価観点内容設定領域３４−１が表示されていた場合は、管理サーバ２は、試験管理者端末３に、評価観点内容設定領域３４−１を削除させつつ、その下に表示されている評価観点内容設定領域３４−１を削除された分上に詰めさせる。さらに、上に詰まった評価観点内容設定領域３４−１の観点番号表示欄３４１に表示されている観点番号を「１」つ小さくする。
【０２７１】
保存して次の設定へ進むボタン３４８は、評価観点設定ページ３４で入力操作などされた事項（評価観点設定事項）を示す情報（評価観点設定事項情報）、すなわち全ての評価観点内容設定領域３４−１で設定された情報、具体的には、観点番号表示欄３４１に表示されている観点番号（観点番号）について、観点名入力欄３４２に入力されている評価観点の名称（観点名）、評価者数入力欄３４３に入力されている評価者数、評価レベル入力欄３４３１に入力されている評価レベル、評価基準入力欄３４３２に入力されている評価基準、および補足事項入力欄３４３３に入力されている補足事項の保存（登録）、ならびに次の設定内容である評価者の設定を指示するボタンである。
【０２７２】
また、保存して選考内容設定へ戻るボタン３４９は、評価観点設定事項情報の保存、および詳細事項設定画面３３から選考内容設定画面３２への切り替えを指示するボタンである。
【０２７３】
保存して次の設定へ進むボタン３４８に対してクリック操作を行うことができる。保存して次の設定へ進むボタン３４８が操作されると、試験管理者端末３は、管理サーバ２に対して、評価観点設定事項情報の保存および評価者の設定に進むを要求する。具体的に、試験管理者端末３は、評価観点設定事項情報を含むデータ（評価観点設定事項情報データ）、および評価者の設定に進むことを示す評価者設定コマンドを管理サーバ２へ送信する。
【０２７４】
また、保存して選考内容設定へ戻るボタン３４９に対してクリック操作を行うことができる。保存して選考内容設定へ戻るボタン３４９が操作されると、試験管理者端末３は、管理サーバ２に対して、評価観点設定事項情報の保存および詳細事項設定画面３３から選考内容設定画面３２への切り替えを要求する。具体的に、試験管理者端末３は、評価観点設定事項情報データ、および選考内容設定画面３２へ切り替えることを示す選考内容設定画面表示コマンドを管理サーバ２へ送信する。
【０２７５】
なお、試験管理者端末３は、評価観点設定事項情報データに、当該システム１にログインしている試験管理者の大学ＩＤ、試験区分・選考内容表示欄３３０に表示されている試験区分および選考内容に関する情報を含ませる。
【０２７６】
管理サーバ２は、評価観点設定事項情報データを受信すると、そのデータに基づいて、前述の評価観点基本情報を示す評価観点基本情報データを生成して評価観点基本情報テーブル２４ｅに登録すると共に、前述の評価レベル情報を示す評価レベル情報データを生成して評価レベル情報テーブル２４ｆに登録する。
【０２７７】
評価観点基本情報データは観点番号単位で生成され、評価観点基本情報データでは、試験区分ＩＤ、および選考内容を観点番号に関連付け、さらに観点名および評価者数を観点番号に関連付ける（図９参照）。一方、評価レベル情報データは評価レベル単位で生成され、評価レベル情報データでは、試験区分ＩＤ、選考内容、および観点番号を評価レベルに関連付け、さらに評価基準および補足事項を評価レベルに関連付ける（図１０参照）。
【０２７８】
なお、管理サーバ２は、当該選考内容について最初に評価観点基本情報データを評価観点基本情報テーブル２４ｅに登録すると、当該選考内容に係る試験管理者ステータスデータの内容を「編集中」に変更すると共に、当該選考内容に係る選考内容ステータスデータの内容を「編集中」に変更する。
【０２７９】
管理サーバ２は、評価者設定コマンドを受信すると、登録した評価観点基本情報データなどに基づいて、評価者設定ページデータを生成して試験管理者端末３に送信する。試験管理者端末３は、評価者設定ページデータを受信すると、当該データに基づいて評価観点設定ページ３４から評価者設定ページ３５に切り替える。
【０２８０】
管理サーバ２は、選考内容設定画面表示コマンドを受信すると、選考内容設定画面データを試験管理者端末３に送信する。試験管理者端末３は、選考内容設定画面データを受信すると、当該データに基づいて詳細事項設定画面３３から選考内容設定画面３２に切り替える。このとき、その直前まで表示されていた詳細事項設定画面３３に係る選考内容について試験管理者ステータス項目は「編集中」となっている。
【０２８１】
（評価者設定ページ）
次に、評価者を設定する評価者設定ページについて説明する。図４０は、評価者設定ページが表示されているときの詳細事項設定画面の一例を示す図である。図４０に示す評価者設定ページ３５は評価者設定ページの初期状態を表している。評価者設定ページ３５には、評価者設定タブ３５０と、評価責任者入力欄３５１と、評価担当者・観点一覧表３５２と、評価担当者追加ボタン３５７と、保存して次の設定へ進むボタン３５８と、保存して選考内容設定へ戻るボタン３５９と、が含まれている。
【０２８２】
評価責任者入力欄３５１は、試験区分・選考内容表示欄３３０に表示されている選考内容の評価責任者を設定するための情報を任意に入力する操作を受け付けることができる。本実施形態では、評価責任者を設定するための情報として、メールアドレスが設定されているが、その情報の種類は、職員ＩＤや氏名など適宜に変更しても良い。
【０２８３】
評価担当者・観点一覧表３５２は、試験区分・選考内容表示欄３３０に表示されている選考内容に係る評価を担当する評価担当者と、各評価担当者が評価する評価観点およびその評価観点に対する重み（観点重み）とを設定するための操作を受け付けることができる。評価担当者・観点一覧表３５２を構成する項目として、評価担当者項目と、評価観点項目と、評価担当者削除項目と、がある。評価担当者・観点一覧表３５２の先頭行は、各項目を表している。
【０２８４】
評価担当者・観点一覧表３５２では、評価担当者項目が基準項目であり、評価観点項目、および評価担当者削除項目が評価担当者項目に関連付けられている。なお、以下において、評価担当者・観点一覧表３５２の先頭行を除く部分にて、基準項目である評価担当者項目、ならびにその項目に関連付けられた評価観点項目、および評価担当者削除項目で構成される１行分を「評価担当者レコード３５２−１」と称する。
【０２８５】
評価観点項目においては、評価観点設定ページ３４で設定された評価観点設定事項が反映される。詳細には、評価観点設定ページ３４で設定された評価観点が、評価担当者・観点一覧表３５２の評価観点項目を構成する。図３４には３つ（３列分）の評価観点項目が設けられているので、評価観点設定ページ３４で３つの評価観点が設定されていたことになる。
【０２８６】
なお、評価観点項目の先頭行には、観点番号、およびその観点番号に係る評価者数が表示される。観点番号が上段に表示され、評価者数が下段に括弧つきで表示されている。なお、図４０の各評価観点項目の先頭行の下段には「（２）」と表示されているので、評価観点設定ページ３４で３つの各評価観点について評価者数「２人」が設定されていたことになる。
【０２８７】
評価担当者レコード３５２−１における評価担当者項目には、評価担当者を特定するための情報を任意に入力する操作を受け付けることができる評価担当者入力欄３５２１が設けられている。本実施形態では、評価担当者を特定するための情報として、メールアドレスが設定されているが、その情報の種類は、職員ＩＤや氏名など適宜に変更しても良い。
【０２８８】
評価担当者レコード３５２−１における評価観点項目には、その評価観点に係る観点重みを任意に入力する操作を受け付けることができる観点重み入力欄３５２２が設けられている。評価担当者レコード３５２−１に入力された評価担当者は、その評価担当者レコード３５２−１に対して観点重みが入力された評価観点について評価を行う。すなわち、観点重みを入力することがその評価担当者が担当する評価観点を設定することを兼ねており、観点重みが入力された評価観点がその評価担当者レコード３５２−１に入力された評価担当者が担当する評価観点となる。
【０２８９】
なお、観点重みが「１」に設定されているときに、評価レベル１と評価されると、その評価観点に対する得点は１点（＝１点×観点重み「１」）となる。また、観点重みが「２」に設定されているときに、評価レベル１と評価されると、その評価観点に対する得点は２点（＝１点×観点重み「２」）となる。なお、以下において、各評価担当者が評価した評価レベルに観点重みを乗じた値を「評価スコア」と称する。
【０２９０】
評価担当者レコード３５２−１における評価担当者削除項目には、その評価担当者レコード３５２−１を削除する操作を受け付けることができる評価担当者削除ボタン３５２３が設けられている。評価担当者削除ボタン３５２３が操作されると、試験管理者端末３は、管理サーバ２に対して、その評価担当者削除ボタン３５２３が含まれる評価担当者レコード３５２−１の削除を要求する。これにより、管理サーバ２は、試験管理者端末３にその評価担当者レコード３５２−１を削除させる。
【０２９１】
また、後述するように１つの評価担当者・観点一覧表３５２において評価担当者レコード３５２−１が複数表示されることがある。この場合、削除される評価担当者レコード３５２−１よりも下に評価担当者レコード３５２−１が表示されていれば、管理サーバ２は、試験管理者端末３に、その下に表示されている評価担当者レコード３５２−１を削除された１行分上に詰めさせる。
【０２９２】
評価担当者追加ボタン３５７は、評価担当者・観点一覧表３５２において評価担当者レコード３５２−１を１つ追加することを指示するボタンである。すなわち、評価担当者追加ボタン３５７は、選考内容領域３３０２に表示されている選考内容について評価担当者を１人追加するためのボタンである。
【０２９３】
評価担当者追加ボタン３５７に対してクリック操作を行うことができる。評価担当者追加ボタン３５７が操作されると、試験管理者端末３は、管理サーバ２に対して、評価担当者・観点一覧表３５２に新たな評価担当者レコード３５２−１を追加することを要求する。これにより、管理サーバ２は、評価観点基本情報テーブル２４ｅに登録されている当該選考内容に係る評価観点基本情報データなどに基づいて、試験管理者端末３に、その評価担当者・観点一覧表３５２の中で一番下に配されている評価担当者レコード３５２−１の下に新たな評価担当者レコード３５２−１を追加させる。
【０２９４】
例えば、図４０に示すような状況で評価担当者追加ボタン３５７が操作されると、図４１のように、操作直前に一番下に表示されていた評価担当者レコード３５２−１の下端に続けて新たな評価担当者レコード３５２−１が追加される。なお、新たに追加された評価担当者レコード３５２−１に含まれる評価担当者入力欄３５２１、および観点重み入力欄３５２２はブランク状態で表示される。
【０２９５】
また、保存して次の設定へ進むボタン３５８は、評価者設定ページ３５で設定された事項（評価者設定事項）を示す情報（評価者設定事項情報）、具体的には、評価責任者入力欄３５１に入力された評価責任者のメールアドレス、評価担当者入力欄３５２１に入力された評価担当者のメールアドレス、および観点重み入力欄３５２２に入力された観点重みとその観点番号の保存、ならびに次の設定内容である設問の設定に進むことを指示するボタンである。
【０２９６】
保存して次の設定へ進むボタン３５８に対してクリック操作を行うことができる。保存して次の設定へ進むボタン３５８が操作されると、試験管理者端末３は、管理サーバ２に対して、評価者設定事項情報の保存および設問の設定へ進むことを要求する。具体的に、試験管理者端末３は、評価者設定事項情報を含むデータ（評価者設定事項情報データ）、および設問の設定に進むことを示す設問設定コマンドを管理サーバ２へ送信する。
【０２９７】
また、保存して選考内容設定へ戻るボタン３５９は、評価者設定事項情報の保存、および詳細事項設定画面３３から選考内容設定画面３２への切り替えを指示するボタンである。
【０２９８】
保存して選考内容設定へ戻るボタン３５９に対してクリック操作を行うことができる。保存して選考内容設定へ戻るボタン３５９が操作されると、試験管理者端末３は、管理サーバ２に対して、評価者設定事項情報の保存および詳細事項設定画面３３から選考内容設定画面３２への切り替えを要求する。具体的に、試験管理者端末３は、評価者設定事項情報データ、および選考内容設定画面３２へ切り替えることを示す選考内容設定画面表示コマンドを管理サーバ２へ送信する。
【０２９９】
なお、試験管理者端末３は、評価者設定事項情報データに、当該システム１にログインしている試験管理者の大学ＩＤ、試験区分・選考内容表示欄３３０に表示されている試験区分および選考内容に関する情報を含ませる。
【０３００】
管理サーバ２は、評価者設定事項情報データを受信すると、そのデータに基づいて、前述の評価責任者情報データを生成して評価責任者情報テーブル２４ｈに登録すると共に、前述の評価担当者情報データを生成して評価担当者情報テーブル２４ｇに登録する。
【０３０１】
評価責任者情報データは選考内容単位で生成され、評価責任者情報データでは、試験区分ＩＤ、および選考内容を評価責任者の職員ＩＤに関連付ける（図１２参照）。一方、評価担当者情報データは観点番号単位で生成され、評価担当者情報データでは、試験区分ＩＤ、選考内容、評価担当者番号、職員ＩＤを観点番号に関連付け、さらに観点重みを観点番号に関連付ける（図１１参照）。
【０３０２】
管理サーバ２は、設問設定コマンドを受信すると、評価観点基本情報テーブル２４ｅに登録されている評価観点基本情報データなどに基づいて、設問設定ベージデータを生成して試験管理者端末３に送信する。試験管理者端末３は、設問設定ベージデータを受信すると、当該データに基づいて評価者設定ページ３５から設問設定ページ３６に切り替える。
【０３０３】
また、管理サーバ２は、選考内容設定画面表示コマンドを受信すると、選考内容設定画面データを試験管理者端末３に送信する。試験管理者端末３は、選考内容設定画面データを受信すると、当該データに基づいて詳細事項設定画面３３から選考内容設定画面３２に切り替える。
【０３０４】
（設問設定ページ）
次に、選考内容に対する受験生への設問を設定する設問設定ページについて説明する。図４２は、設問設定ページが表示されているときの詳細事項設定画面の一例を示す図である。図４２に示す設問設定ページ３６は設問設定ページの初期状態を表している。設問設定ページ３６には、設問内容設定領域３６−１と、設問追加ボタン３６７と、保存して次の設定へ進むボタン３６８と、保存して選考内容設定へ戻るボタン３６９と、が表示される。
【０３０５】
設問内容設定領域３６−１は、設問毎に設けられ、設問の内容を設定するための操作を受け付けることができる。設問内容設定領域３６−１には、設問番号表示欄３６１と、設問タイトル入力欄３６２と、設問教示文入力欄３６３と、最大文字数入力欄３６４と、対応観点入力欄３６５と、設問削除ボタン３６６と、が設けられている。
【０３０６】
設問番号表示欄３６１は設問内容設定領域３６−１の上端部に帯状に設けられている。設問番号表示欄３６１には、設問を識別するための設問番号が表示される。なお、後述するように設問内容設定領域３６−１は追加されることがあるが、最初から表示されている設問内容設定領域３６−１の設問番号表示欄３６１が示す設問番号は「１」となっている。すなわち、最初から表示されている設問内容設定領域３６−１に係る設問の設問番号は「１」である。
【０３０７】
設問タイトル入力欄３６２は、当該設問のタイトル（題目）を任意に入力する操作を受け付けることができる。また、設問教示文入力欄３６３は、当該設問の内容を説明する教示文を任意に入力する操作を受け付けることができる。最大文字数入力欄３６４は、受験生の設問に対する回答の最大文字数を任意に入力する操作を受け付けることができる。
【０３０８】
対応観点入力欄３６５は、当該設問に対する評価観点（対応観点）を選択する操作を受け付けることができる。対応観点入力欄３６５には、評価観点設定ページ３４で設定された全ての観点番号に対応したチェックボックスが観点番号順に左から右に一列に並んで表示されている。チェックボックスの上には、そのチェックボックスに係る観点番号および観点名が表示されている。
【０３０９】
なお、図４２では、対応観点入力欄３６５に、観点１・総合評価、観点２・自主性評価、および観点３・アドミッションポリシーとの整合性と表示されているので、評価観点設定ページ３４で、「総合評価」という評価観点１、「自主性評価」という評価観点２、および「アドミッションポリシーとの整合性」という評価観点３の３つの評価観点が設定されていたことになる。
【０３１０】
また、設問追加ボタン３６７は、設問設定ページ３６において設問内容設定領域３６−１を１つ追加することを指示するボタンである。すなわち、設問追加ボタン３６７は、試験区分・選考内容表示欄３３０に表示されている選考内容について設問を１つ追加するためのボタンである。
【０３１１】
設問追加ボタン３６７に対してクリック操作を行うことができる。設問追加ボタン３６７が操作されると、試験管理者端末３は、管理サーバ２に対して、新たな設問内容設定領域３６−１の追加を要求する。これにより、管理サーバ２は、試験管理者端末３に、その設問設定ページ３６の中で一番下に配されている設問内容設定領域３６−１の下に新たな設問内容設定領域３６−１を追加させる。
【０３１２】
例えば、図４２に示すような状況で設問追加ボタン３６７が操作されると、図４３に示すように、操作直前に一番下に表示されていた設問内容設定領域３６−１と設問追加ボタン３６７との間に挿入させるように、設問内容設定領域３６−１を追加させる。
【０３１３】
なお、図４３に示すように、最初に追加された設問内容設定領域３６−１は２つ目の設問に係るものであるので、当該設問内容設定領域３６−１の設問番号表示欄３６１に表示される設問番号は「２」となる。以降、設問内容設定領域３６−１が追加される度に、その設問内容設定領域３６−１に係る設問番号が「３」、「４」と大きくなっていく。また、新たに追加された設問内容設定領域３６−１に設けられた対応観点入力欄３６５のチェックボックスは、ブランク状態で表示される。
【０３１４】
また、設問削除ボタン３６６は、そのボタン３６６が表示されている設問内容設定領域３６−１の削除を指示するボタンである。すなわち、設問削除ボタン３６６は、試験区分・選考内容表示欄３３０に表示されている選考内容について設問を１つ削除するためのボタンである。
【０３１５】
設問削除ボタン３６６に対してクリック操作を行うことができる。設問削除ボタン３６６が操作されると、試験管理者端末３は、管理サーバ２に対して、その設問削除ボタン３６６が含まれる設問内容設定領域３６−１の削除を要求する。これにより、管理サーバ２は、試験管理者端末３にその設問内容設定領域３６−１を削除させる。
【０３１６】
なお、削除対象の設問内容設定領域３６−１の下に他の設問内容設定領域３６−１が表示されていた場合は、管理サーバ２は、試験管理者端末３に、設問内容設定領域３６−１を削除させつつ、その下に表示されている設問内容設定領域３６−１を削除された分上に詰めさせる。さらに、上に詰まった設問内容設定領域３６−１の設問番号表示欄３６１に表示されている設問番号が「１」つ小さくなる。
【０３１７】
また、保存して次の設定へ進むボタン３６８は、設問設定ページ３６で設定された事項（設問設定事項）を示す情報（設問設定事項情報）、すなわち全ての設問内容設定領域３６−１で設定された情報、具体的には、設問番号表示欄３６１に表示されている設問番号について、設問タイトル入力欄３６２に入力されている設問のタイトル（設問タイトル）、設問教示文入力欄３６３に入力されている設問の教示文（設問教示文）、最大文字数入力欄３６４に入力されている回答の最大文字数、および対応観点入力欄３６５で選択されている観点番号（対応観点）の保存、ならびに次の設定内容である判定方法の設定に進むことを指示するボタンである。
【０３１８】
保存して次の設定へ進むボタン３６８に対してクリック操作を行うことができる。保存して次の設定へ進むボタン３６８が操作されると、試験管理者端末３は、管理サーバ２に対して、設問設定事項情報の保存および判定方法の設定に進むことを要求する。具体的に、試験管理者端末３は、設問設定事項情報を含むデータ（設問設定事項情報データ）、および判定方法の詳細設定に進むことを示す判定方法詳細設定コマンドを管理サーバ２へ送信する。
【０３１９】
また、保存して選考内容設定へ戻るボタン３６９は、設問設定事項情報の保存、および詳細事項設定画面３３から選考内容設定画面３２への切り替えを指示するボタンである。
【０３２０】
保存して選考内容設定へ戻るボタン３６９に対してクリック操作を行うことができる。保存して選考内容設定へ戻るボタン３４９が操作されると、試験管理者端末３は、管理サーバ２に対して、設問設定事項情報の保存および詳細事項設定画面３３から選考内容設定画面３２への切り替えを要求する。具体的に、試験管理者端末３は、設問設定事項情報データ、および選考内容設定画面３２へ切り替えることを示す選考内容設定画面表示コマンドを管理サーバ２へ送信する。
【０３２１】
なお、試験管理者端末３は、設問設定事項情報データに、当該システム１にログインしている試験管理者の大学ＩＤ、試験区分・選考内容表示欄３３０に表示されている試験区分および選考内容に関する情報を含ませる。
【０３２２】
管理サーバ２は、設問設定事項情報データを受信すると、そのデータに基づいて、前述の設問情報データを生成して設問情報テーブル２４ｉに登録する。
【０３２３】
設問情報データは設問番号単位で生成され、設問情報データでは、試験区分ＩＤ、および選考内容を設問番号に関連付け、さらに設問タイトル、設問教示文、最大文字数、および対応観点を設問番号に関連付ける（図１３参照）。
【０３２４】
また、管理サーバ２は、判定方法設定コマンドを受信すると、登録されている選考内容基本情報データ、評価観点基本情報データ、および評価担当者情報データなどに基づいて、判定方法設定ベージデータを生成して試験管理者端末３に送信する。試験管理者端末３は、判定方法設定ベージデータを受信すると、当該データに基づいて設問設定ページ３６から、後述する合算判定方法設定ページ３７またはパターン判定方法設定ページ３８に切り替える。
【０３２５】
また、管理サーバ２は、選考内容設定画面表示コマンドを受信すると、選考内容設定画面データを試験管理者端末３に送信する。試験管理者端末３は、選考内容設定画面データを受信すると、当該データに基づいて詳細事項設定画面３３から選考内容設定画面３２に切り替える。
【０３２６】
（判定方法設定ページ：合算判定）
次に、判定方法の設定を行う判定方法設定ページについて説明する。判定方法設定ページは、前述の選考内容設定において選択された判定方式が合算判定であるかパターン判定であるかで異なる。判定方式によって、判定方法の設定が異なるからである。判定方法設定ページには、当該選考内容について合算判定が設定された場合に表示される合算判定方法設定ページと、当該選考内容についてパターン判定が設定された場合に表示されるパターン判定方法設定ページと、がある。よって、管理サーバ２は、登録されている選考内容基本情報データに基づいて、何れのページを表示させるかを確認する。最初に、合算判定方法設定ページについて説明する。
【０３２７】
図４４は、合算判定方法設定ページが表示されているときの詳細事項設定画面の一例を示す図である。図４４に示す合算判定方法設定ページ３７は初期状態を表している。合算判定方法設定ページ３７には、算出方法入力欄３７１と、合算基礎点入力欄３７２と、保存して選考内容設定へ戻るボタン３７９と、が表示される。
【０３２８】
算出方法入力欄３７１は、観点別得点の算出方法（観点別得点算出方法）を選択する操作を受け付けることができる。算出方法入力欄３７１には、選択可能な算出方法と各算出方法に対応するラジオボタンが表示される。すなわち、算出方法入力欄３７１に表示される観点別得点算出方法の中で何れか１つのみを選択することができる。本実施形態では、観点別得点算出方法として、評価観点別に評価担当者全員の合計点を算出する方法と、評価観点別に評価担当者全員の平均点を算出する方法と、が設定されている。初期状態では、前者が選択されている。なお、観点別得点算出方法はこれらに限られず適宜にしても良い。
【０３２９】
合算基礎点入力欄３７２は、合算基礎点を任意に入力する操作を受け付けることができる。後述するように、観点別得点の小計と合算基礎点を乗算した値が、１つの申請に対する申請別得点となる。
【０３３０】
また、保存して選考内容の設定へ戻るボタン３７９は、合算判定方法設定ページ３７で設定された事項（合算判定方法設定事項）を示す情報（合算判定方法設定事項情報）、具体的には、算出方法入力欄３７１で選択されている観点別得点算出方法、および合算基礎点入力欄３７２に入力されている合算基礎点の保存、ならびに詳細事項設定画面３３から選考内容設定画面３２への切り替えを指示するボタンである。
【０３３１】
保存して次の設定へ戻るボタン３７９に対してクリック操作を行うことができる。保存して次の設定へ戻るボタン３７９が操作されると、試験管理者端末３は、管理サーバ２に対して、合算判定方法設定事項情報の保存および選考内容設定画面３２への切り替えを要求する。具体的に、試験管理者端末３は、合算判定方法設定事項情報を含むデータ（合算判定方法設定内容情報データ）、および選考内容設定画面３２へ切り替えることを示す選考内容設定画面表示コマンドを管理サーバ２へ送信する。
【０３３２】
なお、試験管理者端末３は、合算判定方法設定事項情報データに、当該システム１にログインしている試験管理者の大学ＩＤ、試験区分・選考内容表示欄３３０に表示されている試験区分および選考内容に関する情報を含ませる。
【０３３３】
管理サーバ２は、合算判定設定方法事項情報データを受信すると、そのデータに基づいて、前述の合算判定方法情報データを生成して合算判定方法情報テーブル２４ｊに登録する。
【０３３４】
合算判定方法情報データは選考内容単位で生成され、合算判定方法情報データでは、試験区分ＩＤ、および選考内容を観点別得点算出方法および合算基礎点に関連付ける（図１４参照）。
【０３３５】
また、管理サーバ２は、選考内容設定画面表示コマンドを受信すると、選考内容設定画面データを試験管理者端末３に送信する。試験管理者端末３は、選考内容設定画面データを受信すると、当該データに基づいて詳細事項設定画面３３から選考内容設定画面３２に切り替える。
【０３３６】
（判定方法設定ページ：パターン判定）
【０３３７】
次に、パターン判定方法設定ページについて説明する。図４５は、パターン判定方法設定ページが表示されているときの詳細事項設定画面の一例を示す図である。図４５に示すパターン判定方法設定ページ３８は初期状態を表している。パターン判定方法設定ページ３８には、パターン基礎点入力欄３８１と、組合わせパターン一覧表３８２と、保存して選考内容設定へ戻るボタン３８９と、が表示される。
【０３３８】
パターン基礎点入力欄３８１は、パターン判定に基づいて申請別得点を算出するためのパターン基礎点を任意に入力する操作を受け付けることができる。後ある選考内容の申請に対して全ての評価担当者が個別評価を行った結果、何れかの評価結果パターンが導出されるが、そのパターンに対する重み（パターン重み）とパターン基礎点を乗算した値がその申請に対する申請別得点となる。
【０３３９】
組合わせパターン一覧表３８２は、ある選考内容の各評価観点に係る評価結果パターンについて、パターン重みを設定して申請別得点を算出するか協議にするかを選択するための操作を受け付けることができる。
【０３４０】
組合わせパターン一覧表３８２を構成する項目として、評価レベル人数組合わせパターン項目と、パターン重み項目と、がある。評価レベル人数組合わせパターン項目は、さらに当該選考内容の評価観点に設定された評価レベルで分けられている。図４５では評価結果パターン一覧表３８２の左側から３列分が評価結果パターン項目（評価レベル「３」の列、評価レベル「２」の列、評価レベル「１」の列）を構成している。
【０３４１】
また、評価結果パターン一覧表３８２では、設定された評価レベルとその評価レベルに採点した評価担当者の人数との組み合わせを表す全ての評価結果パターンが表示されている。図４５では、評価レベル１〜評価レベル３が設定され、評価担当者の人数が３名に設定された場合の評価結果パターン一覧表３８２が表示されている。そして、各評価結果パターンに対して１つのパターン重み項目が設定される。すなわち、１つの評価結果パターンと、それに対するパターン重み項目とで１つの行が構成される。
【０３４２】
評価レベル人数組合わせパターン項目においては、評価観点設定ページ３４で設定された評価観点設定事項が反映される。すなわち、評価観点設定ページ３４で設定された評価レベルが、評価担当者・観点一覧表３５２の評価レベル人数組合わせパターン項目の各列を構成する。図４５には３つ（３列分）の評価レベル人数組合わせパターン項目が設けられているので、評価観点設定ページ３４で３つの評価レベルが設定されていたことになる。
【０３４３】
各パターン重み項目には、その評価レベル人数組合わせパターンについてパターン重みを付けるか協議にするかを選択する操作を受け付けることができる重み協議選択ボタン３８３が設けられている。これは、基本的には評価レベル人数組合わせパターンにパターン重みを対応付けて観点別得点を算出するが、個別評価結果である評価レベルのバラつきが大きい評価レベル人数組合わせパターンに対しては評価責任者に判断を委ねる協議を適用することが好ましいからである。重み協議選択ボタン３８３はラジオボタンで構成されている。すなわち、重み協議選択ボタン３８３は、パターン重みを付けることを選択するボタンと、協議を選択するボタンと、で構成されている。
【０３４４】
また、各パターン重み項目には、パターン重みを付けることを選択するボタンに対応して、パターン重みを任意に入力する操作を受け付けることができるパターン重み入力欄３８４が設けられている。なお、各パターン重み項目において、協議を選択するボタンに対応して「協議」という文字が表示されている。
【０３４５】
また、保存して選考内容の設定へ戻るボタン３８９は、パターン判定方法設定ページ３８で設定された事項（パターン判定設定事項）を示す情報（パターン判定方法設定事項情報）、具体的には、パターン基礎点入力欄３８１に入力されているパターン基礎点、重み協議選択ボタン３８３で選択されている重み／協議、およびパターン重み入力欄３８４に入力されているパターン重みの保存、ならびに詳細事項設定画面３３から選考内容設定画面３２への切り替えを指示するボタンである。
【０３４６】
保存して次の設定へ戻るボタン３８９に対してクリック操作を行うことができる。保存して次の設定へ戻るボタン３８９が操作されると、試験管理者端末３は、管理サーバ２に対して、パターン判定方法設定事項情報の保存および選考内容設定画面３２への切り替えを要求する。具体的に、試験管理者端末３は、パターン設定方法事項情報を含むデータ（パターン判定方法設定事項情報データ）、および選考内容設定画面３２へ切り替えることを示す選考内容設定画面表示コマンドを管理サーバ２へ送信する。
【０３４７】
なお、試験管理者端末３は、パターン判定設定事項情報データに、当該システム１にログインしている試験管理者の大学ＩＤ、試験区分・選考内容表示欄３３０に表示されている試験区分および選考内容に関する情報を含ませる。また、各評価結果パターンに係る重み／協議、およびパターン重みについては、評価結果パターン一覧表３８２における評価レベル人数組合わせパターンの上からの順番をパターン番号として、対応する評価レベル人数組合わせパターンに係るパターン番号を付した形でパターン判定方法設定事項情報データを管理サーバ２へ送信する。
【０３４８】
管理サーバ２は、パターン判定方法設定事項情報データを受信すると、そのデータに基づいて、前述のパターン判定方法情報データを生成してパターン判定方法情報テーブル２４ｋに登録する。
【０３４９】
パターン判定方法情報データはパターン番号単位で生成され、パターン判定方法情報データでは、試験区分ＩＤ、および選考内容をパターン番号に関連付け、さらに、パターン内容（評価レベル人数組合わせパターンの具体的な内容：評価レベルとその評価レベルに採点した人数）、パターン重み、重み／協議、およびパターン基礎点をパターン番号に関連付ける（図１５参照）。
【０３５０】
また、管理サーバ２は、選考内容設定画面表示コマンドを受信すると、選考内容設定画面データを試験管理者端末３に送信する。試験管理者端末３は、選考内容設定画面データを受信すると、当該データに基づいて詳細事項設定画面３３から選考内容設定画面３２に切り替える。
【０３５１】
次に、受験生端末６に表示される申請一覧画面、および回答画面について説明する。最初に、申請一覧画面について説明する。前述の通り、受験生トップ画面においてある試験区分について申請を行うための入力操作が行われると、その試験区分に係る申請一覧画面が表示される。
【０３５２】
図４６は、申請一覧画面の一例を表す図である。図４０に示す申請一覧画面６１は、ある大学の試験区分に対する申請一覧画面６１が初めて表示された状況のものである。申請一覧画面６１には、大学・試験区分表示欄６１１と、２つの申請一覧領域６１−１と、受験生トップ画面に戻るボタン６１９が表示されている。
【０３５３】
大学・試験区分表示欄６１１には、現在行われている申請の対象となる大学および試験区分が表示される。図４６では「△△大学｜〇〇学部▲▲学科｜推薦入試」と表示されている。
【０３５４】
申請一覧領域６１−１は、大学・試験区分表示欄６１１に表示されている大学・試験区分に対して設定された選考内容ごとに設けられており、後述するように、各選考内容に対して申請を追加・編集・削除するための操作を受け付けることができる。初期状態において、各申請一覧領域６１−１には、選考内容表示欄６１２と、申請追加ボタン６１３と、が表示されている。
【０３５５】
選考内容表示欄６１２は申請一覧領域６１−１の上端部に帯状に設けられている。選考内容表示欄６１２には、その表示欄６１２に係る選考内容が表示されている。なお、図４６には２つの申請一覧領域６１−１が設けられており、上側の選考内容表示欄６１２には「特色加点」と表示され、下側の選考内容表示欄６１２には「志望理由」と表示されている。すなわち、この大学・試験区分に対して、「特色加点」と「志望理由」の２つの選考内容が設定されていたことになる。
【０３５６】
申請追加ボタン６１３は、当該申請追加ボタン６１３が表示されている申請一覧領域６１−１に係る選考内容について申請を追加する、言い換えると当該選考内容の設問に回答することを指示するボタンである。申請追加ボタン６１３に対してクリック操作を行うことができる。申請追加ボタン６１３が操作されると、試験管理者端末３は、管理サーバ２に対して、その選考内容に対する申請を行う、すなわちその選考内容の設問に回答する画面（回答画面）の表示を要求する。
【０３５７】
管理サーバ２は、回答画面の表示の要求に応じて、その選考内容を示す情報をサーバ記憶部２３の所定領域に記憶すると共に、設問情報テーブル２４ｉに登録された設問情報データなどに基づいて、その選考内容に係る回答画面データを受験生端末６に送信する。受験生端末６は、回答画面データを受信すると、当該図面データに基づいて、その選考内容に応じた回答画面を表示する。回答画面については後述する。
【０３５８】
また、受験生トップ画面に戻るボタン６１９は、受験生トップ画面の表示を指示するボタンである。受験生トップ画面に戻るボタン６１９に対してクリック操作を行うことができる。受験生トップ画面に戻るボタン６１９が操作されると、試験管理者端末３は、管理サーバ２に対して、受験生トップ画面の表示を管理サーバ２へ要求する。管理サーバ２は、この要求に応じて、受験生端末６に、受験生トップ画面を表示させる。
【０３５９】
次に、回答画面について説明する。回答画面は選考内容によって異なる。ここでは、図４６の「特色加点」に係る申請一覧領域６１−１に表示されている申請追加ボタン６１３が操作され、すなわち、特色加点の設問に回答することが選択され、特色加点用の回答画面（特色加点回答画面）が表示されたと仮定する。図４７は、特色加点回答画面の一例を表す図である。
【０３６０】
図４７に示すように、特色加点回答画面６２には、大学・試験区分・選考内容表示欄６２１と、申請タイトル入力欄６２２と、２つの回答領域６２−１と、登録ボタン６２７と、一時保存ボタン６２８と、申請一覧画面へ戻るボタン６２９と、が表示されている。なお、図４７は、特色加点回答画面６２の初期状態を表している。
【０３６１】
大学・試験区分・選考内容表示欄６２１には、現在行われている申請の対象となる大学および試験区分、ならびに選考内容が表示される。図４７では「△△大学｜〇〇学部▲▲学科｜推薦入試」および「特色加点」と表示されている。
【０３６２】
申請タイトル入力欄６２２は、現在行われている申請のタイトル（申請タイトル）を任意に入力する操作を受け付けることができる。
【０３６３】
回答領域６２−１は、当該回答画面６２に係る選考内容に対して設定された設問単位で設けられている。特色加点回答画面６２には２つの回答領域６２−１が表示されているので、当該回答画面６２に係る特色加点については２つの設問が設定されていることになる。回答領域６２−１には、設問タイトル表示領域６２３と、設問教示文表示領域６２４と、回答入力欄６２５と、最大文字数表示領域６２６と、が形成されている。
【０３６４】
設問タイトル表示領域６２３には、当該回答領域６２−１に係る設問の設問番号と設問タイトルが表示されている。設問タイトル表示領域６２３に表示されている設問タイトルは、試験管理者によって設問タイトル入力欄３６２に入力され、設問情報データとして設問情報テーブル２４ｉに登録されている設問タイトルに対応している。また、設問タイトル表示領域６２３に表示されている設問番号は、その入力された設問タイトルに係る設問番号に対応している。
【０３６５】
設問教示文表示領域６２４には、当該回答領域６２−１に係る設問を説明する教示文が表示されている。この教示文は、試験管理者によって設問教示文入力欄３６３に入力され、設問情報データとして設問情報テーブル２４ｉに登録されている設問教示文に対応している。
【０３６６】
回答入力欄６２５は、当該回答領域６２−１に係る設問に対する回答を任意に入力する操作を受け付けることができる。
【０３６７】
最大文字数表示領域６２６には、当該回答領域６２−１に係る回答入力欄６２５に入力可能な最大文字数が表示されている。この最大文字数は、試験管理者によって最大文字数入力欄３６４に入力され、設問情報データとして設問情報テーブル２４ｉに登録されている最大文字数に対応している。
【０３６８】
また、登録ボタン６２７は、当該回答画面６２で申請された内容（申請内容）を示す情報（申請内容情報）、具体的には、申請タイトル入力欄６２２に入力されている申請タイトル、および各設問タイトル表示領域６２３に表示されている設問番号に対して、回答入力欄６２５に入力されている回答の登録を指示するボタンである。なお、申請内容情報の登録とは、後述する申請情報データを申請情報テーブル２４ｌに登録（保存）し、さらに基本的には当該申請情報データを編集できなくすることで、回答（申請内容）を確定させることである。
【０３６９】
登録ボタン６２７に対してクリック操作を行うことができる。登録ボタン６２７が操作されると、受験生端末６は、管理サーバ２に対して、申請内容情報の登録を要求する。具体的に、受験生端末６は、申請内容情報を含むデータ（申請内容情報データ）、およびその登録を示すコマンド（申請内容情報登録コマンド）を管理サーバ２へ送信する。
【０３７０】
また、一時保存ボタン６２８は、回答内容情報の保存を指示するボタンである。なお、回答内容情報の保存とは、申請情報データを申請情報テーブル２４ｌに登録（保存）するが、当該申請情報データを編集できる状態を維持し、回答（申請内容）を確定させないことである。
【０３７１】
一時保存ボタン６２８に対してクリック操作を行うことができる。一時保存ボタン６２８が操作されると、受験生端末６は、管理サーバ２に対して、申請内容情報の保存を要求する。具体的に、受験生端末６は、回答申請情報データを管理サーバ２へ送信する。
【０３７２】
なお、試験管理者端末３は、申請内容情報データに、当該システム１にログインしている受験生の受験生ＩＤ、大学・試験区分・選考内容表示欄６２１に表示されている大学・試験区分・選考内容に関する情報を含ませる。また、設問が複数設けられている場合は、申請内容情報データに、全ての設問に係る設問番号および回答に関する情報が含まれる。
【０３７３】
管理サーバ２は、申請内容情報データを受信すると、そのデータに基づいて、当該申請内容情報データに係る申請に申請番号を付与すると共に、前述の申請情報データを生成して申請情報テーブル２４ｌに登録する。なお、申請番号とは、１つの選考内容に対して行われた申請の識別子であり、本実施形態では、当該データが入力された（当該申請を受け付けた）順番で構成される。
【０３７４】
申請情報データは設問番号単位で生成される。申請情報データでは、試験区分ＩＤ、当該試験区分を受験する受験生に係る出願整理番号、選考内容、申請番号、申請タイトルに設問番号を関連付け、さらに回答を設問番号に関連付ける（図１６参照）。
【０３７５】
なお、管理サーバ２は、申請内容情報データに含まれる回答の何れかが最大文字数を越えている場合、申請情報データを申請情報テーブル２４ｌに登録せずに、例えば、最大文字数を超えていることを示すエラー表示を受験生端末６に行わせても良い。また、以下において、回答画面６２での回答が完全になされた（未入力がない）状態で登録ボタン６２７または一時保存ボタン６２８が操作されることを「申請の記録」とも称する。
【０３７６】
また、管理サーバ２は、申請内容情報登録コマンドを受信すると、以降において当該申請情報データの編集ができないように当該申請情報データをプロテクトする。
【０３７７】
申請一覧画面へ戻るボタン６２９は、当該回答画面６２に係る大学・試験区分の申請一覧画面６１の表示を指示するボタンである。申請一覧画面へ戻るボタン６２９に対してクリック操作を行うことができる。申請一覧画面へ戻るボタン６２９が操作されると、受験生端末６は、大学・試験区分・選考内容表示欄６２１に表示されている申請一覧画面６１の表示を管理サーバ２に要求する。
【０３７８】
管理サーバ２は、受験生端末６からの要求に応じて、当該大学および試験区分の申請一覧画面データを生成して受験生端末６に送信する。ただし、管理サーバ２は、申請一覧画面へ戻るボタン６２９が操作される前に、登録ボタン６２７または一時保存ボタン６２８が操作されていた場合、すなわち、申請の記録が行われていた場合、登録された申請情報データを反映させた申請一覧画面データを生成する。試験管理者端末３は、申請一覧画面データを受信すると、当該申請一覧画面データに基づいて申請一覧画面を表示する。
【０３７９】
次に、申請の記録が行われた後に表示される申請一覧画面について説明する。ここでは、特色加点回答画面６２で最初の申請の記録が行われ、申請番号「１」として申請タイトル入力欄６２２に「海外語学留学」と入力されたとする。図４８は、申請番号「１」に係る申請の記録が行われて表示される申請一覧画面の一例である。
【０３８０】
図４８に示すように、申請一覧画面６１には、初期状態では表示されていなかった申請表示バー６１４が表示されている。申請表示バー６１４は、追加された申請を表し、全体的に横長矩形状である。また、申請表示バー６１４は、当該申請表示バー６１４が表す申請の対象である選考内容に係る申請一覧領域６１−１における選考内容表示欄６１２と申請追加ボタン６１３との間に割り込むように表示される。
【０３８１】
申請表示バー６１４は、申請番号表示部６１４１と、申請タイトル表示部６１４２と、申請編集ボタン６１４３と、申請削除ボタン６１４４と、で構成されている。
申請番号表示部６１４１は、申請表示バー６１４の左端に形成され、当該選考内容に係る申請番号を表示する。申請タイトル表示部６１４２は、申請番号表示部６１４１の右隣に形成され、当該申請タイトルを表示する。この表示内容である申請タイトルは、当該申請番号に係る特色加点回答画面６２が表示されているときに、申請タイトル入力欄６２２に入力された内容と同一である。
【０３８２】
申請編集ボタン６１４３は、当該申請編集ボタン６１４３を含む申請表示バー６１４に係る申請の内容（回答の内容）の編集を指示するためのボタンであり、申請タイトル表示部６１４２の右隣に形成されている。申請編集ボタン６１４３は、クリック操作を受け付け可能に構成されている。
【０３８３】
申請編集ボタン６１４３が操作されると、受験生端末６は、管理サーバ２に対して、当該申請編集ボタン６１４３を含む申請表示バー６１４に係る申請の内容（回答の内容）の編集を要求する。管理サーバ２は、その要求に応じて、申請情報テーブル２４ｌに登録されている申請情報データなどに基づいて、当該申請の編集を行うための申請編集画面を表すデータ（申請編集画面データ）を生成して受験生端末６に送信する。
【０３８４】
受験生端末６は、申請編集画面データを受信すると、当該データに基づいて申請編集画面を表示する。なお、申請編集画面は、回答画面と同一に構成させても良い。ただし、申請編集ボタン６１４３が操作されて回答画面を表示させる場合は、一度は入力されていた申請タイトルおよび回答の内容は入力欄６２２、６２５に入力させた状態で回答画面を表示させる。
【０３８５】
申請削除ボタン６１４４は、当該申請削除ボタン６１４４を含む申請表示バー６１４を削除し、当該申請表示バー６１４に係る申請を取り消すことを指示するためのボタンであり、申請表示バー６１４の右端に形成されている。申請削除ボタン６１４４は、クリック操作を受け付け可能に構成されている。
【０３８６】
申請削除ボタン６１４４が操作されると、受験生端末６は、管理サーバ２に対して、当該申請削除ボタン６１４４を含む申請表示バー６１４を削除し、当該申請表示バー６１４に係る申請を取り消すことを要求する。管理サーバ２は、その要求に応じて、当該申請に係る申請情報データを申請情報テーブル２４ｌから消去すると共に、受験生端末６に当該申請表示バー６１４を削除させる。
【０３８７】
なお、同一の申請一覧領域６１−１において、削除された申請表示バー６１４の下に、別の申請表示バー６１４が表示されていた場合、当該別の申請表示バー６１４に係る申請に対応する申請情報データが示す申請番号を「１」繰り上げると共に、当該別の申請表示バー６１４に係る申請番号表示部６１４１に表示される申請番号を「１」繰り上げる。さらに、当該別の申請表示バー６１４の表示位置を、削除された申請表示バー６１４の分、上に詰める。
【０３８８】
なお、管理サーバ２は、特色加点回答画面６２が表示されているときに登録ボタン６２７が操作された場合、当該回答画面６２に対応する申請表示バー６１４の申請編集ボタン６１４３および申請削除ボタン６１４４への操作が行えないようにしても良い。
【０３８９】
次に、試験管理者による評価対象登録処理を行うための画面について説明する。前述のように、評価対象登録処理では評価対象の登録が行われる。評価対象の登録は、試験管理者ステータスが「受付中」のときに行うことができる。まずは、評価対象の登録の前提となる「評価対象の選定および評価担当者の設定」について説明する。評価対象の選定および評価担当者の設定も試験管理者ステータスが「受付中」のときに行うことができる。
【０３９０】
試験管理者端末３において試験管理者トップ画面３０が表示されているときに、試験管理者ステータスが「受付中」である試験区分に係るアクション選択ボタン３０２２が操作されると、図４９に示すように、アクション「評価対象ダウンロード」または「評価対象登録」を選択可能なダウンリスト３０２４が表示される。
【０３９１】
ダウンリスト３０２４に表示されている「評価対象ダウンロード」の部分は、クリック操作を受け付け可能に構成されている。以下において、この部分のことを、「評価対象ダウンロードボタン３０２５」と称する。ここで、評価対象ダウンロードボタン３０２５が操作されると、試験管理者端末３は、管理サーバ２に対して、当該評価対象ダウンロードボタン３０２５に係る試験区分についての評価対象候補一覧ファイルのダウンロードを要求する。
【０３９２】
管理サーバ２は、試験管理者端末３からの要求に応じて、登録されている試験区分情報データ、出願整理番号情報データ、選考内容基本情報データ、および申請情報データなどに基づいて、その試験区分について評価対象候補の一覧を表す評価対象候補一覧ファイルを生成して試験管理者トップ画面３０に重畳的に表示させる。
【０３９３】
図５０は、評価対象候補一覧ファイルの一例を表す。評価対象候補一覧ファイル３９は表形式で構成され、当該ファイル３９には、試験区分ＩＤを表す項目（試験区分ＩＤ項目）、出願整理番号を表す項目（出願整理番号項目）、申請の有無を表す項目（申請有無項目）、申請に係る設問への回答の有無を表す項目（回答有無項目）、選考内容を表す項目（選考内容項目）、および評価担当者を表す項目（評価担当者項目）が左から右に並んで表示されている。
【０３９４】
なお、評価担当者項目は複数設けられている。また、評価対象候補一覧ファイル３９の先頭行は、各項目を表している。一方、評価対象候補一覧ファイル３９の先頭行以外には、各項目に係る情報が入力される。
【０３９５】
試験区分ＩＤ項目には、当該ファイル３９の対象となる試験区分ＩＤが入力される。よって、当該ファイル３９の試験区分ＩＤには全て同一の試験区分ＩＤが入力される。出願整理番号項目には、当該ファイル３９に係る試験区分の受験生の出願整理番号が入力される。
【０３９６】
申請有無項目には、各選考内容に対して受験生がその選考内容について申請を追加したか否か、言い換えると、前述の申請追加ボタン６１３が操作されて、当該選考内容についての申請表示バー６１４が表示されて、申請を追加する意思表示があったか否かが表示される。申請有無項目には、申請の追加があったときには「有」と入力され、申請の追加が未だないときには「無」と入力される。
【０３９７】
回答有無項目には、各選考内容に対して受験生がその選考内容に係る回答を入力し、当該回答に対して登録ボタン６２７が操作されて、当該選考内容に係る申請情報データが申請情報テーブル２４ｌに登録されたか否かが表示される。回答有無項目には、回答の入力があったときには「有」と入力され、回答の入力が未だないときには「無」と入力される。
【０３９８】
選考内容項目には選考内容の名称が入力される。評価担当者項目には、評価担当者のメールアドレスが入力される。
【０３９９】
評価対象候補一覧ファイル３９の先頭行以外の試験区分ＩＤ項目、出願整理番号項目、申請有無項目、回答有無項目、および選考内容項目については、管理サーバ２が、登録されている試験区分情報データ、出願整理番号情報データ、選考内容基本情報データ、および申請情報データなどに基づいて、入力した状態で当該評価対象候補一覧ファイル３９を表示させる。一方、評価対象候補一覧ファイル３９の先頭行以外の評価担当者項目には、試験管理者がその申請を担当させる評価担当者のメールアドレスを入力する。
【０４００】
なお、本実施形態では、評価対象候補一覧ファイル３９において、評価対象候補一覧ファイル３９に係る試験区分を受験する全ての受験生、すなわち評価対象候補を表示しているが、これは、例えば特定条件を満たしている場合のみ特定科目試験を受験させる場合に適用させるためである。特定条件としては、例えば、通常の学科試験でボーダー付近であることなどがある。この場合では、特定科目試験の評価対象となり得る全ての受験生をとりあえず評価対象候補として表示しておき、試験管理者がその中から、実際に特定科目試験を受験してもらう受験生を正式な評価対象として選定することができる。そこで、以下において、評価対象候補一覧ファイルのダウンロードのことを「評価対象候補の取得」とも称する。
【０４０１】
また、管理サーバ２は、評価対象候補一覧ファイル３９に評価対象候補を表示する際に、出願整理番号の若い順に上から表示する。また、その試験区分に複数の選考内容が設定されている場合は、同一の受験生（出願整理番号）に対して複数の選考内容をまとめて連続して表示する。このときに同一の受験生（出願整理番号）に対して選考内容番号の若い順に上から並べて表示する。
【０４０２】
このように、評価対象候補一覧ファイル３９には、評価対象候補が表示されるが、その中から特定科目試験を受験してもらう評価対象候補に係る評価担当者項目に評価担当者のメールアドレスを入力することで、当該試験区分における評価対象を選定しつつ、その評価対象を担当する評価担当者を設定する。なお、特定試験科目に係る特定条件が設定されていない場合は、全ての評価対象候補について評価担当者を設定しても良い。
【０４０３】
そして、評価対象候補一覧ファイル３９は一般的な表形式のファイルで構成されており、一般的な保存操作が可能に構成されている。試験管理者端末３は、評価対象候補一覧ファイル３９に対して保存操作が行われると、当該ファイル（評価対象ファイル）を管理サーバ２に送信する。
【０４０４】
管理サーバ２は、評価対象候補一覧ファイル３９を受信すると、当該ファイルに大学・試験区分を容易に識別および認識できるファイル名を付与すると共に、サーバ記憶部２３の評価対象情報テーブル２４ｍに登録する。
【０４０５】
また、評価対象候補一覧ファイル３９に対して一般的なファイルを閉じる操作を行うことも可能であり、当該評価対象候補一覧ファイル３９を保存した後、当該評価対象候補一覧ファイル３９を閉じることができる。評価対象候補一覧ファイル３９を閉じた後、再度、評価対象ダウンロードボタン３０２５を操作して、当該評価対象候補一覧ファイル３９を開くことができる。この場合、評価対象候補一覧ファイル３９は前回保存した内容で開かれる。すなわち、直近で保存したときの評価対象候補一覧ファイル３９が表示される。なお、このように評価対象候補一覧ファイル３９を保存することや開くことは、後述する評価対象の登録がなされるまで行うことができる。
【０４０６】
次に、評価対象の登録について説明する。前述のように、評価対象の登録は、試験管理者ステータスが「設定完了」または「受付中」のときに行うことができる。試験管理者端末３において試験管理者トップ画面３０が表示されているときに、試験管理者ステータスが「設定完了」または「受付中」である試験区分に係るアクション選択ボタン３０２２が操作されると、図４９に示すように、アクション「評価対象登録」および「評価対象ダウンロード」を選択可能なダウンリスト３０２４が表示される。
【０４０７】
ダウンリスト３０２４に表示されている「評価対象登録」の部分は、クリック操作を受け付け可能に構成されている。以下において、この部分のことを、「評価対象登録ボタン３０２６」と称する。ここで、評価対象登録ボタン３０２６が操作されると、試験管理者端末３は、管理サーバ２に対して、当該評価対象登録ボタン３０２６に係る試験区分についての評価対象登録を要求する。
【０４０８】
管理サーバ２は、試験管理者端末３からの要求に応じて、その試験区分について登録されている評価対象情報データ、評価観点基本情報データ、評価担当者情報データ、および申請情報データなどに基づいて、その試験区分について評価対象の登録が可能であるか否か、すなわち評価対象の登録に対するエラーがあるか否かの判定（評価対象登録判定）を行う。なお、評価対象登録判定は、評価対象（各受験生の選考内容）単位で（評価対象候補一覧ファイル３９の１つのレコードごとに）行われる。
【０４０９】
この判定で評価対象の登録を可能であるとするための条件（評価対象登録条件）は適宜に設定可能であるが、本実施形態では次のように評価対象登録条件が設定されている。
【０４１０】
評価対象登録条件として、（１）各申請有無項目および回答有無項目が「有」であること、（２）選考内容に係る評価観点の評価者数と入力されたメールアドレスの数（選定された評価担当者の人数）との間で整合が取れていること、が設定されている。（１）については、申請が追加されていない受験生、および回答が登録されていない申請に対して評価することはできないからである。（２）については、１つの評価観点について評価する評価担当者の人数が過剰または不足すると適切な評価を行うことができないからである。
【０４１１】
ここで、評価対象登録条件（２）の具体例について説明する。例えば、ある選考内容に対して評価観点１および評価観点２が設定されており、評価観点１の評価者数が２名であり、評価観点２の評価者数が１名であったとする。この場合にこの選考内容に係るある評価対象に対する１つの評価担当者項目にだけメールアドレスが入力、すなわち、この評価対象に対して１名の評価担当者を設定しようとすると、評価観点１について評価担当者の人数が不足するので、当該評価対象についての評価対象の登録はエラーとなる。
【０４１２】
また、ある選考内容に対して評価観点１および評価観点２が設定されており、評価観点１の評価者数が２名であり、評価観点２の評価者数が１名であったとする。この場合に、この選考内容に係るある評価対象に対する２つの評価担当者項目にメールアドレスが入力、すなわち、この評価対象に対して２名の評価担当者を設定しようとすると、評価観点２について評価担当者の人数が過剰となるので、当該評価対象についての評価対象の登録はエラーとなる。
【０４１３】
このように、管理サーバ２は、評価対象登録判定を行うが、評価対象登録判定の結果が「可」であると、当該評価対象候補一覧ファイル３９に係る評価対象情報データを編集できないようにプロテクトすると共に、当該試験区分に係る評価対象の登録が完了したことを示す画面を試験管理者端末３に表示させる。この評価対象の登録によって、その試験区分について評価担当者による評価を行うことが可能となる。一方、管理サーバ２は、評価対象登録判定の結果が「不可」であると、当該試験区分に係る評価対象の登録についてエラーがあることおよびエラーの内容を示す画面を試験管理者端末３に表示させる。この場合は、再度評価対象候補一覧ファイル３９を開き、エラーがなくなるまで当該評価対象候補一覧ファイル３９を編集する必要がある。なお、評価対象登録条件の内容は上記（１）、（２）に限られず適宜に変更しても良い。
【０４１４】
次に、評価担当者端末４に表示される評価担当者トップ画面、評価対象一覧画面、個別評価画面、および観点別評価画面について説明する。
【０４１５】
評価担当者トップ画面は、評価担当者の本システム１へのログイン後、その評価担当者が担当する選考内容の一覧を表す画面である。図５１は、評価担当者トップ画面の一例である。図５１に示す評価担当者トップ画面４０には、選考内容一覧表４０１と、ログアウトボタン４０３が表示される。
【０４１６】
選考内容一覧表４０１は、列と行とからなるマトリクス状の表で構成され、当該評価担当者が担当する選考内容の一覧を表す。申請内容一覧表４０１を構成する項目として、左側から、試験区分を表す項目（試験区分項目）と、選考内容を示す項目（選考内容項目）と、評価担当者ステータスを表す項目（評価担当者ステータス項目）と、評価画面ボタン４０２が設けられた項目（評価実行ボタン項目）と、がある。
【０４１７】
選考内容一覧表４０１では、試験区分項目および選考内容項目が基準項目であり、評価担当者ステータス項目、および評価開始ボタン項目はその基準項目に関連付けられている。なお、選考内容一覧表４０１の先頭行は、各項目を表している。
【０４１８】
なお、前述の通り、評価担当者ステータスを表す評価担当者ステータスデータは、評価担当者ステータステーブル２４ｒに登録されている。そして、評価担当者ステータスの管理・表示は、管理サーバ２が評価担当者毎の各選考内容全体の評価に係る状況に応じて適宜に行う。
【０４１９】
評価画面ボタン４０２は、その選考内容について担当する申請の個別評価を行う画面へ進むことを指示するボタンである。評価画面ボタン４０２に対してクリック操作を行うことができる。
【０４２０】
評価担当者端末４は、評価画面ボタン４０２が操作されると、評価画面コマンドを管理サーバ２に送信することで、そのボタン４０２に係る選考内容の個別評価を行うことを管理サーバ２に要求する。なお、評価画面コマンドには、当該システム１にログインしている評価担当者の職員ＩＤ、ならびにそのボタン４０２に係る試験区分および選考内容に関する情報が含まれている。
【０４２１】
管理サーバ２は、評価画面コマンドを受信すると、そのコマンドに基づいて、当該コマンドが示す職員ＩＤの評価担当者によって、当該コマンドが示す選考内容の個別評価が行われていることを示すデータ（個別評価実行中データ）をサーバ記憶部２３の所定領域に記憶すると共に、その選考内容に係る評価対象一覧画面データを評価担当者端末４に送信する。評価担当者端末４は、評価対象一覧画面データを受信すると、当該画面データに基づいて評価対象一覧画面を表示する。評価対象一覧画面について後述する。
【０４２２】
なお、管理サーバ２は、個別評価実行中データを記憶することによって、何れの評価担当者によって何れの選考内容の個別評価が実行されているのかを特定することができる。
【０４２３】
ログアウトボタン４０３は、本システム１からログアウトするための操作を受け付けることができる。ログアウトボタン４０３に対する操作が行われると、評価担当者端末４は、本システム１からのログアウトを管理サーバ２に要求する。管理サーバ２は、これに応じて評価担当者端末４に評価担当者用ログイン画面を表示させる。
【０４２４】
次に、評価対象一覧画面について説明する。図５２は、評価対象一覧画面の一例である。図５２に示す評価対象一覧画面４１には、試験区分・選考内容表示欄４１１と、評価対象一覧表４１２が表示されている。なお、図５２は評価対象一覧画面４１の初期状態を表している。
【０４２５】
試験区分・選考内容表示欄４１１には、個別評価の対象となる試験区分、および選考内容が表示されている。
【０４２６】
評価対象一覧表４１２は、列と行とからなるマトリクス状の表で構成され、当該評価担当者が担当する評価対象（申請）の一覧を表す。評価対象一覧表４１２の列を構成する項目として、左側から、受験生の出願整理番号を表す項目（出願整理番号項目）と、申請を識別する申請タイトルを示す項目（申請タイトル項目）と、個別評価ステータス項目と、評価観点の個別評価結果を示す項目（個別評価結果項目）と、がある。
【０４２７】
評価対象一覧表４１２では、出願整理番号項目および申請タイトル項目が基準項目であり、個別評価ステータス項目、および個別評価結果項目はその基準項目に関連付けられている。なお、評価対象一覧表４１２の先頭行は、各項目を表している。
【０４２８】
また、個別評価結果項目は、当該評価担当者が担当する評価観点によってさらに分けられている。評価対象一覧表４１２における個別評価結果項目の先頭行には、当該評価担当者が担当する評価観点の観点番号が表示されている（観点１、観点２、観点３）。
【０４２９】
なお、図５２は初期状態の評価対象一覧表４１２を表しているので、先頭行以外の評価結果項目には「−」が表示されている。この「−」はまだ評価が行われていないことを表している。後述するように、評価観点について評価が行われると、評価対象一覧表４１２の先頭行以外の個別評価結果項目には、個別評価結果として採点された評価レベルが表示される。
【０４３０】
また、前述の通り、個別評価ステータスを表す個別評価ステータスデータは、個別評価ステータステーブル２４ｓに登録されている。そして、個別評価ステータスの管理・表示は、管理サーバ２が評価担当者毎の各評価対象に対する評価の状況に応じて適宜に行う。
【０４３１】
また、評価対象一覧表４１２における先頭行以外の各申請タイトル項目には、申請タイトルが表示された申請別評価開始ボタン４１３が設けられている。申請別評価開始ボタン４１３は、各評価担当者が当該申請について担当する全ての評価観点の個別評価を行うことを指示するためのボタンであり、クリック操作を受け付け可能に構成されている。
【０４３２】
申請別評価開始ボタン４１３が操作されると、評価担当者端末４は、管理サーバ２に対して、当該申請別評価開始ボタン４１３に係る申請の個別評価の開始を要求する。具体的には、評価担当者端末４は、その申請の個別評価を行うことを示す申請別評価開始コマンドを管理サーバ２へ送信する。
【０４３３】
なお、評価担当者端末４は、申請別評価開始コマンドに、本システム１にログインしている評価担当者の職員ＩＤ、試験区分・選考内容表示欄４１１に表示されている評価対象の試験区分・選考内容、当該申請に係る出願整理番号、および当該申請別評価開始ボタン４１３に係る申請番号に関する情報が含まれている。
【０４３４】
管理サーバ２は、申請別評価開始コマンドを受信すると、そのコマンドが示す申請の個別評価が行われていることを示すデータ（申請別評価中データ）をサーバ記憶部２３の所定領域に記憶すると共に、登録されている申請情報データ、評価担当者情報データ、評価観点基本情報データ、および評価レベル情報データなどに基づいて、当該申請の個別評価を行うための申請別評価画面を表すデータ（申請別評価画面データ）を生成して評価担当者端末４に送信する。評価担当者端末４は、申請別評価画面データを受信すると、申請別評価開始ボタン４１３の操作対象となった申請に関する申請別評価画面を表示する。申請別評価画面については後述する。
【０４３５】
なお、管理サーバ２は、申請別評価中データを記憶することによって、何れの評価担当者が何れの出願整理番号の申請について個別評価を行っているのかを特定することができる。
【０４３６】
また、評価対象一覧表４１２における先頭行の各評価観点項目には、観点番号が表示された観点別評価開始ボタン４１４が設けられている。観点別評価開始ボタン４１４は、その評価観点に係る全ての申請の個別評価を行うことを指示するためのボタンであり、クリック操作を受け付け可能に構成されている。
【０４３７】
観点別評価開始ボタン４１４が操作されると、評価担当者端末４は、管理サーバ２に対して、当該観点別評価開始ボタン４１４に係る評価観点の個別評価の開始を要求する。具体的には、評価担当者端末４は、その評価観点の個別評価を行うことを示す観点別評価開始コマンドを管理サーバ２へ送信する。
【０４３８】
なお、評価担当者端末４は、観点別評価開始コマンドに、本システム１にログインしている評価担当者の職員ＩＤ、試験区分・選考内容表示欄４１１に表示されている評価対象の試験区分・選考内容、当該観点別評価開始ボタン４１４に係る観点番号に関する情報が含まれている。
【０４３９】
管理サーバ２は、観点別評価開始コマンドを受信すると、そのコマンドが示す評価観点の個別評価が行われていることを示すデータ（観点別評価中データ）をサーバ記憶部２３の所定領域に記憶すると共に、登録されている申請情報データ、評価担当者情報データ、評価観点基本情報データ、および評価レベル情報データなどに基づいて、当該評価観点の個別評価を行うための観点別評価画面を表すデータ（観点別評価画面データ）を生成して評価担当者端末４に送信する。評価担当者端末４は、観点別評価画面データを受信すると、観点別評価開始ボタン４１４の操作対象となった評価観点に関する観点別評価画面を表示する。観点別評価画面については後述する。
【０４４０】
なお、管理サーバ２は、観点別評価中データを記憶することによって、何れの評価担当者が何れの評価観点について個別評価を行っているのかを特定することができる。
【０４４１】
また、評価対象一覧画面４１には、評価確定ボタン４１７、および評価担当者トップ画面へ戻るボタン４１９が設けられている。
【０４４２】
評価確定ボタン４１７は、評価対象一覧表４１２に係る全ての申請に対する個別評価を確定することを指示するボタンである。評価確定ボタン４１７に対してクリック操作を行うことができる。
【０４４３】
評価担当者端末４は、評価確定ボタン４１７が操作されると、評価確定コマンドを管理サーバ２に送信することで、当該全ての申請に対する個別評価を確定することを管理サーバ２に要求する。これに応じて、管理サーバ２は、当該評価担当者に係る当該全ての申請に係る個別評価結果情報データを編集できないようにプロテクトする。
【０４４４】
さらに、評価担当者端末４は、当該試験区分・選考内容に係る評価担当者ステータスデータの内容を「確定済」に変更すると共に、当該評価対象一覧表４１２に係る全ての申請の個別評価ステータスデータの内容を「評価済」に変更する。
【０４４５】
また、評価担当者トップ画面へ戻るボタン４１９は、評価対象一覧画面４１から評価担当者トップ画面４０に切り替えることを指示するボタンである。評価担当者トップ画面へ戻るボタン４１９に対してクリック操作を行うことができる。
【０４４６】
評価担当者端末４は、評価担当者トップ画面へ戻るボタン４１９が操作されると、評価担当者トップ画面切替コマンドを管理サーバ２に送信することで、評価対象一覧画面４１から評価担当者トップ画面４０に切り替えることを管理サーバ２に要求する。これに応じて、管理サーバ２は、評価担当者端末４に評価担当者トップ画面データを送信する。そして、評価担当者端末４は、評価担当者トップ画面データを受信すると、評価対象一覧画面４１から評価担当者トップ画面４０に切り替える。
【０４４７】
なお、評価対象一覧画面４１が表示されているときに評価確定ボタン４１７が操作されていれば、切り替えられた評価担当者トップ画面４０において、その画面４１に係る選考内容の評価担当者ステータス項目は「確定済」と表示される。
【０４４８】
（申請別評価画面）
次に、申請別評価画面について説明する。図５３は、申請別評価画面の一例である。図５３に示す申請別評価画面４２には、評価対象情報表示欄４２１と、評価エリア４２Ａと、参照エリア４２Ｂと、が設けられている。
【０４４９】
評価対象情報表示欄４２１には、試験区分、選考内容などこの画面の評価対象に関する情報が表示されている。詳細には、評価対象情報表示欄４２１は、試験区分、および選考内容を表示する試験区分等表示領域４２０１と、出願整理番号、および申請タイトルを表示する出願整理番号等表示領域４２０２と、で構成されている。
【０４５０】
評価エリア４２Ａは、評価に係る操作を行うことが可能な表示領域であり、参照エリア４２Ｂは、評価対象の申請内容を参照することが可能な表示領域である。評価エリア４２Ａおよび参照エリア４２Ｂは、何れか一方のみが選択可能に構成されている。選択されている場合に完全に視認することができる。具体的には、評価エリア４２Ａおよび参照エリア４２Ｂは、選択されているときは不透明状態で全体を視認できるように表示され、選択されていないときは半透明状態で一部分のみを視認できるように表示される。
【０４５１】
図５３は申請別評価画面４２が表示されたときの初期状態を表している。図５３に示すように、評価エリア４２Ａは不透明状態で全体が視認できるように表示されている。すなわち、最初は評価エリア４２Ａが選択されている。このとき、半透明状態の参照エリア４２Ｂが、右端部を視認できるように評価エリア４２Ａの背面側で表示されている。この状態で、この参照エリア４２Ｂの右端部をクリックすると、参照エリア４２Ｂが選択されたことになり、参照エリア４２Ｂが不透明状態になって前面側に出てくると共に、評価エリア４２Ａが半透明状態になって左端部を視認できるように参照エリア４２Ｂの背面側に表示される。
【０４５２】
このように、評価エリア４２Ａと参照エリア４２Ｂとを任意に切り替えることができるので、評価担当者は、評価エリア４２Ａで評価作業を行いながらも、参照エリア４２Ｂで申請内容を確認することができる。なお、この評価エリア４２Ａと参照エリア４２Ｂとの切り替えは、評価担当者端末４への操作に応じて管理サーバ２が適宜に行う。また、参照エリア４２Ｂの画面構成の説明は省略するが、管理サーバ２は、申請情報テーブル２４ｌに登録されている申請情報データなどに基づいて、参照エリア４２Ｂを生成して当該申請に係る回答内容を認識可能に評価担当者端末４に表示させる。
【０４５３】
評価エリア４２Ａには、評価領域４２２と、保存して次の申請に進むボタン４２８と、保存して一覧に戻るボタン４２９と、が設けられている。
【０４５４】
評価領域４２２は、評価観点ごとに設けられている。図５３には３つの評価領域４２２が設けられている。すなわち、当該申請には３つの評価観点が対応付けられていることになる。なお、評価領域４２２の個数は、当該申請に係る選考内容についての評価者設定処理において、当該評価担当者に対して設定された評価観点の個数に対応する。
【０４５５】
各評価領域４２２には、評価観点情報表示欄４２２１と、評価レベル選択ボタン４２２２と、ルーブリック確認ボタン４２２３と、が設けられている。
【０４５６】
評価観点情報表示欄４２２１は評価領域４２２の上端部で帯状に形成されている。評価観点情報表示欄４２２１には、評価観点を識別するための観点番号（観点１、観点２、観点３）と、観点名（総合評価、自主性評価、アドミッションポリシーとの整合性）と、その評価観点が対応付けられている対応設問番号（対応設問１、２）と、が表示される。観点番号、観点名、および対応設問番号は、管理サーバ２が、登録されている評価観点基本情報データ、および設問情報データなどに基づいて評価担当者端末４に表示させている。
【０４５７】
評価レベル選択ボタン４２２２は、当該評価観点に基づいた採点を行うためのボタンであり、当該評価観点に対して設定された評価レベルの何れか１つを選択する操作を受け付けることができる。評価レベル選択ボタン４２２２に係る評価観点について設定された全ての評価レベルのそれぞれがラジオボタンで構成されている。なお、各ラジオボタンには対応する評価レベルが表示されている。
【０４５８】
各評価レベル選択ボタン４２２２に表示される評価レベル（ラジオボタン）の個数や値は、当該評価観点について設定された評価レベルに応じて異なる。各評価レベル選択ボタン４２２２は、管理サーバ２が当該評価観点に係る評価観点設定処理において評価レベル情報テーブル２４ｆに登録された評価レベル情報データなどに基づいて評価担当者端末４に表示されている。
【０４５９】
ルーブリック確認ボタン４２２３は、当該評価観点に係る評価レベルのルーブリックを表示することを指示するボタンであり、クリック操作を受け付けることができる。ルーブリック確認ボタン４２２３が操作されると、評価担当者端末４は、管理サーバ２に対して、当該評価観点に係る評価レベルのルーブリックの表示を要求する。管理サーバ２は、その要求に応じて、登録されている評価レベル情報データに基づいて、当該評価観点に係る評価レベルのルーブリックを評価担当者端末４に表示させる。
【０４６０】
図５４はある評価観点に係る評価レベルのルーブリックが表示されている申請別評価画面４２の一例である。例えば、図５４に示すように、操作されたルーブリック確認ボタン４２２３の直下に、評価レベルのルーブリック４２２４が割り込むように表示される。なお、評価レベルのルーブリック４２２４の表示内容は適宜に設定可能であるが、本実施形態では、評価レベルのルーブリック４２２４は、当該評価観点に対して設定された評価レベル、評価基準、および補足事項を表す一覧表で構成されている。また、評価レベルのルーブリック４２２４は、ルーブリック確認ボタン４２２３への再度の操作によって消去させることができる。
【０４６１】
また、保存して次の申請へ進むボタン４２８は、当該評価エリア４２Ａで行われた評価の内容（申請別評価内容）を示す情報（申請別評価内容情報）、具体的には、各評価領域４２２における評価観点情報表示欄４２２１に表示されている観点番号について、評価レベル選択ボタン４２２２で選択された評価レベルの保存（登録）、ならびに次の申請の個別評価に進むことを指示するボタンである。
【０４６２】
保存して次の申請へ進むボタン４２８に対してクリック操作を行うことができる。保存して次の申請へ進むボタン４２８が操作されると、評価担当者端末４は、管理サーバ２に対して、申請別評価内容情報の保存（登録）を要求する。具体的に、評価担当者端末４は、申請別評価内容情報を含むデータ（申請別評価内容情報データ）、および次の申請の評価の実施を示す次申請評価実施コマンドを管理サーバ２へ送信する。
【０４６３】
また、保存して一覧に戻るボタン４２９は、申請別評価内容情報の保存（登録）、および申請別評価画面４２から評価対象一覧画面４１への切り替えを指示するボタンである。
【０４６４】
保存して一覧に戻るボタン４２９に対してクリック操作を行うことができる。保存して一覧に戻るボタン４２９が操作されると、評価担当者端末４は、管理サーバ２に対して、申請別評価内容情報の保存および申請別評価画面４２から評価対象一覧画面４１への切り替えを要求する。具体的に、評価担当者端末４は、申請別評価内容情報データ、および評価対象一覧画面４１へ切り替えることを示す評価対象一覧画面表示コマンドを管理サーバ２へ送信する。
【０４６５】
なお、評価担当者端末４は、申請別評価内容情報データに、当該システム１にログインしている評価担当者の職員ＩＤ、評価対象情報表示欄４２１に表示されている試験区分・選考内容・出願整理番号・申請タイトルに関する情報を含ませる。
【０４６６】
管理サーバ２は、申請別評価内容情報データを受信すると、そのデータに基づいて、前述の個別評価結果情報を示す個別評価結果情報データを生成して個別評価結果情報テーブル２４ｎに登録する。
【０４６７】
個別評価結果情報は観点番号単位で生成され、個別評価結果情報では、試験区分ＩＤ、選考内容、出願整理番号、評価担当者番号、および職員ＩＤを観点番号に関連付け、さらに当該評価担当者による個別評価結果である評価レベルを観点番号に関連付ける。
【０４６８】
また、管理サーバ２は、次申請評価実施コマンドを受信すると、登録されている出願整理番号情報データ、申請情報データ、評価観点基本情報データ、評価レベル情報データ、および設問情報データなどに基づいて、次の申請に係る申請別評価画面データを生成して評価担当者端末４に送信する。評価担当者端末４は、申請別評価画面データを受信すると、当該データに基づいて次の申請に係る申請別評価画面４２に切り替える。
【０４６９】
なお、管理サーバ２は、当該出願整理番号について次の申請番号の申請がある場合は、その申請を次の申請と判断する。また、管理サーバ２は、当該出願整理番号について次の申請番号の申請がない場合は、次に若い番号の出願整理番号の申請番号「１」に係る申請を次の申請と判断する。
【０４７０】
また、管理サーバ２は、評価対象一覧画面表示コマンドを受信すると、評価対象一覧画面データを評価担当者端末４に送信する。評価担当者端末４は、評価対象一覧画面データを受信すると、当該データに基づいて申請別評価画面４２から評価対象一覧画面４１に切り替える。
【０４７１】
なお、管理サーバ２は、保存して次の申請へ進むボタン４２８または保存して一覧に戻るボタン４２９が操作される直前において、個別評価ステータスデータの内容が「未評価」であり、当該操作によって当該申請に係る一部の評価観点でも評価が行われた場合、当該申請に係る個別評価ステータスデータの内容を「評価中」に変更する。
【０４７２】
（観点別評価画面）
次に、観点別評価画面について説明する。図５５は、観点別評価画面の一例である。図５５に示す観点別評価画面４３には、評価対象情報表示欄４３１と、観点別評価対象一覧表４３２と、保存して一覧に戻るボタン４３９と、が設けられている。なお、図５５は、観点別評価画面４３の初期状態、すなわち当該評価観点に係る観点別評価画面４３が初めて表示された状態を表す。
【０４７３】
評価対象情報表示欄４３１には、試験区分、選考内容などこの画面の評価対象に関する情報が表示されている。評価対象情報表示欄４３１は、試験区分、および選考内容を表示する試験区分等表示領域４３１０と、観点番号、および観点名を表示する観点番号等表示領域４３１１と、で構成されている。
【０４７４】
観点別評価対象一覧表４３２は、列と行とからなるマトリクス状の表で構成され、評価対象一覧画面４１で操作された観点別評価開始ボタン４１４に係る評価観点が対応付けられている評価対象（申請）の一覧を表す。観点別評価対象一覧表４３２の列を構成する項目として、左側から、出願整理番号を表す項目（出願整理番号項目）と、評価対象の申請に係る回答を表す項目（申請内容項目）、その申請に対する評価レベルを入力する項目（評価レベル入力項目）と、がある。
【０４７５】
観点別評価対象一覧表４３２では、出願整理番号項目が基準項目であり、申請内容項目、および評価レベル入力項目は出願整理番号に関連付けられている。なお、観点別評価対象一覧表４３２の先頭行は、各項目を表している。
【０４７６】
観点別評価対象一覧表４３２の先頭行以外の各評価レベル入力項目には、当該観点別評価画面４３に係る評価観点に設定された評価レベルを入力する評価レベル入力欄４３２１が形成されている。なお、図５５に示すように、評価レベル入力欄４３２１は最初はブランク状態で表示される。
【０４７７】
そして、評価レベル入力欄４３２１の右隣には、当該評価観点に係る評価レベルの一覧を表示するダウンリスト（評価レベルダウンリスト）を表示させるボタン４３２２（評価レベルダウンリストボタン４３２２）が表示されている。評価レベルダウンリストボタン４３２２はクリック操作を受け付けることが可能である。
【０４７８】
評価担当者端末４は、評価レベルダウンリストボタン４３２２が操作されると、当該評価観点に設定された評価レベルの一覧を表示する評価レベルダウンリストの表示を管理サーバ２に要求する。
【０４７９】
管理サーバ２は、評価担当者端末４からの要求に応じて、登録されている評価レベル情報データなどに基づいて、当該評価観点に係る評価レベルダウンリストを評価担当者端末４に表示させる（図示なし）。評価レベルダウンリストに表示される評価レベルはクリック操作を受け付け可能に構成されている。評価レベルダウンリストに表示された評価レベルがクリック操作されると、その評価レベルの値が評価レベル入力欄４３２１に入力される。
【０４８０】
なお、評価レベル入力欄４３２１に評価レベルが表示されている状態であっても、評価レベルダウンリストボタン４３２２はクリック操作を受け付け可能であり、再度評価レベルダウンリストが表示されて、異なる評価レベルがクリック操作されると、評価レベル入力欄４３２１に表示される評価レベルがその評価レベルに変更される。
【０４８１】
このような評価レベル入力欄４３２１への評価レベルの入力が当該評価観点に基づくその申請に対する評価となる。
【０４８２】
また、保存して一覧に戻るボタン４３９は、当該観点別評価画面４３で行われた評価の内容（観点別評価内容）を示す情報（観点別評価内容情報）、具体的には、各出願整理番号およびその番号に係る評価レベル入力欄４３２１に入力されている評価レベルの保存（登録）、ならびに観点別評価画面４３から評価対象一覧画面４１への切り替えを指示するボタンである。
【０４８３】
保存して一覧に戻るボタン４３９に対してクリック操作を行うことができる。保存して一覧に戻るボタン４３９が操作されると、評価担当者端末４は、管理サーバ２に対して、観点別評価内容情報の保存を要求する。具体的に、評価担当者端末４は、観点別評価内容情報を含むデータ（観点別評価内容情報データ）、および観点別評価画面４３から評価対象一覧画面４１への切り替えを示す評価対象一覧画面表示コマンドを管理サーバ２へ送信する。
【０４８４】
なお、評価担当者端末４は、観点別評価内容情報データに、当該システム１にログインしている評価担当者の職員ＩＤ、評価対象情報表示欄４３１に表示されている試験区分・選考内容・観点番号に関する情報を含ませる。
【０４８５】
管理サーバ２は、観点別評価内容情報データを受信すると、そのデータに基づいて、前述の個別評価結果情報を表す個別評価結果情報データを生成して個別評価結果情報テーブル２４ｎに登録する。
【０４８６】
また、管理サーバ２は、評価対象一覧画面表示コマンドを受信すると、評価対象一覧画面データを評価担当者端末４に送信する。評価担当者端末４は、評価対象一覧画面データを受信すると、当該データに基づいて申請別評価画面４２から評価対象一覧画面４１に切り替える。
【０４８７】
なお、管理サーバ２は、保存して一覧に戻るボタン４３９が操作される直前において、各個別評価ステータスデータの内容が「未評価」であり、当該操作によって当該評価観点に基づいて申請の個別評価が行われた場合、当該申請に係る個別評価ステータスデータの内容を「評価中」に変更する。
【０４８８】
次に、評価責任者端末５に表示される評価責任者トップ画面、合算評価結果一覧画面、およびパターン評価結果一覧画面について説明する。評価担当者トップ画面は、評価責任者の本システム１へのログイン後、当該評価責任者が承認などを行う選考内容の一覧を表す画面である。図５６は、評価責任者トップ画面の一例である。図５６に示す評価責任者トップ画面５０には、選考内容一覧表５０１と、ログアウトボタン５０３が表示される。
【０４８９】
選考内容一覧表５０１は、列と行とからなるマトリクス状の表で構成され、当該評価責任者が担当する選考内容の一覧を表す。選考内容一覧表５０１の列を構成する項目として、左側から、試験区分を表す項目（試験区分項目）と、選考内容を示す項目（選考内容項目）、評価責任者ステータスを表す項目（評価責任者ステータス項目）と、承認画面ボタン５０２が設けられた項目（評価結果確認ボタン項目）と、がある。
【０４９０】
選考内容一覧表５０１では、試験区分項目および選考内容項目の組み合わせが基準項目であり、評価責任者ステータス項目、および評価結果確認ボタン項目は基準項目に関連付けられている。なお、選考内容一覧表５０１の先頭行は、各項目を表している。
【０４９１】
なお、前述の通り、評価責任者ステータスを表す評価責任者ステータスデータは、評価責任者ステータステーブル２４ｔに登録されている。そして、評価責任者ステータスの管理・表示は、管理サーバ２が評価責任者の各選考内容全体の承認に係る状況に応じて適宜に行う。
【０４９２】
承認画面ボタン５０２は、その選考内容に係る評価結果の承認などを行う画面へ進むことを指示するボタンである。承認画面ボタン５０２に対してクリック操作を行うことができる。
【０４９３】
評価責任者端末５は、承認画面ボタン５０２が操作されると、承認画面コマンドを管理サーバ２に送信することで、そのボタン５０２に係る評価結果の承認などを行う画面へ進むことを管理サーバ２に要求する。なお、承認画面コマンドには、当該システム１にログインしている評価責任者の職員ＩＤ、ならびにそのボタン５０２に係る試験区分および選考内容に関する情報が含まれている。
【０４９４】
管理サーバ２は、承認画面コマンドを受信すると、そのコマンドに基づいて、当該コマンドが示す職員ＩＤの職員（評価責任者）によって当該コマンドが示す選考内容に係る評価結果の承認などが行われていることを示すデータ（承認中データ）をサーバ記憶部２３の所定領域に記憶すると共に、その選考内容に係る評価結果一覧画面データを評価責任者端末５に送信する。評価責任者端末５は、評価結果一覧画面データを受信すると、当該画面データに基づいて評価結果一覧画面を表示する。評価結果一覧画面について後述する。
【０４９５】
なお、管理サーバ２は、承認中データを記憶することによって、評価責任者によって何れの選考内容の評価結果が確認されているのかを特定することができる。
【０４９６】
ログアウトボタン５０３は、本システム１からログアウトするための操作を受け付けることができる。ログアウトボタン５０３に対する操作が行われると、評価責任者端末５は、本システム１からのログアウトを管理サーバ２に要求する。管理サーバ２は、これに応じて評価責任者端末５に評価責任者用ログイン画面を表示させる。
【０４９７】
次に、評価結果一覧画面について説明する。評価結果一覧画面は、その選考内容に係る評価結果の一覧を表す画面であり、その選考内容が合算判定によって観点別得点が算出された場合の評価結果一覧画面（合算評価結果一覧画面）と、その選考内容がパターン判定によって観点別得点が算出された場合の評価結果一覧画面（パターン評価結果一覧画面）と、で表示内容が異なる。管理サーバ２は、選考内容基本情報テーブル２４ｄに登録されている選考内容基本情報データなどに基づいて、何れの評価結果一覧画面を評価責任者端末５に表示させるかを判断する。
【０４９８】
最初に、合算評価結果一覧画面について説明する。図５７は、合算評価結果一覧画面の一例である。図５７に示す合算評価結果一覧画面５１には、試験区分・選考内容表示欄５１１と、判定方式表示欄５１２と、評価結果一覧表５１３と、承認ボタン５１７と、評価責任者トップ画面へ戻るボタン５１９と、が表示されている。
【０４９９】
試験区分・選考内容表示欄５１１には、確認対象の試験区分、および選考内容が表示されている。判定方式表示欄５１２には、確認対象の選考内容に係る合算判定に関する情報、具体的には算出方法などが表示されている。
【０５００】
評価結果一覧表５１３は、列と行とからなるマトリクス状の表で構成され、当該選考内容に係る評価結果の一覧を表す。評価結果一覧表５１３を構成する項目として、左側から、受験生の出願整理番号を表す項目（出願整理番号項目）と、各受験生の申請を識別する申請タイトルを示す項目（申請タイトル項目）と、申請評価ステータスを示す項目（申請評価ステータス項目）と、当該申請に係る評価結果を示す項目（評価結果項目）と、がある。
【０５０１】
評価結果一覧表５１３では、出願整理番号項目および申請タイトル項目の組み合わせが基準項目であり、申請評価ステータス項目、および評価結果項目が基準項目に関連付けられている。なお、評価結果一覧表５１３の各先頭行には、項目を示す名称が記載されている。
【０５０２】
なお、前述の通り、申請評価ステータスを表す申請評価ステータスデータは、申請評価ステータステーブル２４ｕに登録されている。そして、申請評価ステータスの管理・表示は、管理サーバ２が各申請に対する評価の状況に応じて適宜に行う。
【０５０３】
また、評価結果項目は、観点別得点項目と、申請別得点項目と、に分けられている。観点別得点項目は、さらに観点番号によって細かく分けられている。図５７では、評価結果一覧表５１３の先頭行に「観点１」、「観点２」、「観点３」と記載されている列が観点別得点項目であり、「得点」と記載されている列が申請別得点項目である。評価結果一覧表５１３の先頭行以外の各観点別得点項目には、当該評価観点での評価結果である観点別得点が表示される。一方、評価結果一覧表５１３の先頭行以外の各申請別得点項目には、当該申請についての全ての観点別得点に基づいて算出された申請別得点が表示される。
【０５０４】
前述の通り、評価者担当者全員の合計点を算出する合算判定である場合は、各評価観点について、各評価担当者の評価レベルにその評価担当者の観点重みを乗算して合算した値が観点別得点となる。一方、評価担当者全員の平均点を算出する合算判定である場合は、各評価観点について、各評価担当者の評価レベルにその評価担当者の観点重みを乗算して合算した値を評価担当者の人数で除算した値が観点別得点となる。
【０５０５】
管理サーバ２は、申請に係る各評価観点について全ての評価担当者が個別評価を確定させると、個別評価結果情報テーブル２４ｎに登録されている個別評価結果情報データ、および合算判定方法情報テーブル２４ｊに登録されている合算判定方法情報データなどに基づいて、設定された合算判定方法（合計点または平均点を算出する方法）により、その評価観点について観点別得点を算出する。そして、管理サーバ２は、観点別得点を算出すると、当該観点別得点を含む得点情報データを生成して得点情報テーブル２４ｏに登録する。
【０５０６】
なお、この場合の得点情報データは観点番号単位で生成され、当該得点情報データでは、試験区分ＩＤ、選考内容、出願整理番号、および申請番号に当該観点番号の観点別得点であるということ（得点種別）を関連付け、さらに観点別得点（得点）に得点種別を関連付ける。
【０５０７】
また、管理サーバ２は、申請に係る全ての評価観点について観点別得点が算出されると、当該申請に係る全ての観点別得点に基づいて、申請別得点を算出する。そして、管理サーバ２は、申請別得点を算出すると、申請別得点を含む得点情報データを生成して得点情報テーブル２４ｏに登録する。
【０５０８】
なお、この場合の得点情報データは申請番号単位で生成され、当該得点情報データでは、試験区分ＩＤ、選考内容、出願整理番号、および申請番号に申請別得点であるということ（得点種別）を関連付け、さらに申請別得点に得点種別を関連付ける。
【０５０９】
また、管理サーバ２は、観点別得点または申請別得点を算出している場合は、合算評価結果一覧画面５１を表示する際に、該当する得点項目において、観点別得点または申請別得点を表示させる。ただし、管理サーバ２は、観点別得点または申請別得点を算出していない場合は、該当する得点項目において、まだ算出されていないことを示す記号「−」を表示させる。
【０５１０】
ところで、評価結果一覧表５１３の先頭行以外の観点別得点項目に観点別得点が表示されると、その項目はクリック操作を受け付けることが可能になる。そして、その観点別得点項目が操作されると、評価責任者端末５は、管理サーバ２に対して、その観点別得点項目に係る評価観点についての評価結果の詳細を確認することができる画面（評価結果詳細確認画面）の表示を要求する。
【０５１１】
なお、評価結果詳細確認画面では、後述するように、評価結果の詳細として、当該評価観点に係る各評価担当者の評価結果が表示される。そして、評価結果詳細確認画面は、評価担当者単位で評価結果を修正する操作を行うことが可能に構成されている。さらに、評価担当者の評価結果が修正されると、それに応じてその評価観点に係る観点別得点が修正されることになる。すなわち、評価結果詳細確認画面は、当該評価観点に係る観点別得点を修正する操作を行うことが可能な画面でもある。
【０５１２】
管理サーバ２は、評価責任者端末５からの要求に応じて、評価責任者端末５に、評価結果詳細確認画面５１４を評価結果一覧表５１３に重畳的に表示させる。
【０５１３】
図５８は、評価結果詳細確認画面５１４が表示されている合算評価結果一覧画面５１の一例である。評価結果詳細確認画面５１４には、修正前観点別得点表示領域５１４１と、修正後観点別得点表示領域５１４２と、個別評価結果一覧表５１４３と、キャンセルボタン５１４４と、反映ボタン５１４５と、が表示されている。
【０５１４】
修正前観点別得点表示領域５１４１には、現在の観点別得点が表示されている。修正後観点別得点表示領域５１４２には、後述する修正操作を行った場合に、その修正後の観点別得点が表示される。
【０５１５】
個別評価結果一覧表５１４３は、列と行とからなるマトリクス状の表で構成され、当該評価観点に係る個別評価結果の一覧を表す。個別評価結果一覧表５１４３の列を構成する項目として、左側から、評価担当者を表す項目（評価担当者項目）と、修正後の評価スコア情報を入力する項目（修正後評価スコア情報項目）と、修正前、すなわち現時点の評価スコア情報を表す項目（修正前評価スコア情報項目）と、がある。なお、評価スコア情報とは、各評価担当者の評価スコア、およびその内容を表す計算式（観点別重み×評価レベル）のことである。
【０５１６】
個別評価結果一覧表５１４３では、評価担当者項目が基準項目であり、修正後評価スコア情報項目、および修正前評価スコア情報項目は評価担当者項目に関連付けられている。なお、個別評価結果一覧表５１４３の各先頭行は、各項目を表している。
【０５１７】
修正後評価スコア情報項目には、新たな評価スコア情報の入力操作を受け付け可能な修正後評価スコア情報入力欄５１４６が設けられている。修正後評価スコア情報入力欄５１４６はクリック操作を受け付けることが可能である。修正後評価スコア情報入力欄５１４６に対してクリック操作がなされると、当該評価担当者で算出され得る全ての評価スコア情報の一覧を表すダウンリストが修正後評価スコア情報入力欄５１４６から表示される。
【０５１８】
例えば、ある評価観点について評価レベル「１.０」、「２.０」、「３.０」が設定され、その評価担当者の観点重みが「１.０」に設定されている場合、評価スコア情報として、１.０（１.０×１.０）、２.０（１.０×２.０）、３.０（１.０×３.０）が上から下に並んで表示される。ここで、括弧部分前の数字が評価スコアであり、括弧の中は、当該評価スコアを表す計算式（観点重み×評価レベル）を表している。
【０５１９】
そして、ダウンリストに表示される各評価スコア情報はクリック操作を受け付けることが可能であり、操作を受けた評価スコア情報は、そのまま修正後評価スコア情報入力欄５１４６に入力される。修正後評価スコア情報入力欄５１４６に評価スコア情報が入力されると、管理サーバ２は、その評価スコア情報に基づいて観点別得点を算出して修正後観点別得点表示領域５１４２に表示する。
【０５２０】
なお、評価結果詳細確認画面５１４が表示されているときに、複数の修正後評価スコア情報入力欄５１４６に新たな評価スコア情報を入力させることができる。すなわち、複数の個別評価結果を修正することができる。
【０５２１】
キャンセルボタン５１４４は、当該評価観点に係る評価結果の修正をキャンセルすることを指示するボタンである。キャンセルボタン５１４４に対してクリック操作を行うことができる。キャンセルボタン５１４４が操作されると、評価責任者端末５は、管理サーバ２に当該評価観点に係る評価結果の修正をキャンセルすることを要求する。管理サーバ２は、その要求に応じて、当該評価観点に係る観点別得点を修正することなく、そのまま評価結果詳細確認画面５１４を消去させる。
【０５２２】
反映ボタン５１４５は、修正後評価スコア情報入力欄５１４６に入力された評価スコア情報、すなわち評価結果の修正を反映することを指示するボタンである。反映ボタン５１４５に対してクリック操作を行うことができる。反映ボタン５１４５が操作されると、評価責任者端末５は、管理サーバ２に、全ての修正後評価スコア情報入力欄５１４６に入力された評価スコア情報を反映することを要求する。管理サーバ２は、その要求に応じて、当該評価観点について修正対象となる評価担当者の評価レベル、および当該評価観点に係る観点別得点を修正する。
【０５２３】
具体的には、修正後評価スコア情報入力欄５１４６への入力操作対象の評価担当者の個別評価結果である評価レベルが、入力された評価スコア情報の評価レベルとなるように、個別評価結果情報テーブル２４ｎに登録されている個別評価結果情報データを変更する。さらに、その変更に応じて、当該評価観点に係る観点別得点が修正後観点別得点表示領域５１４２に表示されている値となるように、得点情報テーブル２４ｏに登録されている得点情報データを変更する。
【０５２４】
また、管理サーバ２は、申請別得点が算出されている場合には、観点別得点の修正に伴って、申請別得点を算出し直し、その得点となるように得点情報テーブル２４ｏに登録されている得点情報データを変更する。
【０５２５】
さらに、管理サーバ２は、評価結果詳細確認画面５１４を消去すると共に、得点情報データ（観点別得点や申請別得点）の変更に応じて、評価結果一覧表５１３の観点別得点項目に表示される観点別得点や申請別得点項目に表示される申請別得点を変更する。加えて、管理サーバ２は、変更した申請別得点の横に、変更されたことを示す変更アイコン５１６を表示する。
【０５２６】
また、承認ボタン５１７は、試験区分・選考内容表示欄５１１に表示されている試験区分・選考内容の全ての申請に対する評価結果を承認することを指示するボタンである。承認ボタン５１７に対してクリック操作を行うことができる。
【０５２７】
評価責任者端末５は、承認ボタン５１７が操作されると、評価結果承認コマンドを管理サーバ２に送信することで、当該試験区分・選考内容の全ての申請に対する評価結果を承認（最終確定）することを管理サーバ２に要求する。これに応じて、管理サーバ２は、当該選考内容の全ての個別評価結果情報データおよび得点情報データを編集できないようにプロテクトする。
【０５２８】
さらに、管理サーバ２は、当該試験区分・選考内容に係る評価責任者ステータスデータの内容を「承認済」に変更すると共に、当該試験区分・選考内容に係る選考内容ステータスデータの内容を「承認済」に変更する。また、管理サーバ２は、この承認によって当該試験区分に係る全ての選考内容が承認された場合は、当該試験区分に係る試験管理者ステータスデータの内容を「承認済」に変更する。
【０５２９】
評価責任者トップ画面へ戻るボタン５１９は、評価結果一覧画面５１から評価責任者トップ画面５０に切り替えることを指示するボタンである。評価責任者トップ画面へ戻るボタン５１９に対してクリック操作を行うことができる。
【０５３０】
評価責任者端末５は、評価責任者トップ画面へ戻るボタン５１９が操作されると、評価責任者トップ画面切替コマンドを管理サーバ２に送信することで、評価結果一覧画面５１から評価責任者トップ画面５０に切り替えることを管理サーバ２に要求する。これに応じて、管理サーバ２は、評価責任者端末５に評価責任者トップ画面データを送信する。そして、評価責任者端末５は、評価責任者トップ画面データを受信すると、評価結果一覧画面５１から評価責任者トップ画面５０に切り替える。
【０５３１】
なお、評価結果一覧画面５１が表示されているときに承認ボタン５１７が操作されていれば、切り替えられた評価責任者トップ画面５０において、その画面５１に係る選考内容の評価責任者ステータス項目は「承認済」と表示される。
【０５３２】
次に、パターン評価結果一覧画面について説明する。図５９は、パターン評価結果一覧画面の一例である。図５９に示すパターン評価結果一覧画面５２には、試験区分・選考内容表示欄５２１と、判定方式表示欄５２２と、評価結果一覧表５２３と、承認ボタン５２７と、評価責任者トップ画面へ戻るボタン５２９と、が表示されている。パターン評価結果一覧画面５２の基本的な構成は、合算評価結果一覧画面５１と同じである。以下において、合算評価結果一覧画面５１との相違点を主に説明する。
【０５３３】
なお、試験区分・選考内容表示欄５２１の表示内容は試験区分・選考内容表示欄５１１と同一である。また、承認ボタン５２７、および評価責任者トップ画面へ戻るボタン５２９は、承認ボタン５１７、および評価責任者トップ画面へ戻るボタン５１９と同様にクリック操作を受け付け可能であり、操作された場合の評価責任者端末５および管理サーバ２による処理は同一である。
【０５３４】
判定方式表示欄５２２には、承認対象の選考内容に対するパターン判定に関する情報が表示されている。
【０５３５】
また、評価結果一覧表５２３の全体的な構成も、基本的には合算判定に係る評価結果一覧表５１３と同じであるが、パターン判定では、合算判定の場合に観点別評価結果として導出されない協議が含まれているので、パターン判定による観点別評価結果が「協議」となった場合について説明する。
【０５３６】
ある申請の評価観点に対する評価がパターン判定によって「協議」となった場合は、図５９に示すように、その申請の評価観点に係る評価観点項目に「協議」と表示される。そして、その評価観点項目に対してクリック操作が行われると、図５８の場合と同様に、その評価観点に係る評価結果詳細確認画面５２４が表示される。
【０５３７】
図６０は、評価結果詳細確認画面５２４の一例である。評価結果詳細確認画面５２４にも、評価結果詳細確認画面５１４と同様に、修正前観点別得点表示領域５２４１と、修正後観点別得点表示領域５２４２と、観点別評価結果一覧表５２４３と、キャンセルボタン５２４４と、反映ボタン５２４５と、が表示される。
【０５３８】
ここで、評価結果詳細確認画面５１４の場合と異なるのは、修正前観点別得点表示領域５２４１に「協議」と表示される。それ以外の構成は、評価結果詳細確認画面５１４の場合と同一である。
【０５３９】
なお、管理サーバ２は、評価結果一覧表５２３に「協議」が含まれている状態で承認ボタン５２７が操作されても、当該選考内容について承認処理は行わない。すなわち、当該選考内容の全ての個別評価結果情報データおよび得点情報データに対してプロテクトを行わない。この場合、管理サーバ２は、協議が含まれているので承認できない旨の表示を評価責任者端末５に行わせる。
【０５４０】
以上のように構成された申請／評価支援システム１によれば、試験管理者端末３への入力操作によって、申請を評価するための評価観点と評価担当者を対応付けて管理サーバ２に登録し、評価担当者の評価担当者端末４には、当該評価担当者に対応付けられた評価観点に基づいて評価するための評価画面（申請別評価画面、観点別評価画面）が表示されるので、申請／評価支援システム１の利便性を向上させることができる。
【０５４１】
また、試験管理者端末３への入力操作によって、評価観点毎に複数の評価レベルを設定可能であり、評価担当者端末４には、当該評価担当者に対応付けられた評価観点毎に、当該評価観点について設定された複数の評価レベルに基づいてその申請を評価できるように評価画面（申請別評価画面、観点別評価画面）が表示されるので、申請／評価支援システム１の利便性を向上させることができる。
【０５４２】
さらに、試験管理者端末３への入力操作によって、評価観点毎に、当該評価観点に対応付けられた各評価担当者と観点重み（係数）とを対応付けて登録し、評価観点毎に、当該評価観点に係る評価結果として各評価者が採点した評価レベルに当該評価者に対応付けられた観点重みを乗じた値に基づいて、当該評価観点に係る観点別得点を算出するので、申請／評価支援システム１の利便性を向上させることができる。
【０５４３】
また、試験管理者端末に行われた入力操作に応じて、評価対象候補である一部または全ての出願整理番号、言い換えると申請に、評価担当者情報テーブル２４ｇに記憶されている複数の評価担当者の一部または全てを設定することによって評価対象を登録し、評価者の評価担当者端末４には、当該評価担当者に設定された評価対象に係る申請を評価するための評価画面（申請別評価画面、観点別評価画面）が表示される。すなわち、評価担当者は評価担当者端末４によって当該評価担当者に設定された評価対象のみを評価することができる。その結果、申請／評価支援システム１の利便性を向上させることができる。
【０５４４】
さらに、評価対象登録条件に基づいて評価対象を登録することができるか否か（評価対象の登録にエラーがあるか否か）の評価対象登録判定が行われ、評価対象登録判定で評価対象を登録することができない（評価対象の登録にエラーがある）と判断、すなわち、評価対象登録条件を満たしていないと判断された場合、その評価対象を登録することができず、その旨が試験管理者端末３に表示される。よって、申請／評価支援システム１の利便性を向上させつつ、信頼性も向上させることができる。
【０５４５】
なお、前述した実施形態は単なる例示にすぎず、本発明を何ら限定するものではなく、その要旨を逸脱しない範囲内で種々の改良、変形が可能であることはもちろんである。
【０５４６】
例えば、本発明の申請／評価支援システムを用いる対象は前述の実施形態に限られない。その一例として、申請／評価支援システム１のように大学の入学試験の受験生側と、大学側との間で適用するのではなく、民間企業または国や地方自治体の就職・転職などの採用試験について、受験者と、民間企業または国や地方自治体との間で本発明の申請／評価支援システムを適用させても良い。この場合、入社希望者が受験生に対応し、民間企業または国や地方自治体が大学に対応する。あるいは、資格の試験や所定の組織内における登用試験について本発明の申請／評価支援システムを適用させても良い。
【０５４７】
また、申請／評価支援システムで各種端末に表示される画面構成も本実施形態に限られず、適宜に変更しても良い。さらに、評価観点の内容、設問の内容、および判定方法も前述の実施形態に限られず、適宜に変更しても良い。加えて、所定事項を入力する際の操作方法も、適宜にコピー機能、ダウンロード機能、およびドロップダウンリスト機能を採用しても良い。例えば、評価担当者や評価責任者を設定する場合、事前に職員に関する情報をｃｓｖファイルでサーバ記憶部２３に格納しておき、インポートで読み込むようにしても良い。
【０５４８】
また、前述の実施形態では、大学側で使用される端末は、試験管理者端末３、評価担当者端末４、および評価責任者端末５の３種類あるが、例えば、評価責任者端末５の機能を試験管理者端末３に統合させるようにして、２種類にしても良い。あるいは、申請／評価支援システム１から評価責任者端末５そのものを省くようにしても良い。
【０５４９】
さらに、前述の実施形態では、評価担当者および評価責任者は、設問を設定する前に選考内容ごとに設定されているが、試験区分ごとに設定するようにしても良い。また、評価担当者および評価責任者は、設問を設定した後に、設問ごとに設定するようにしても良い。
【０５５０】
また、前述の実施形態では、試験区分を、募集区分と学部・学科で構成させたが、試験区分の構成はこれに限られない。例えば、試験区分を、募集区分と、入試方式と、学部・学科との組み合わせで構成させても良い。ここでの入試方式とは、例えば、英語重視、２科目、スポーツ、および一芸などで構成される入試の方式のことである。
【０５５１】
また、前述の実施形態では、１つの申請／評価支援システム１に対して１つの管理サーバ２が設けられているが、複数の管理サーバ２が設けられるようにしても良い。この場合、１つの管理サーバ２に対して１つの大学または複数の大学を割り当てるようにしても良い。
【０５５２】
また、前述の実施形態では、サーバ制御部２２は、管理サーバ２が備えるサーバ記憶部２３に記憶されている様々なプログラムや情報に基づいて様々な機能を実現しているが、サーバ記憶部２３に記憶されている様々なプログラムを、通信ネットワーク７を介して管理サーバ２に接続されているクラウドベースに記憶させても良い。
【０５５３】
さらに、前述の実施形態に開示されている処理は、単一のＣＰＵ，複数のＣＰＵ、ＡＳＩＣなどのハードウェア、またはそれらの組み合わせで実行されてもよい。また、前述の実施形態に開示されている処理は，その処理を実行するためのプログラムを記録した記録媒体、または方法等の種々の態様で実現することができる。
【符号の説明】
【０５５４】
１…申請／評価支援システム
２…管理サーバ
３…試験管理者端末
４…評価担当者端末
５…評価責任者端末
６…受験生端末
７…通信ネットワーク
２１…サーバ通信部
２２…サーバ制御部
２３…サーバ記憶部
【図１】
2020184263.tif 000003
【図２】
2020184263.tif 000004
【図３】
2020184263.tif 000005
【図４】
2020184263.tif 000006
【図５】
2020184263.tif 000007
【図６】
2020184263.tif 000008
【図７】
2020184263.tif 000009
【図８】
2020184263.tif 000010
【図９】
2020184263.tif 000011
【図１０】
2020184263.tif 000012
【図１１】
2020184263.tif 000013
【図１２】
2020184263.tif 000014
【図１３】
2020184263.tif 000015
【図１４】
2020184263.tif 000016
【図１５】
2020184263.tif 000017
【図１６】
2020184263.tif 000018
【図１７】
2020184263.tif 000019
【図１８】
2020184263.tif 000020
【図１９】
2020184263.tif 000021
【図２０】
2020184263.tif 000022
【図２１】
2020184263.tif 000023
【図２２】
2020184263.tif 000024
【図２３】
2020184263.tif 000025
【図２４】
2020184263.tif 000026
【図２５】
2020184263.tif 000027
【図２６】
2020184263.tif 000028
【図２７】
2020184263.tif 000029
【図２８】
2020184263.tif 000030
【図２９】
2020184263.tif 000031
【図３０】
2020184263.tif 000032
【図３１】
2020184263.tif 000033
【図３２】
2020184263.tif 000034
【図３３】
2020184263.tif 000035
【図３４】
2020184263.tif 000036
【図３５】
2020184263.tif 000037
【図３６】
2020184263.tif 000038
【図３７】
2020184263.tif 000039
【図３８】
2020184263.tif 000040
【図３９】
2020184263.tif 000041
【図４０】
2020184263.tif 000042
【図４１】
2020184263.tif 000043
【図４２】
2020184263.tif 000044
【図４３】
2020184263.tif 000045
【図４４】
2020184263.tif 000046
【図４５】
2020184263.tif 000047
【図４６】
2020184263.tif 000048
【図４７】
2020184263.tif 000049
【図４８】
2020184263.tif 000050
【図４９】
2020184263.tif 000051
【図５０】
2020184263.tif 000052
【図５１】
2020184263.tif 000053
【図５２】
2020184263.tif 000054
【図５３】
2020184263.tif 000055
【図５４】
2020184263.tif 000056
【図５５】
2020184263.tif 000057
【図５６】
2020184263.tif 000058
【図５７】
2020184263.tif 000059
【図５８】
2020184263.tif 000060
【図５９】
2020184263.tif 000061
【図６０】
2020184263.tif 000062